(57)【要約】      （修正有）【課題】組織サンプル回収が容易な吸引式生検装置を提供する。【解決手段】生検装置は、プローブ本体１００、針部分１１０、中空カッター１５０、および組織サンプルホルダー３００を含む。針部分は、プローブ本体から遠位に延びており、横方向組織受容孔を含む。中空カッターは、孔を通って突出する組織から組織サンプルを切断するように針部分に対して並進運動可能である。中空カッターは、カッター内腔を画定している。組織サンプルホルダーは、本体および組織サンプルトレーを含む。組織サンプルトレーは、本体と取り外し可能に係合されており、下方に延びる内腔を含んでいる。下方に延びる内腔は、一対の下方開口部を含み、これらの下方開口部は、組織サンプルトレーにより画定されたチャンバと連通している。【選択図】図５
2020075119.tif 000002
【特許請求の範囲】
【請求項１】
生検装置において、
（ａ）プローブ本体と、
（ｂ）前記プローブ本体から遠位に延びる針部分であって、横方向組織受容孔を含む、針部分と、
（ｃ）前記孔を通って突出する組織から組織サンプルを切断するために前記針部分に対して並進運動可能である、中空カッターであって、カッター内腔を画定する、中空カッターと、
（ｄ）組織サンプルホルダーであって、
（ｉ）回転可能な本体、および、
（ｉｉ）組織サンプルトレーを含み、前記組織サンプルトレーは、前記本体と取り外し可能に係合され、前記組織サンプルトレーは、下方に延びる内腔を含み、前記下方に延びる内腔は、一対の下方開口部を含み、前記組織サンプルトレーは、チャンバを画定し、前記チャンバは、前記組織サンプルトレーの複数の開口部を通じて、前記一対の下方開口部と連通している、
組織サンプルホルダーと、
を含む、生検装置。
【請求項２】
請求項１に記載の生検装置において、
前記組織サンプルトレーは、遠位壁をさらに含む、生検装置。
【請求項３】
請求項２に記載の生検装置において、
前記下方に延びる内腔は、前記組織サンプルトレーの前記遠位壁内部に配されている、生検装置。
【請求項４】
請求項３に記載の生検装置において、
前記組織サンプルトレーは、近位壁、床部、および前記遠位壁と前記近位壁との間に配された一対の側壁をさらに含む、生検装置。
【請求項５】
請求項４に記載の生検装置において、
前記組織サンプルトレーの前記複数の開口部は、前記床部および前記一対の側壁を通って配されている、生検装置。
【請求項６】
請求項１に記載の生検装置において、
前記回転可能な本体は、上方開口部、および下方開口部を含み、
前記上方開口部は、前記中空カッターと整列するように構成されており、
前記下方開口部は、前記プローブ本体の真空源と整列するように構成されている、生検装置。
【請求項７】
請求項６に記載の生検装置において、
前記組織サンプルトレーは、上方開口部、および下方凹部を含み、
前記上方開口部は、前記組織サンプルトレーの前記チャンバと流体連通しており、
前記下方凹部は、前記組織サンプルトレーの前記下方に延びる内腔と流体連通している、生検装置。
【請求項８】
請求項７に記載の生検装置において、
前記回転可能な本体の前記上方開口部は、前記組織サンプルトレーの前記上方開口部と整列するように構成されており、
前記回転可能な本体の前記下方開口部は、前記組織サンプルトレーの前記下方凹部と整列するように構成されている、生検装置。
【請求項９】
請求項８に記載の生検装置において、
前記プローブ本体は、前記中空カッターが前記組織サンプルトレーのキャビティと流体連通し、前記真空源が前記組織サンプルトレーの前記下方に延びる内腔と流体連通するように、前記中空カッターおよび前記真空源に対して、前記回転可能な本体の前記上方開口部および前記下方開口部を割り出すように構成されている、生検装置。
【請求項１０】
請求項１に記載の生検装置において、
前記回転可能な本体は、前記組織サンプルトレーと前記回転可能な本体との間に隙間を画定するように構成されており、
前記一対の下方開口部は、前記隙間および前記組織サンプルトレーの複数の開口部を通じて、前記組織サンプルトレーの前記チャンバと流体連通している、生検装置。
【請求項１１】
請求項１に記載の生検装置において、
前記回転可能な本体は、トレー受容通路、およびプラグ受容通路を含む、生検装置。
【請求項１２】
請求項１１に記載の生検装置において、
前記トレー受容通路は、前記組織サンプルトレーを受容するように構成されている、生検装置。
【請求項１３】
請求項１２に記載の生検装置において、
前記プラグ受容通路は、プラグを取り外し可能に受容するように構成されており、
前記プラグ受容通路は、マーカーアプライヤ器具を受容するようにさらに構成されている、生検装置。
【請求項１４】
生検装置において、
（ａ）プローブ本体と、
（ｂ）前記プローブ本体から遠位に延びる針部分であって、横方向組織受容孔を含む、針部分と、
（ｃ）前記孔を通って突出する組織から組織サンプルを切断するために前記針部分に対して並進運動可能である、中空カッターであって、カッター内腔を画定する、中空カッターと、
（ｄ）組織サンプルホルダーであって、
（ｉ）本体、および、
（ｉｉ）組織サンプルトレーを含み、前記組織サンプルトレーは、前記本体と取り外し可能に係合され、前記組織サンプルトレーは、チャンバを画定している、
組織サンプルホルダーと、
（ｅ）前記中空カッターの遠位端および前記組織サンプルトレーの間に配置された、サンプル停止部材であって、前記サンプル停止部材は、前記生検装置の透明な部分を通じて組織サンプルの視覚的検査を可能にするように、前記中空カッターから前記組織サンプルホルダーに移動される前記組織サンプルを停止するように構成されている、サンプル停止部材と、
を含む、生検装置。
【請求項１５】
請求項１４に記載の生検装置において、
前記サンプル停止部材は前記組織サンプルホルダー内に配置されている、生検装置。
【請求項１６】
請求項１４に記載の生検装置において、
前記サンプル停止部材は、前記本体の一部から前記組織サンプルトレーによって画定された前記チャンバ内に近位に延びている、生検装置。
【請求項１７】
請求項１４に記載の生検装置において、
前記サンプル停止部材は、前記本体の一部から前記組織サンプルトレーによって画定された前記チャンバ内に近位に延びている棚を含む、生検装置。
【請求項１８】
請求項１７に記載の生検装置において、
前記本体は、前記棚の上に配置された前記組織サンプルの前記視覚的検査を可能にするように構成された透明な材料を含む、生検装置。
【請求項１９】
請求項１４に記載の生検装置において、
前記組織サンプルホルダーは複数の組織サンプルトレーを含む、生検装置。
【請求項２０】
請求項１９に記載の生検装置において、
前記本体は、それぞれの組織サンプルトレーの前記中空カッターとの整列を可能にするように、回転するように構成されている、生検装置。
【発明の詳細な説明】
【開示の内容】
【０００１】
〔背景〕
生検サンプルは、さまざまな装置を使用した種々の医療処置においてさまざまな方法で得られてきた。生検装置は、定位固定誘導、超音波誘導、ＭＲＩ誘導、ＰＥＭ誘導、ＢＳＧＩ誘導、またはその他の下で使用され得る。例えば、一部の生検装置は、ユーザーが片手で十分に操作可能であり、１回の挿入で、患者から１つまたは複数の生検サンプルを捕捉することができる。さらに、一部の生検装置は、例えば流体（例えば、加圧空気、食塩水、大気、真空など）の連通のため、電力伝達のため、および／またはコマンドなどの通信のために、真空モジュールおよび／または制御モジュールにつながれることができる。他の生検装置は、別の装置とつながれたり、別様に接続されたりせずに、完全に、または少なくとも部分的に動作可能とすることができる。
【０００２】
単に例示的な生検装置および生検システムの構成要素が、以下に開示されている：「Biopsy System」の名称で２０１４年２月６日に公開された米国特許出願公開第２０１４／００３９３４３号；「Method and Apparatus for Automated Biopsy and Collection of Soft Tissue」の名称で１９９６年６月１８日に発行された米国特許第５，５２６，８２２号；「Apparatus for Automated Biopsy and Collection of Soft Tissue」の名称で１９９９年７月２７日に発行された米国特許第５，９２８，１６４号；「Vacuum Control System and Method for Automated Biopsy Device」の名称で２０００年１月２５日に発行された米国特許第６，０１７，３１６号；「Control Apparatus for an Automated Surgical Biopsy Device」の名称で２０００年７月１１日に発行された米国特許第６，０８６，５４４号；「Fluid Collection Apparatus for a Surgical Device」の名称で２０００年１２月１９日に発行された米国特許第６，１６２，１８７号；「Method for Using a Surgical Biopsy System with Remote Control for Selecting an Operational Mode」の名称で２００２年８月１３日に発行された米国特許第６，４３２，０６５号；「MRI Compatible Surgical Biopsy Device」の名称で２００３年９月１１日に発行された米国特許第６，６２６，８４９号；「Surgical Biopsy System with Remote Control for Selecting an Operational Mode」の名称で２００４年６月２２日に発行された米国特許第６，７５２，７６８号；「Remote Thumbwheel for a Surgical Biopsy Device」の名称で２００８年１０月８日に発行された米国特許第７，４４２，１７１号；「Manually Rotatable Piercer」の名称で２０１０年１月１９日に発行された米国特許第７，６４８，４６６号；「Biopsy Device Tissue Port Adjustment」の名称で２０１０年１１月２３日に発行された米国特許第７，８３７，６３２号；「Clutch and Valving System for Tetherless Biopsy Device」の名称で２０１０年１２月１日に発行された米国特許第７，８５４，７０６号；「Surgical Biopsy System with Remote Control for Selecting an Operational Mode」の名称で２０１１年３月２９日に発行された米国特許第７，９１４，４６４号；「Vacuum Timing Algorithm for Biopsy Device」の名称で２０１１年５月１０日に発行された米国特許第７，９３８，７８６号；「Tissue Biopsy Device with Rotatably Linked Thumbwheel and Tissue Sample Holder」の名称で２０１１年１２月２１日に発行された米国特許第８，０８３，６８７号；「Biopsy Sample Storage」の名称で２０１２年２月２１日に発行された米国特許第８，１１８，７５５号。前記に列挙した米国特許および米国特許出願公開それぞれの開示は、参照により本明細書に組み込まれる。
【０００３】
追加の例示的な生検装置および生検システムの構成要素が、以下に開示されている：「Biopsy Apparatus and Method」の名称で２００６年４月６日に公開された米国特許出願公開第２００６／００７４３４５号；「Biopsy System with Vacuum Control Module」の名称で２００８年６月１９日に公開された米国特許出願公開第２００８／０１４６９６２号；「Presentation of Biopsy Sample by Biopsy Device」の名称で２００８年９月４日に公開された米国特許出願公開第２００８／０２１４９５５号；「Biopsy Sample Storage」の名称で２００８年９月１１日に公開された米国特許出願公開第２００８／０２２１４８０号；「Graphical User Interface For Biopsy System Control Module」の名称で２００９年５月２１日に公開された米国特許出願公開第２００９／０１３１８２１号；「Icon-Based User Interface on Biopsy System Control Module」の名称で２００９年５月２１日に公開された米国特許出願公開第２００９／０１３１８２０号；「Biopsy Device with Rotatable Tissue Sample Holder」の名称で２０１０年５月６日に公開された米国特許出願公開第２０１０／０１１３９７３号；「Hand Actuated Tetherless Biopsy Device with Pistol Grip」の名称で２０１０年６月１７日に公開された米国特許出願公開第２０１０／０１５２６１０号；「Biopsy Device with Central Thumbwheel」の名称で２０１０年６月２４日に公開された米国特許出願公開第２０１０／０１６０８１９号；「Biopsy Device with Discrete Tissue Chambers」の名称で２０１０年６月２４日に公開された米国特許出願公開第２０１０／０１６０８２４号；「Tetherless Biopsy Device with Reusable Portion」の名称で２０１０年１２月１６日に公開された米国特許出願公開第２０１０／０３１７９９７号；「Handheld Biopsy Device with Needle Firing」の名称で２０１２年５月３日に公開された米国特許出願公開第２０１２／０１０９００７号；「Biopsy Device with Motorized Needle Firing」の名称で２０１１年４月１４日に出願された米国非仮特許出願第１３／０８６，５６７号；「Needle Assembly and Blade Assembly for Biopsy Device」の名称で２０１１年６月１日に出願された米国非仮特許出願第１３／１５０，９５０号；「Access Chamber and Markers for Biopsy Device」の名称で２０１１年８月８日に出願された米国非仮特許出願第１３／２０５，１８９号；「Biopsy Device Tissue Sample Holder with Bulk Chamber and Pathology Chamber」の名称で２０１１年８月２６日に出願された米国非仮特許出願第１３／２１８，６５６号；「Biopsy Device With Slide-In Probe」の名称で２０１１年１２月５日に出願された米国仮特許出願第６１／５６６，７９３号；「Control for Biopsy Device」の名称で２０１２年５月３０日に出願された米国非仮特許出願第１３／４８３，２３５号。前記に列挙した米国特許出願公開、米国非仮特許出願、および米国仮特許出願それぞれの開示は、参照により本明細書に組み込まれる。
【０００４】
いくつかの設定では、後で参照するために生検部位の場所に印をつけることが望ましい場合がある。例えば、組織サンプルが生検部位から採取される前、その間、またはその後で、１つまたは複数のマーカーが、生検部位に置かれ得る。例示的なマーカー配備ツールは、オハイオ州シンシナティのDevicor Medical Products、Inc.の、MAMMOMARK（商標）、MICROMARK（登録商標）、およびCORMARK（商標）ブランドの装置を含む。生検部位に印をつけるための、さらなる例示的な装置および方法は、以下に開示される：「Biopsy Method」の名称で２００９年８月２０日に公開された米国特許出願公開第２００９／０２０９８５４号；「Devices Useful in Imaging」の名称で２００９年１０月２９日に公開された米国特許出願公開第２００９／０２７０７２５号；「Biopsy Marker Delivery Device」の名称で２０１０年２月２５日に公開された米国特許出願公開第２０１０／００４９０８４号；「Flexible Biopsy Marker Delivery Device」の名称で２０１１年３月２４日に公開された米国特許出願公開第２０１１／００７１４２３号；「Biopsy Marker Delivery Device」の名称で２０１１年３月２４日に公開された米国特許出願公開第２０１１／００７１４２４号；「Biopsy Marker Delivery Device with Positioning Component」の名称で２０１１年３月２４日に公開された米国特許出願公開第２０１１／００７１３９１号；「Devices for Marking and Defining Particular Locations in Body Tissue」の名称で２００１年５月８日に発行された米国特許第６，２２８，０５５号；「Subcutaneous Cavity Marking Device and Method」の名称で２００２年４月１６日に発行された米国特許第６，３７１，９０４号；「Tissue Site Markers for In Vivo Imaging」の名称で２００６年１月３１日に発行された米国特許第６，９９３，３７５号；「Imageable Biopsy Site Marker」の名称で２００６年２月７日に発行された米国特許第６，９９６，４３３号；「Devices for Defining and Marking Tissue」の名称で２００６年５月１６日に発行された米国特許第７，０４４，９５７号；「Tissue Site Markers for In Vivo Imaging」の名称で２００６年５月１６日に発行された米国特許第７，０４７，０６３号；「Methods for Marking a Biopsy Site」の名称で２００７年６月１２日に発行された米国特許第７，２２９，４１７号；「Marker Device and Method of Deploying a Cavity Marker Using a Surgical Biopsy Device」の名称で２００８年１２月１６日に発行された米国特許第７，４６５，２７９号。前記に列挙した米国特許および米国特許出願公開それぞれの開示は、参照により本明細書に組み込まれる。
【０００５】
いくつかのシステムおよび方法が、生検サンプルを入手するために作られ使用されてきたが、発明者より前に、請求項に記載する発明を行うか、または使用した者はいないと考える。
【０００６】
本明細書は、このテクノロジーを具体的に指し示し明白に主張する請求項で締めくくられるが、このテクノロジーは、添付図面と共に理解される特定の実施例に関する以下の説明から、より良く理解されると考えられる。添付図面では、同様の参照符号が、同じ要素を特定している。
【０００７】
図面は、限定的とすることを決して意図しておらず、このテクノロジーのさまざまな実施形態が、図面には必ずしも描かれていないものを含め、さまざまな他の方法で実行され得ることを企図している。本明細書に組み込まれ、その一部を形成する添付図面は、本テクノロジーのいくつかの態様を示しており、説明と共に、このテクノロジーの原理の説明に役立つものであるが、このテクノロジーは、図示する厳密な構成に限定されないことが理解される。
【０００８】
〔詳細な説明〕
このテクノロジーの特定の実施例に関する以下の説明は、その範囲を制限するために使用されるべきではない。このテクノロジーの他の実施例、特徴、態様、実施形態、および利点が、以下の説明から当業者には明らかとなるであろう。以下の説明は、例として、このテクノロジーを実施するために企図される最良の方式のうちの１つである。認識されるであろうが、本明細書に記載されるテクノロジーは、このテクノロジーから逸脱しない、他の異なる明らかな態様が可能である。したがって、図面および説明は、例示的な性質のものとみなされるべきであり、限定的なものではない。
【０００９】
Ｉ．例示的な生検システムの概観
図１は、生検装置（１０）と真空制御モジュール（２５０）とを含む例示的な生検システム（２）を描いている。ほんの一例として、生検システム（２）の少なくともいくつかの構成要素は、開示の内容が参照により本明細書に組み込まれる、「Biopsy System」の名称で２０１４年２月６日に公開された米国特許出願公開第２０１４／００３９３４３号の教示の少なくとも一部に従って、構成され、かつ／または動作可能であってよい。この実施例の生検装置（１０）は、プローブ（１００）およびホルスター（２００）を含む。針（１１０）が、プローブ（１００）から遠位に延びており、この針は、以下でさらに詳細に説明するように、組織サンプルを入手するために、患者の組織に挿入される。これらの組織サンプルは、やはり以下でさらに詳細に説明するように、プローブ（１００）の近位端部にある組織サンプルホルダー（３００）内に入る。本明細書で「ホルスター」という用語を使用することは、プローブ（１００）の任意の部分がホルスター（２００）の任意の部分に挿入されることを必要とするものとして読み取るべきではないことも理解されたい。本実施例では、ホルスター（２００）は、一組の突起（２０８）を含み、突起（２０８）は、プローブ（１００）のシャシー（１０６）により受容されて、プローブ（１００）をホルスター（２００）に解放可能に固定する。具体的には、プローブ（１００）はまず、ホルスター（２００）に対する最終位置のすぐ近位で、ホルスター（２００）の上に位置付けられ、次に、プローブ（１００）は、遠位にスライドして、突起（２０８）に完全に係合する。プローブ（１００）は、一組の弾性タブ（１０４）も含み、弾性タブ（１０４）は、突起（２０８）を係合解除するように内側に押されることができ、ユーザーは、両方のタブ（１０４）を同時に押し下げ、その後、プローブ（１００）を、ホルスター（２００）から離すように後方に引っ張って、プローブ（１００）をホルスター（２００）から切り離すことができる。当然、さまざまな他のタイプの構造、構成要素、特徴など（例えば、差込ピン取付台（bayonet mounts）、ラッチ、クランプ、クリップ、スナップフィット（snap fittings）など）が、プローブ（１００）とホルスター（２００）との取り外し可能な連結を提供するのに使用され得る。さらに、一部の生検装置（１０）では、プローブ（１００）およびホルスター（２００）は、一体的または統合された構造のものであってよく、これら２つの構成要素が分離できないようになっている。ほんの一例として、プローブ（１００）およびホルスター（２００）が分離可能な構成要素として設けられるバージョンでは、プローブ（１００）は、使い捨て構成要素として提供されてよく、ホルスター（２００）は、再利用可能な構成要素として提供されてよい。プローブ（１００）とホルスター（２００）との間のさらに他の適切な構造的および機能的関係は、本明細書の教示を鑑みれば、当業者には明らかであろう。
【００１０】
生検装置（１０）のいくつかの変形体は、１つまたは複数のセンサー（不図示）を、プローブ（１００）内および／またはホルスター（２００）内に含んでよく、このセンサーは、プローブ（１００）がホルスター（２００）にいつ連結されたのかを検知するように構成される。このようなセンサーまたは他の特徴部は、あるタイプのプローブ（１００）およびホルスター（２００）のみが互いに連結されることを可能にするようにさらに構成され得る。さらに、または代わりに、このようなセンサーは、適切なプローブ（１００）およびホルスター（２００）が互いに連結されるまで、プローブ（１００）および／またはホルスター（２００）の１つまたは複数の機能を無効にするように構成され得る。単に例示的な１つの実施例では、プローブ（１００）は、プローブ（１００）がホルスター（２００）と連結された際にホルスター（２００）内のホール効果センサー（不図示）または何らかの他のタイプのセンサーにより検知される、磁石（不図示）を含む。単に例示的なさらに別の実施例として、プローブ（１００）とホルスター（２００）との連結は、導電表面または電極間の物理的接触を用いて、ＲＦＩＤテクノロジーを用いて、かつ／または、本明細書の教示を鑑みれば当業者に明らかとなるであろうような、多くの他の方法で、検知され得る。当然、このようなセンサーおよび特徴部は、所望されるとおりに変更または省略され得る。
【００１１】
以下でさらに詳細に説明するように、真空制御モジュール（２５０）は、弁組立体（９０）を介して、プローブ（１００）と連結される。具体的には、真空制御モジュール（２５０）は、弁組立体（９０）と連結されるように構成された、チューブセットインターフェースソケット（２５２）を含む。チューブセットインターフェースソケット（２５２）は、弁組立体（９０）を選択的に作動させるためにモーター（２５４、２５６）により回転可能に駆動される、一対の露出した心棒を含む。弁組立体（９０）は、チューブ（５０）を介して食塩水バッグ（８０）と、また、チューブ（６０）を介して真空キャニスター（７０）と、さらに連結される。真空キャニスター（７０）は、真空制御モジュール（２５０）の真空キャニスター受け容器（２５８）内に配される。弁組立体（９０）は、一組のチューブ（２０、３０、４０）を介してプローブ（１００）と連結される。図４に示すように、各チューブ（２０、３０、４０）は、弁組立体（９０）との取り外し可能な連結をもたらすように構成された、それぞれのルアーフィット（２２、３２、４２）を含む。本実施例では、真空制御モジュール（２５０）は、弁組立体（９０）と協働して、真空、食塩水、大気、および流体シールをプローブ（１００）に選択的に提供する。ほんの一例として、このような連通は、開示内容が参照により本明細書に組み込まれる、「Biopsy Device Valve Assembly」の名称で２０１３年８月２２日に公開された米国特許出願公開第２０１３／０２１８０４７号の教示の少なくとも一部、および／または、開示内容が参照により本明細書に組み込まれる、「Biopsy System」の名称で２０１４年２月６日に公開された米国特許出願公開第２０１４／００３９３４３号の教示の少なくとも一部に従って、もたらされ得る。
【００１２】
真空制御モジュール（２５０）は、ケーブル（２１０）によりホルスター（２００）とさらに連結され、ケーブル（２１０）は、電力をホルスター（２００）に伝えるように動作可能であり、ホルスター（２００）と真空制御モジュール（２５０）との間で双方向式に、データおよびコマンド等といった信号を伝えるようにさらに動作可能である。これらの構成要素はすべて協働して、生検装置（１０）が、患者から、例えば、患者の乳房または患者の解剖学的構造の他の部分から、多くの組織サンプルを取得することを可能にする。ほんの一例として、このような操作性は、開示内容が参照により本明細書に組み込まれる、「Biopsy System」の名称で２０１４年２月６日に公開された米国特許出願公開第２０１４／００３９３４３号の教示の少なくとも一部に従って提供され得る。さらに、または代わりに、このような操作性は、本明細書に引用するその他の引用文献のいずれかに従って提供されてもよい。
【００１３】
本実施例の生検装置（１０）は、台または固定物に据え付けられ、また、定位固定誘導下で使用されるように構成される。当然、生検装置（１０）は、代わりに、超音波誘導、ＭＲＩ誘導、ＰＥＭ誘導、ＢＳＧＩ誘導、またはその他の下で使用されることができる。生検装置（１０）をユーザーの片手で操作し得るように生検装置（１０）がサイズ決めされ構成され得ることも理解されたい。具体的には、ユーザーは、生検装置（１０）をつかみ、針（１１０）を患者の乳房に挿入し、患者の乳房内から１つまたは複数の組織サンプルを収集することができ、これらをすべて片手だけで行う。あるいは、ユーザーは、２つ以上の手で、かつ／または、任意の所望の助けを得て、生検装置（１０）をつかむことができる。一部の環境では、ユーザーは、針（１１０）を患者の乳房に１回挿入しただけで、複数の組織サンプルを捕捉することができる。このような組織サンプルは、組織サンプルホルダー（３００）の中に空気圧により入れられ、その後、分析のために組織サンプルホルダー（３００）から回収されることができる。本明細書に記載される実施例は、しばしば、患者の乳房から生検サンプルを入手することに言及しているが、生検装置（１０）が、さまざまな他の目的でさまざまな他の処置で、また、患者の解剖学的構造のさまざまな他の部分（例えば、前立腺、甲状腺など）で、使用され得ることを理解されたい。生検装置（１０）のさまざまな例示的な構成要素、特徴部、構成、および操作性を以下でさらに詳細に説明するが、他の適切な構成要素、特徴部、構成、および操作性は、本明細書の教示を鑑みれば、当業者には明らかであろう。
【００１４】
ＩＩ．例示的なプローブ
図１〜図６に示すように、本実施例のプローブ（１００）は、遠位に延びる針（１１０）を含む。プローブ（１００）は、シャシー（１０６）および上方ハウジング（１０２）も含み、これらは互いにしっかりと固定されている。図３で最もよく分かるように、歯車（１４０）が、シャシー（１０６）の開口部（１０７）を通って露出されており、プローブ（１００）のカッター作動機構を駆動するように動作可能である。やはり図３で分かるように、別の歯車（１３０）が、シャシー（１０６）を通って露出されており、以下でさらに詳細に説明するように針（１１０）を回転させるように動作可能である。プローブ（１００）の歯車（１４０）は、プローブ（１００）およびホルスター（２００）が互いに連結されると、ホルスター（２００）の露出した歯車（２３０）と噛み合う。同様に、プローブ（１００）の歯車（１３０）は、プローブ（１００）およびホルスター（２００）が互いに連結されると、ホルスター（２００）の露出した歯車（２１２）と噛み合う。ホルスター（２００）が、開示内容が参照により本明細書に組み込まれる、「Biopsy System」の名称で２０１４年２月６日に公開された米国特許出願公開第２０１４／００３９３４３号の教示の少なくとも一部に従って、かつ／または、本明細書に引用する任意の他の引用文献の教示の少なくとも一部に従って、構築され、動作可能とされ得ることを、理解されたい。
【００１５】
Ａ．例示的な針組立体
本実施例の針（１１０）は、貫通先端部（１１２）、先端部（１１２）より近位に位置する側方孔（１１４）、およびハブ部材（１２０）を有する、カニューレ（１１３）を含む。組織貫通先端部（１１２）は、多量の力を必要とせず、また先端部（１１２）の挿入前に組織に開口部を予め形成することも必要とせず、組織を貫通し穿通するように構成される。あるいは、先端部（１１２）は、必要に応じて、尖っていなくてもよい（例えば、丸みを帯びる、平らであるなど）。ほんの一例として、先端部（１１２）は、開示内容が参照により本明細書に組み込まれる、「Needle Assembly and Blade Assembly for Biopsy Device」の名称で２０１２年１２月６日に公開された、米国特許出願公開第２０１２／０３１０１１０号の教示のいずれかに従って、構成されてよい。単に例示的な別の実施例として、先端部（１１２）は、参照により開示が本明細書に組み込まれる、「Biopsy Device with Slide-In Probe」の名称で２０１３年６月１３日に公開された米国特許出願公開第２０１３／０１５０７５１号の教示の少なくとも一部に従って構成され得る。先端部（１１２）に使用され得る他の適切な構成は、本明細書の教示を鑑みれば、当業者には明らかであろう。
【００１６】
側方孔（１１４）は、装置（１０）の操作中に脱出した組織を受け取るようにサイズ決めされる。鋭利な遠位エッジ（１５２）を有する中空管状カッター（１５０）が、針（１１０）内部に位置する。カッター（１５０）の内部は、内腔（１５１）を画定している。カッター（１５０）は、針（１１０）に対して回転および並進運動し、側方孔（１１４）を通り過ぎ、側方孔（１１４）を通って突出する組織から組織サンプルを切断するように動作可能である。例えば、カッター（１５０）は、延出位置から後退位置まで動くことができ、これにより、側方孔（１１４）を「開いて」、側方孔を通じて組織を突出させ、その後、後退位置から延出位置に戻って、突出している組織を切断することができる。以下でさらに詳細に説明するように、針（１１０）は、側方孔（１１４）を、針（１１０）の長さ方向軸を中心とした任意の所望の角度位置に向けるように回転され得る。針（１１０）のこのような回転は、本実施例では、以下でさらに詳細に説明するハブ部材（１２０）によって、促進される。
【００１７】
図６で最もよく分かるように、針（１１０）は、先端部（１１２）の近位部分から近位に延びる側壁（１９０）も含む。壁（１９０）は、本実施例ではカニューレ（１１３）の全長に沿って延びていないが、壁（１９０）は、必要に応じてカニューレ（１１３）の全長にわたり延びてよいことを理解されたい。壁（１９０）は、カッター（１５０）に対して側方にありかつ平行な第２の内腔（１９２）の遠位部分を画定する。壁（１９０）は、カッター（１５０）が図６に示すような最近位位置にある場合にカッター（１５０）の遠位切断エッジ（１５２）の場所にすぐ近位の長さ方向位置で、近位側が終端している。カッター（１５０）の外部およびカニューレ（１１３）の内部は一緒になって、壁（１９０）の近位端部より近位にある、針（１１０）の長さにおける第２の内腔（１９２）の近位部分を画定する。
【００１８】
壁（１９０）は、複数の開口部（１９４）を含み、これらの開口部（１９４）は、第２の内腔（１９２）と、壁（１９０）より上かつ側方孔（１１４）より下のカニューレ（１１３）内部の領域との間に、流体連通をもたらす。このことは、以下でさらに詳細に説明するように、第２の内腔（１９２）と、カッター（１５０）の内部により画定された内腔（１５１）との間に、流体連通をさらにもたらす。開口部（１９４）は、少なくとも１つの開口部（１９４）が側方孔（１１４）の遠位エッジより遠位の長さ方向位置に位置するように、配列される。よって、カッター（１５０）の内腔（１５１）および第２の内腔（１９２）は、カッター（１５０）の遠位切断エッジが側方孔（１１４）の遠位エッジの長さ方向位置より遠位の長さ方向位置にくる位置までカッター（１５０）が前進させられた場合であっても、流体連通したままであることができる。このような構成の実施例は、開示が参照により本明細書に組み込まれる、「Methods and Devices for Automated Biopsy and Collection of Soft Tissue」の名称で２０１１年４月５日に発行された米国特許第７，９１８，８０３号に開示されている。当然、本明細書に記載する任意の他の構成要素と同様に、任意の他の適切な構成を使用することができる。
【００１９】
複数の外部開口部（不図示）も、針（１１０）に形成されてよく、これらの外部開口部は、第２の内腔（１９２）と流体連通していてよい。例えば、このような外部開口部は、開示が参照により本明細書に組み込まれる、「Biopsy Device with Vacuum Assisted Bleeding Control」の名称で２００７年２月８日に公開された米国特許出願公開第２００７／００３２７４２号の教示に従って、構成され得る。当然、本明細書に記載する他の構成要素と同様に、針（１１０）における、このような外部開口部は、単なるオプションである。
【００２０】
本実施例のハブ部材（１２０）は、針（１１０）の周りにオーバーモールドされ、ハブ部材（１２０）および針（１１０）は、互いと一体的に回転および並進運動する。ほんの一例として、針（１１０）は金属から形成されてよく、ハブ部材（１２０）は、ハブ部材（１２０）を針（１１０）に一体的に固定して形成するように針（１１０）の周りにオーバーモールドされる、プラスチック材料で形成されてよい。ハブ部材（１２０）および針（１１０）は、代わりに、任意の他の適切な材料で形成されてよく、また、任意の他の適切な様式で、互いに固定されてよい。ハブ部材（１２０）は、環状フランジ（１１８）および指回し式円形板（１１６）を含む。歯車（１３０）は、ハブ部材（１２０）の近位部分上にスライド可能かつ同軸に配され、ハブ部材（１２０）に連動され（keyed）、歯車（１３０）の回転によりハブ部材（１２０）および針（１１０）が回転するが、ハブ部材（１２０）および針（１１０）は、歯車（１３０）に対して並進運動することができる。歯車（１３０）は、以下でさらに詳細に説明するように、歯車（２１２）により回転可能に駆動される。あるいは、針（１１０）は、指回し式円形板（１１６）を回転させることにより、回転し得る。針（１１０）を手動で回転させ得る、さまざまな他の適切な方法は、本明細書の教示を鑑みれば当業者には明らかであろう。本明細書に引用するさまざまな参考文献に記載される自動的な針回転のさまざまな形態を含むがこれらに制限されない、種々の方法で、針（１１０）の回転が自動化され得ることも、理解されたい。ほんの一例として、開示内容が参照により本明細書に組み込まれる、「Biopsy Device with Motorized Needle Firing」の名称の米国特許出願公開第２０１２／０２６５０９５号の教示の少なくとも一部に従って、針発射機構（２２４）によって、針（１１０）は、シャシー（１０６）および上方ハウジング（１０２）に対して長さ方向に並進運動され得る。
【００２１】
図４〜図７に示すように、マニホールド（１２２）が、針（１１０）の近位端部に設けられる。マニホールド（１２２）は、中空内部（１２４）を画定し、中空内部（１２４）と流体連通するポート（１２６）を含む。図６で最もよく分かるように、中空内部（１２４）は、針（１１０）の第２の内腔（１９２）とも流体連通する。ポート（１２６）は、チューブ（４６）と連結され、マニホールド（１２２）は、第２の内腔（１９２）とチューブ（４６）との間に流体連通をもたらす。マニホールド（１２２）はまた、針（１１０）の外部に対してシールしており、マニホールド（１２２）は、針（１１０）が、例えば針（１１０）を発射させる間または針（１１０）を新たな方向に向ける間のそれぞれで、マニホールド（１２２）に対して並進運動および／または回転した場合でも、第２の内腔（１９２）とチューブ（４６）との間に流体密封の連結をもたらす。図４に示すように、チューブ（４６）は、Ｙ字型の付属品（Y-fitting）（４４）により、チューブ（３０、４０）と連結され、チューブ（４６）は、弁組立体（９０）の作動に基づき、チューブ（３０、４０）から真空、大気、または食塩水を受け取ることができる。したがって、チューブ（４６）およびマニホールド（１２２）は、第２の内腔（１９２）に真空、大気、または食塩水を提供し得ることを、理解されたい。クリップ（４８）が、チューブ（４６）を選択的に閉じるように動作可能である。
【００２２】
図４に示すように、針（１１０）は、取り外し可能なカバー（１１５）を備えることができる。この実施例のカバー（１１５）は、弾性的に付勢されたラッチ（１１７）を含み、ラッチ（１１７）は、指回し式円形板（１１６）に係合して、これによりカバー（１１５）を針（１１０）に取り外し可能に固定するように構成される。カバー（１１５）は、ラッチ（１１７）が指回し式円形板（１１６）と係合されると先端部（１１２）を覆うように構成され、カバー（１１５）は、生検装置（１０）のユーザーを、先端部（１１２）との不用意な接触から保護する。カバー（１１５）は、カニューレ（１１３）に対してシールするために、カバー（１１５）の近位端部および／または遠位端部の近くに１つまたは複数のワイパーシールを含むこともできる。ほんの一例として、カバー（１１５）は、開示が参照により本明細書に組み込まれる、米国仮特許出願第６１／５６６，７９３号の教示の少なくとも一部に従って構成され得る。カバー（１１５）のさまざまな他の適切な構成は、本明細書の教示を鑑みれば当業者には明らかであろう。当然、カバー（１１５）は、必要に応じて、単に省略されてもよい。本明細書に記載される他の構成要素と同様に、針（１１０）が、さまざまな方法で変更、改変、置換、もしくは補足され得ること、および、針（１１０）が、さまざまな代替的特徴部、構成要素、構成、および機能性を有し得ることも、理解されたい。例えば、針（１１０）は、開示が参照により本明細書に組み込まれる米国特許出願公開第２００８／０２１４９５５号の教示に従って、かつ／または本明細書に引用する任意の他の参考文献の教示に従って、構成されることもできる。
【００２３】
Ｂ．例示的なカッター組立体
前述のとおり、カッター（１５０）は、針（１１０）に対して同時に並進運動および回転して、側方孔（１１４）を通って突出する組織から組織サンプルを切断するように動作可能である。図５および図７〜図８で最もよく分かるように、カッター（１５０）は、カッター（１５０）に一体的に固定されたオーバーモールド（１６０）を含む。オーバーモールド（１６０）は、概して滑らかな円筒状の遠位部分（１６６）、オーバーモールド（１６０）の中間領域にあるねじ山（１６２）、およびオーバーモールド（１６０）の近位部分に沿って延びる一組の六角形平坦部（１６４）を含む。遠位部分（１６６）は、マニホールド（１２２）内へ延びる。マニホールド（１２２）は、遠位部分（１６６）に対してシールしており、マニホールド（１２２）は、カッター（１５０）がマニホールド（１２２）に対して並進運動および回転された場合でも、第２の内腔（１９２）とチューブ（４６）との間の流体密封連結を維持する。
【００２４】
歯車（１４０）が、平坦部（１６４）上に位置付けられており、平坦部（１６４）を補完する一組の内側平坦部（不図示）を含んでいる。よって、歯車（１４０）は、歯車（１４０）が回転する際にオーバーモールド（１６０）およびカッター（１５０）を回転させる。しかしながら、オーバーモールド（１６０）は、歯車（１４０）に対してスライド可能であり、カッター（１５０）は、歯車（１４０）がシャシー（１６０）に対して長さ方向に固定されているにもかかわらず、シャシー（１６０）に対して並進運動することができる。前記のとおり、また、以下でさらに詳細に説明するように、歯車（１４０）は、歯車（２３０）により回転される。図７〜図８で最もよく分かるように、ナット（１４２）が、オーバーモールド（１６０）のねじ山（１６２）と結合される。具体的には、ナット（１４２）は、オーバーモールド（１６０）のねじ山（１６２）と噛み合う雌ねじ山（１４４）を含む。ナット（１４２）は、シャシー（１６０）に対してしっかりと固定される。よって、歯車（１４０）がカッター（１５０）およびオーバーモールド（１６０）を回転させると、カッター（１５０）は、ねじ山（１４４、１６２）の噛み合いにより、同時に並進運動する。いくつかのバージョンでは、前述したカッター作動構成要素は、開示が参照により本明細書に組み込まれる、米国特許出願公開第２００８／０２１４９５５号の教示の少なくとも一部に従って、さらに構成される。さらに別の単に例示的な実施例として、カッター（１５０）は、空気モーターなどを用いて、回転および／または並進運動され得る。カッター（１５０）が作動され得る、さらに他の適切な方法は、本明細書の教示を鑑みれば当業者には明らかであろう。
【００２５】
Ｃ．例示的な組織サンプルホルダーインターフェース
図１０〜図１１で最もよく分かるように、シール部材（１７０）が、シャシー（１０６）の近位端部に設けられており、組織サンプルトレー（３５０）の円形部材（３５４）の遠位面と協調する。本実施例では、シール部材（１７０）はゴムを含むが、任意の他の適切な材料を使用し得ることを、理解されたい。シール部材（１７０）は、長さ方向に延びるカッターシール（１７２）を含み、カッターシール（１７２）は、カッター（１５０）を受容し、カッター（１５０）の外部に対してシールする。カッター（１５０）の近位端部は、カッター（１５０）の移動の全範囲にわたり、カッターシール（１７２）内にとどまる。カッターシール（１７２）は、カッター（１５０）の回転および並進運動中を含め、このあらゆる範囲の運動中、カッター（１５０）に対する流体密封シールを維持する。開口部（１７４）が、シール部材（１７０）の近位端部に位置付けられる。開口部（１７４）は、カッター（１５０）の内腔（１５１）と流体連通していることを、理解されたい。開口部（１７４）が、カッター（１５０）の内腔（１５１）と同軸上に整列されていることも理解されたい。よって、以下でさらに詳細に説明するように、カッター（１５０）の内腔（１５１）を通って近位に引き寄せられた、切断された組織サンプルは、最終的に、開口部（１７４）を通って近位側に出て、組織サンプルホルダー（３００）に入ることになる。
【００２６】
シール部材（１７０）は、開口部（１７４）の下に位置付けられる別の開口部（１７６）も含む。図９および図１１で最もよく分かるように、開口部（１７６）は、チューブ（２０）と連結される、ポート（１７８）と流体連通する。よって、シール部材（１７０）は、ポート（１７８）を介してチューブ（２０）と開口部（１７６）との間に流体連通をもたらす。チューブ（２０）は、前述のとおり、真空制御モジュール（２５０）にある真空源と流体連通しており、真空を開口部（１７６）に適用することができる。このような真空は、以下でさらに詳細に説明するように、組織サンプルホルダー（３００）に、そして最終的にはカッター（１５０）の内腔（１５１）に、さらに伝えられることができる。
【００２７】
これも図１０で分かるように、シャシー（１０６）は、一対の外側に延びる差し込みピン（bayonet pins）（１０９）を含み、これらの差し込みピンは、以下でさらに詳細に説明するように、組織サンプルホルダー（３００）をプローブ（１００）に固定するように構成されている。
【００２８】
ＩＩＩ．引き抜きハンドルを備えた例示的な組織サンプルホルダー組立体
本実施例の組織サンプルホルダー（３００）は、カップ型カバー（３０２）内部に配された組織サンプルトレー（３５０）を含む。組織サンプルホルダー（３００）は、カッター（１５０）により切断され、カッター（１５０）の内腔（１５１）を通って近位に送られた組織サンプルを受容するように構成されている。いくつかのバージョンのプローブ（１００）は、プローブ（１００）の近位部分に回転部材（１８０）を提供している。回転部材（１８０）は、シャシー（１０６）に対して長さ方向に固定されているが、シャシー（１０６）に対して回転可能である。回転部材（１８０）は、一体型歯車（１８２）を含み、この一体型歯車（１８２）は、プローブ（１００）およびホルスター（２００）が互いに連結されると、ホルスター（２００）の歯車（２４０）と噛み合う。回転歯車は、いくつかのバージョンの組織サンプルホルダーの回転可能な構成要素に係合するように動作可能な把持特徴部（１８４）を含む。例えば、開示内容が参照により本明細書に組み込まれる、「Biopsy System」の名称で２０１４年２月６日に公開された米国特許出願公開第２０１４／００３９３４３号は、このような回転可能な組織サンプルホルダーを開示している。組織サンプルホルダー（３００）の組織サンプルトレー（３５０）は、回転部材（１８０）の把持特徴部（１８４）を収容する凹部（３０７）を提供しており、把持特徴部（１８４）のいかなる回転も、凹部（３０７）内部で起こり、組織サンプルホルダー（３００）に対して影響を及ぼさない。組織サンプルホルダー（３００）は、単独で、または、米国特許出願公開第２０１４／００３９３４３号で教示されるような多チャンバの組織サンプルホルダーと共に、キットの形で提供されてもよく、オペレーターは、プローブ（１００）と連結されるのはどの組織サンプルホルダーであるか選択し得ることを、認識されたい。
【００２９】
図１２〜図１６で最もよく分かるように、本実施例のカバー（３０２）は、カバー（３０２）の遠位開口部（３１０）を通じて組織サンプルトレー（３５０）を受容するように構成された内部チャンバ（３０６）を含む。図１３で最もよく分かるように、内部チャンバ（３０６）の遠位部分（３１４）は、ショルダーまたはリップ（３１２）を提供する。リップ（３１２）は、内部チャンバ（３０６）の円形内表面から、以下でさらに詳細に論じるカバー（３０２）の内部チャンバ（３０６）の近位部分（３２４）の複数の特徴部により画定される内部エッジ（３１８）まで、内側に延びている。図１４で最もよく分かるように、リップ（３１２）は、傾斜した環状遠位面を呈している。リップ（３１２）の傾斜した遠位面は、遠位部分（３１２Ａ）および近位部分（３１２Ｂ）を含む。遠位部分（３１２Ａ）および近位部分（３１２Ｂ）は、リップ（３１２）の半径方向に向かい合った側に配される。遠位部分（３１２Ａ）は、近位部分（３１２Ｂ）より遠位の長さ方向位置を有するリップ（３１２）の一部を提供する。リップ（３１２）の傾斜した遠位面は、遠位部分（３１２Ａ）と近位部分（３１２Ｂ）との間に配された中間部分（３１２Ｃ、３１２Ｄ）をさらに含む。中間部分（３１２Ｃ、３１２Ｄ）は、平坦であり、リップ（３１２）の向かい合った側に沿って遠位部分（３１２Ａ）と近位部分（３１２Ｂ）との間に実質的に滑らかな移行をもたらすように傾斜している。
【００３０】
図１４で最もよく分かるように、内部チャンバ（３０６）の近位部分（３２４）は、内部チャンバ（３０６）の近位表面（３２２）からリップ（３１２）のエッジ（３１８）に向かって下方に傾斜している、弓状に傾斜した内表面（３０８）を画定している。以下でさらに詳細に論じるように、弓状に傾斜した内表面（３０８）は、内部チャンバ（３０６）内部の動作位置まで流体を案内するように構成され、この流体は、内部チャンバ（３０６）から引き出され得る。再び図１３を参照すると、内部チャンバ（３０６）の近位部分（３２４）は、内部チャンバ（３０６）の近位表面（３２２）からリップ（３１２）のエッジ（３１８）まで延びる、一対の長さ方向リップ（３２０Ａ、３２０Ｂ）をさらに提供する。以下でさらに詳細に論じるように、組織サンプルトレー（３５０）は、リップ（３２０Ａ、３２０Ｂ）に沿ってスライドしてカバー（３０２）を出入りするように動作可能である。近位部分（３２４）の残りの部分は、内部チャンバ（３０６）の近位表面（３２２）からリップ（３１２）のエッジ（３１８）まで延びる弓状表面（３２６）を提供する。
【００３１】
図１２で最もよく分かるように、カバー（３０２）は、一対の差し込みピンスロット（bayonet slots）（３０４）を含み、これらの差し込みピンスロット（３０４）は、シャシー（１０６）の、噛み合う一対の差し込みピン（１０９）と連結されるように構成され、これにより、カバー（３０２）とシャシー（１０６）との間に連結をもたらす。図１０で最もよく分かるように、差し込みピン（１０９）は、シャシー（１０６）の近位端部において１２時の位置および６時の位置に配されており、カバー（３０２）の差し込みピンスロット（３０４）の間隔を補完している。代わりに、任意の他の適切な数の差し込みピン（１０９）が、任意の適切な場所に設けられ得る。差し込みピン特徴部（１０９、３０４）は、本実施例ではカバー（３０２）とシャシー（１０６）との間の連結をもたらすが、任意の他の適切なタイプの連結（例えば、ねじ山による連結、スナップ嵌め連結など）を用いてよいことも、理解されたい。
【００３２】
Ａ．傾斜した遠位面を備えた例示的な組織サンプルトレー
図１４および図１６〜図２２は、本実施例の組織サンプルトレー（３５０）を示す。組織サンプルトレー（３５０）は、円形部材（３５４）を含む。凹部（３０７）が、円形部材（３５４）に形成されている。以下でさらに詳細に論じるように、円形部材（３５４）の一部（３８２）が、凹部（３０７）を収容するように、トレー（３５０）の組織受容区画（３９０）内へ近位に突出している。図１４で最もよく分かるように、円形部材（３５４）は、組織サンプルホルダー（３００）の長さ方向軸に垂直な平面に沿って延びている。よって、円形部材（３５４）は、組織サンプルトレー（３５０）がカバー（３０２）の内部チャンバ（３０６）内部に位置付けられるとリップ（３１２）の傾斜した遠位面に係合するように構成されている、傾斜した環状近位面（３５６）を提供する。傾斜した近位面（３５６）は、遠位部分（３５６Ａ）および近位部分（３５６Ｂ）を含む。遠位部分（３５６Ａ）および近位部分（３５６Ｂ）は、円形部材（３５４）の半径方向に向かい合った側に配されている。遠位部分（３５６Ａ）は、近位部分（３５６Ｂ）より遠位の長さ方向位置を有する、傾斜した近位面（３５６）の一部を提供する。傾斜した近位面（３５６）は、遠位部分（３５６Ａ）と近位部分（３５６Ｂ）との間に配された中間部分（３５６Ｃ、３５６Ｄ）をさらに含む。中間部分（３５６Ｃ、３５６Ｄ）は、平坦であり、円形部材（３５４）の向かい合った側に沿って遠位部分（３５６Ａ）と近位部分（３５６Ｂ）との間に実質的に滑らかな移行をもたらすように傾斜している。円形部材（３５４）の傾斜した近位面（３５６）は、組織サンプルトレー（３５０）がカバー（３０２）に十分に挿入されると傾斜した近位面（３５６）がリップ（３１２）の傾斜した遠位面と完全に並置されるように構成されている。いくつかのバージョンの組織サンプルホルダー（３００）では、円形部材（３５４）の傾斜した近位面（３５６）は、傾斜した近位面（３５６）がリップ（３１２）の傾斜した遠位面と噛み合い、それにより流体シールを形成するように、構成され得ることを、理解されたい。
【００３３】
円形部材（３５４）の外周部は、Ｏリング状の円形シール（３５８）を提供する。シール（３５８）は、カバー（３０２）の遠位部分（３１４）の円形内表面に係合し、これにより、流体シールを形成するように構成されている。よって、シール（３５８）は、カバー（３０２）の内部チャンバ（３０６）の近位部分（３２４）とカバー（３０２）の内部チャンバ（３０６）の遠位部分（３１４）との間でカバー（３０２）の内表面に対して円形部材（３５４）の外側周囲を流体シールすることを、理解されたい。言い換えれば、円形シール（３５８）は、カバー（３０２）との流体密封の嵌め合いをもたらす。
【００３４】
組織サンプルトレー（３５０）は、傾斜した床部（３６８）、一対の側壁（３６４Ａ、３６４Ｂ）、および近位壁（３６６）をさらに含み、これらは、以下でさらに詳細に論じるように、一緒になって組織受容区画（３９０）を形成する。傾斜した床部（３６８）は、近位壁（３６６）から、円形部材（３５４）の傾斜した近位面（３５６）の近位部分（３５６Ａ）まで遠位に延びる。傾斜した床部（３６８）は、弓状に傾斜した内表面（３０８）と同様の角度で、近位壁（３６６）から円形部材（３５４）の傾斜した近位面（３５６）まで下方に傾斜している。図１４に示すように、隙間が、組織サンプルトレー（３５０）の傾斜した床部（３６８）の下側とカバー（３０２）の弓状に傾斜した内表面（３０８）との間に画定されている。生検処置中に組織サンプルホルダー（３００）に引き込まれた流体（例えば、血液、食塩水など）が、この隙間内を流れ得ることを、理解されたい。傾斜した床部（３６８）は、傾斜した床部（３６８）を完全に通過する複数の孔（３７０）を含む。孔（３７０）は、組織受容区画（３９０）から、傾斜した床部（３６８）とカバー（３０２）の弓状に傾斜した内表面（３０８）との間の隙間内へと流体を通過させるように構成されている。
【００３５】
側壁（３６４Ａ、３６４Ｂ）は、近位壁（３６６）から円形部材（３５４）の傾斜した近位面（３５６）まで遠位に延びる。各壁（３６４Ａ、３６４Ｂ）の底部は、傾斜した床部（３６８）と接続している。よって、円形部材（３５４）、傾斜した床部（３６８）、側壁（３６４Ａ、３６４Ｂ）、および近位壁（３６６）が一緒になって組織受容区画（３９０）を形成していることを、理解されたい。以下でさらに詳細に論じるように、この組織受容区画（３９０）は、カッター（１５０）の内腔（１５１）を通って内部チャンバ（３０６）に引き込まれる組織サンプルを受容するように向けられている。図１５および図１９で最もよく分かるように、各壁（３６４Ａ、３６４Ｂ）は、壁（３６４Ａ、３６４Ｂ）の上方部分から外側に突出する、長さ方向に延びるフランジ（３７２Ａ、３７２Ｂ）を提供する。フランジ（３７２Ａ、３７２Ｂ）は、組織サンプルトレー（３５０）が内部チャンバ（３０６）の中に位置付けられると、カバー（３０２）の内部チャンバ（３０６）の長さ方向リップ（３２０Ａ、３２０Ｂ）に載るように構成されている。
【００３６】
図１７および図１８で最もよく分かるように、円形部材（３５４）は、遠位面（３６０）を提供する。遠位面（３６０）は、円形部材（３５４）を完全に通り抜ける楕円開口部（３５２）を含み、開口部（３５２）は、組織受容区画（３９０）と流体連通する。遠位面（３６０）は、楕円弓状開口部（３５５）をさらに含み、これは、遠位面（３６０）から円形部材（３５４）の水溜め部分（sump portion）（３８２）内へと延びる。図２１および図２２で最もよく分かるように、水溜め部分（３８２）は、開口部（３５５）と流体連通している、一対の下方に延びる真空内腔（３７４、３７６）を画定する。以下でさらに詳細に説明するように、真空内腔（３７４、３７６）および開口部（３５５）は、協働して、真空を内部チャンバ（３０６）に与えるように構成されている。図１５で最もよく分かるように、真空内腔（３７４、３７６）は、凹部（３０７）の両側で、円形部材（３５４）の水溜め部分（３８２）を貫通する。第１の真空内腔（３７４）は、内部チャンバ（３０６）の第１の側方部分と流体連通し、第２の真空内腔（３７６）は、内部チャンバ（３０６）の第２の側方部分と流体連通している。
【００３７】
図１５、図１９および図２０に示すように、本実施例の組織サンプルトレー（３５０）は、第２の真空内腔（３７６）と関連する、下方に延びるリップ（３７７）をさらに含み、第２の真空内腔（３７６）は、第１の真空内腔（３７４）よりもさらに、弓状に傾斜した内表面（３０８）に向かって下方に延びる。本実施例では、リップ（３７７）は、内表面（３０８）に接触しない。第２の真空内腔（３７６）は、リップ（３７７）と内表面（３０８）が近接しているので、流体を引き寄せる可能性が高いであろうことを、理解されたい。言い換えれば、リップ（３７７）は、組織サンプルホルダー（３００）内の流体の高さがリップ（３７７）に到達するとすぐに、第２の真空内腔（３７６）における吸引を増大させ得る。
【００３８】
再び図１０〜図１１を参照すると、シール部材（１７０）は、組織サンプルホルダー（３００）がプローブ（１００）に固定されると、組織サンプルトレー（３５０）の円形部材（３５４）の遠位面と協調する。シール部材（１７０）の開口部（１７４）は、楕円開口部（３５２）と整列するように構成されている。組織サンプルホルダー（３００）がプローブ（１００）に固定されると、シール部材（１７０）は、円形部材（３５４）の遠位面に対してシールし、開口部（１７４、３５２）は、流体密封的に流体連通している。前述のとおり、開口部（１７４）は、カッター（１５０）の内腔（１５１）とも流体連通し、開口部（１７４）は、カッター（１５０）の内腔（１５１）と同軸上に整列される。よって、カッター（１５０）の内腔（１５１）を通って近位に引き寄せられた、切断された組織サンプルは、最終的に、開口部（１７４）を通って近位側に出て、開口部（３５２）内へと入る。
【００３９】
シール部材（１７０）の開口部（１７６）は、楕円弓状開口部（３５５）と整列するように構成されている。組織サンプルホルダー（３００）がプローブ（１００）に固定されると、シール部材（１７０）は、円形部材（３５４）の遠位面に対してシールされ、開口部（１７６、３５５）は、流体密封的に流体連通する。前述のとおり、開口部（１７６）は、チューブ（２０）と連結されたポート（１７８）と流体連通している。よって、シール部材（１７０）は、ポート（１７８）および開口部（１７６）を介して、チューブ（２０）と第２の楕円弓状開口部（３５６）との間に流体連通をもたらす。さらに前述のとおり、チューブ（２０）は、真空制御モジュール（２５０）にある真空源と流体連通し、真空は、開口部（１７６、３５６）を介して組織サンプルホルダー（３００）に適用され得る。組織サンプルホルダー（３００）は、開口部（１７４）およびカッターシール（１７２）を介してカッター（１５０）の内腔（１５１）に、この真空をさらに伝えることができる。よって、チューブ（２０）から適用された真空は、最終的に、カッター（１５０）の内腔（１５１）に到達し、内腔（１５１）を通じて組織サンプルホルダー（３００）まで組織サンプルを近位に送ることができる。
【００４０】
カバー（３０２）、組織サンプルトレー（３５０）、およびシール部材（１７０）が協働して、シールされたシステムが形成され、このシステムにより、真空が、チューブ（２０）、楕円弓状開口部（３５５）、真空内腔（３７４、３７６）、内部チャンバ（３０６）、複数の孔（３７０）、楕円開口部（３５２）を通ってカッター（１５０）の内腔（１５１）内に伝えられることを、前記したことから理解されたい。カッター（１５０）の内腔（１５１）に伝えられた、この真空は、楕円開口部（３５２）を通じて、組織受容区画（３９０）内へ、切断された組織サンプルを引き込むように動作可能である。組織受容区画（３９０）に引き込まれた流体は、孔（３７０）を通過し、組織サンプルトレー（３５０）の傾斜した床部（３６８）とカバー（３０２）の弓状に傾斜した内表面（３０８）との間に画定された隙間に入ることができる。この流体は、次に、この隙間から、第２の真空内腔（３７６）へと引き込まれ得る。流体は、開口部（３５５、１７６）を介してチューブ（２０）にさらに送られ得る。言い換えれば、チューブ（２０）は、カッター（１５０）の内腔（１５１）を通じて吸引をもたらすのに加え、組織サンプルホルダー（３００）から流体を吸引するのに使用され得る。
【００４１】
各組織サンプルが組織サンプルホルダー（３００）内へと近位に引き込まれ、組織受容区画（３９０）内部に捕捉された後、ユーザーは、プローブ（１００）から組織サンプルホルダー（３００）を取り外し、次に、カバー（３０２）から組織サンプルトレー（３５０）を取り外し、これにより、組織サンプルにアクセスすることができる。ユーザーが組織サンプルトレー（３５０）をカバー（３０２）から取り外すのを助けるため、本実施例の組織サンプルトレー（３５０）は、弓状ハンドル（３７８）を含む。ハンドル（３７８）は、一対のリビングヒンジ（３７９）によって円形部材（３５４）に接続されている。リビングヒンジ（３７９）により、ハンドル（３７８）は、組織サンプルホルダー（３００）がプローブ（１００）と連結されたときに円形部材（３５４）とシール部材（１７０）との間の流体シールに干渉しない地点まで、曲がることができる。リビングヒンジ（３７９）により、さらに、ハンドル（３７８）は、ユーザーがハンドル（３７８）をつかむのが容易になるように円形部材（３５４）から離れて曲がることができる。
【００４２】
図１４で最もよく分かるように、近位壁（３６６）は、内部チャンバ（３０６）の弓状表面（３２６）に係合するように構成された、外側に延びる弓状エッジ（３８０）を含む。エッジ（３８０）は、弓状表面（３２６）を押し、エッジ（３８０）は、組織サンプルトレー（３５０）がカバー（３０２）から取り外されるときにあらゆる流体または組織破片を弓状表面（３２６）から除去するワイパーとして作用する。シール（３５８）は、組織サンプルトレー（３５０）がカバー（３０２）から取り外されるときにカバー（３０２）の遠位部分（３１４）内部のあらゆる流体または組織破片を除去するワイパーとしても作用し得ることを、理解されたい。
【００４３】
Ｂ．真っすぐな遠位面を備えた例示的な組織サンプルトレー
図２３〜図２４は、例示的な代替的組織サンプルホルダー（４００）を示す。組織サンプルホルダー（４００）は、以下で論じる相違点を除き、前述した組織サンプルホルダー（３００）と実質的に同様に動作するように構成されている。具体的には、本実施例の組織サンプルホルダー（４００）は、チューブ（２０）からカッター（１５０）の内腔（１５１）内へ真空を通し、これによりカッター（１５０）の内腔（１５１）から、組織受容区画（４９０）内へ組織サンプルを引き込むのを容易にするよう構成されている。
【００４４】
本実施例の組織サンプルホルダー（４００）は、カップまたはカバー（４０２）と、組織サンプルトレー（４５０）と、を含む。組織サンプルトレー（４５０）は、円形部材（４５４）を含む。図２４で最もよく分かるように、円形部材（４５４）は、組織サンプルトレー（４５０）がカバー（４０２）の内部チャンバ（４０６）内部に位置付けられると、カバー（４０２）のリップ（４１２）に係合するように構成された、環状近位面（４５６）を提供する。環状近位面（４５６）は、この実施例では傾斜していない。具体的には、環状近位面（４５６）は、組織サンプルホルダー（４００）の長さ方向軸に垂直な平面に沿って延びる。いくつかのバージョンの組織サンプルホルダー（４００）では、円形部材（４５４）の近位面（４５６）は、近位面（４５６）がリップ（４１２）と噛み合い、これにより流体シールを形成するように構成され得ることを、理解されたい。
【００４５】
図２４〜図２５に示すように、円形部材（４５４）の外周部の第１の部分は、Ｏリング状の弓状シール（４５８）を提供する。シール（４５８）は、この実施例では、円形部材（４５４）の外周部の上方部分に沿って延びているのみである。シール（４５８）は、カバー（４０２）の遠位部分（４１４）の円形内表面の第１の部分に係合し、これにより流体シールを形成するように構成されている。円形部材（４５４）の外周部の第２の部分が、弓状ワイパーシール（４５９）を提供する。シール（４５９）は、この実施例では円形部材（４５４）の外周部の下方部分に沿って延びているのみである。シール（４５９）は、カバー（４０２）の遠位部分（４１４）の円形内表面の第２の部分に係合し、これにより流体シールを形成するように構成されている。よって、シール（４５８、４５９）は一緒になって、カバー（４０２）の内部チャンバ（４０６）の近位部分（４２４）とカバー（４０２）の内部チャンバ（４０６）の遠位部分（４１４）との間で、カバー（４０２）の内表面に対し、円形部材（４５４）の外側周囲を流体シールすることを、理解されたい。
【００４６】
前述した相違点とは別に、組織サンプルホルダー（４００）は、組織サンプルホルダー（３００）と同様に構築され、かつ動作可能である。よって、組織サンプルホルダー（３００、４００）は、プローブ（１００）に対して交換可能である。
【００４７】
Ｃ．穿孔された壁および単一の中央水溜めを備えた例示的な組織サンプルトレー
図２６〜図３１は、組織サンプルトレー（４５０）の代わりに組織サンプルホルダー（４００）に容易に組み込まれ得る、例示的な代替的組織サンプルトレー（５５０）を示している。組織サンプルトレー（５５０）は、以下に記載する相違点を除き、組織サンプルトレー（４５０）と実質的に同じである。本実施例の組織サンプルトレー（５５０）は、円形部材（５６０）、近位壁（５７０）、床部（５７２）、および近位壁（５７０）と円形部材（５６０）との間に延びる一対の側壁（５７４、５７６）を含む。円形部材（５６０）、壁（５７０、５７４、５７６）、および床部（５７２）は協働して、組織受容区画（５９０）を画定する。側壁（５７４、５７６）はそれぞれ、組織サンプルトレー（５５０）がカバー（４０２）に挿入されたときにカバー（４０２）に係合するように構成された、外側かつ長さ方向に延びるフランジ（５７５、５７７）を含む。
【００４８】
図２９で最もよく分かるように、円形部材（５６０）は、上方開口部（５６２）、および下方開口部（５６６）を備えた下方凹部（５６４）を画定している。開口部（５６２）および凹部（５６４）は、組織サンプルトレー（５５０）を組み込んだ組織サンプルホルダーがプローブ（１００）と連結されると、シール部材（１７０）の対応する開口部（１７４、１７６）と整列するように構成されている。上方開口部（５６２）は、組織受容区画（５９０）と直接流体連通している。図３１で最もよく分かるように、下方凹部（５６４）は、水溜め内腔（５６８）と流体連通している、下方開口部（５６６）への流体経路を提供する。水溜め内腔（５６８）は、床部（５７２）の遠位端部にある下方開口部（５８０）で終端している。リップ（５８２）が、床部（５７２）から下方に延び、下方開口部（５８０）を取り囲む。リップ（５８２）は、組織サンプルトレー（５５０）がカバー（４０２）に挿入されると、カバー（４０２）の内表面に近接するが、接触はしないように構成されている。よって、リップ（５８２）は、前述したリップ（３７７）と同様に構成され、かつ動作可能である。
【００４９】
本実施例では、複数の排水孔（５５２、５５４、５５６、５５８）が、壁（５７０、５７４、５７６）および床部（５７２）をそれぞれ通って形成されている。側壁（５７４、５７６）のフランジ（５７５、５７７）はまた、複数の排水凹部（５５５、５５７）を含む。チューブ（２０）からの真空が開口部（１７６、５６６）を通って適用されると、このような真空が、水溜め内腔（５６８）および下方開口部（５８０）を介して、床部（５７２）の外側表面とカバー（４０２）の内側表面との間に画定された空間に、また、側壁（５７４、５７６）の外側表面とカバー（４０２）の内側表面との間に画定された空間に、伝えられることを、理解されたい。排水孔（５５２、５５４、５５６、５５８）および排水凹部（５５５、５５７）はすべて、このような真空が組織受容区画（５９０）およびカッター（１５０）の内腔（１５１）に到達するための経路を提供し得ることを、理解されたい。排水孔（５５２、５５４、５５６、５５８）および排水凹部（５５５、５５７）はすべて、流体が組織受容区画（５９０）から排水され、これにより下方開口部（５８０）、水溜め内腔（５６８）および開口部（１７６、５６６）を介して引き出されるための経路を提供し得ることも、理解されたい。
【００５０】
Ｄ．穿孔された壁および二重の水溜めを備えた例示的な組織サンプルトレー
図３２〜図３５は、組織サンプルトレー（４５０）の代わりに組織サンプルホルダー（４００）に容易に組み込まれ得る、別の例示的な代替的組織サンプルトレー（６５０）を示している。組織サンプルトレー（６５０）は、以下に記載する相違点を除き、組織サンプルトレー（４５０）と実質的に同じである。本実施例の組織サンプルトレー（６５０）は、円形部材（６６０）、近位壁（６７０）、床部（６７２）、および近位壁（６７０）と円形部材（６６０）との間に延びる一対の側壁（６７４、６７６）を含む。円形部材（６６０）、壁（６７０、６７４、６７６）、および床部（６７２）は、協働して、組織受容区画（６９０）を画定する。側壁（６７４、６７６）はそれぞれ、組織サンプルトレー（６５０）がカバー（４０２）に挿入されるとカバー（４０２）に係合するように構成された、外側かつ長さ方向に延びるフランジ（６７５、６７７）を含む。
【００５１】
図３５で最もよく分かるように、円形部材（６６０）は、上方開口部（６６２）および下方凹部（６６４）を画定している。開口部（６６２）および凹部（６６４）は、組織サンプルトレー（６５０）を組み込んだ組織サンプルホルダーがプローブ（１００）と連結されると、シール部材（１７０）の対応する開口部（１７４、１７６）と整列されるように構成されている。上方開口部（６６２）は、組織受容区画（６９０）と直接流体連通している。図３４で最もよく分かるように、下方凹部（６６４）は、一対の水溜め内腔（６６６、６６８）と流体連通している。水溜め内腔（６６６）は、床部（６７２）の遠位端部にある下方開口部（６６７）で終端している。水溜め内腔（６６８）は、床部（６７２）の遠位端部にある下方開口部（６６９）で終端している。内腔（６６６、６６８）およびそれらの対応する開口部（６６７、６６９）は、互いから横方向にオフセットしている。リップ（６８２）が、床部（６７２）から下方に延び、下方開口部（６６７）を取り囲んでいる。リップ（６８２）は、組織サンプルトレー（６５０）がカバー（４０２）に挿入されるとカバー（４０２）の内表面に近接するが、接触はしないように構成されている。よって、リップ（６８２）は、前述したリップ（３７７）と同じように構成され、かつ動作可能である。
【００５２】
本実施例では、複数の排水孔（６５２、６５４、６５６、６５８）が、壁（６７０、６７４、６７６）および床部（６７２）をそれぞれ通って、形成されている。側壁（６７４、６７６）のフランジ（６７５、６７７）はまた、複数の排水凹部（６５５、６５７）を含む。排水孔（６５２、６５４、６５６、６５８）および排水凹部（６５５、６５７）は、前述した排水孔（５５２、５５４、５５６、５５８）および排水凹部（５５５、５５７）と実質的に同様に構成され、かつ動作可能である。チューブ（２０）からの真空が開口部（１７６）および凹部（６６４）を通って適用されると、このような真空は、水溜め内腔（６６６、６６８）および下方開口部（６６７、６６９）を介して、床部（６７２）の外側表面とカバー（４０２）の内側表面との間に画定された空間に、また、側壁（６７４、６７６）の外側表面とカバー（４０２）の内側表面との間に画定された空間に、伝えられることを、理解されたい。組織受容区画（６９０）から排水された流体が、下方開口部（６６７、６６９）、水溜め内腔（６６６、６６８）、凹部（６６４）、および開口部（１７６）を介して引き出され得ることを、さらに理解されたい。場合によっては、リップ（６８２）の存在により、開口部（６６９）を通じるよりも、開口部（６６７）を通じた流体の吸引が増大し得る。
【００５３】
図３６は、組織サンプルトレー（４５０）の代わりに組織サンプルホルダー（４００）に容易に組み込まれ得る、別の例示的な代替的組織サンプルトレー（７５０）を示している。組織サンプルトレー（７５０）は、この実施例の組織サンプルトレー（７５０）がリップ（７８２）を備えたただ１つの下方開口部（７６７）を有していることを除き、前述した組織サンプルトレー（６５０）と実質的に同じである。よって、この実施例の組織サンプルトレー（７５０）には、下方開口部（６６９）の等価物がない。組織サンプルトレー（７５０）は、それ以外の点では、組織サンプルトレー（６５０）と同じである。
【００５４】
図３７は、組織サンプルトレー（４５０）の代わりに組織サンプルホルダー（４００）に容易に組み込まれ得る、別の例示的な代替的組織サンプルトレー（８５０）を示している。組織サンプルトレー（８５０）は、この実施例の組織サンプルトレー（８５０）の下方開口部（８６７、８６９）が双方、それぞれのリップ（８８２、８８３）を有していることを除き、前述した組織サンプルトレー（６５０）と実質的に同じである。組織サンプルトレー（８５０）は、それ以外の点では、組織サンプルトレー（６５０）と同一である。
【００５５】
図３８は、組織サンプルトレー（４５０）の代わりに組織サンプルホルダー（４００）に容易に組み込まれ得る、別の例示的な代替的組織サンプルトレー（９５０）を示している。組織サンプルトレー（９５０）は、この実施例の組織サンプルトレー（６５０）がただ１つの下方開口部（６９６）を有していることを除き、前述した組織サンプルトレー（６５０）と実質的に同じである。下方開口部（６９６）は、この実施例ではリップを有していない。よって、この実施例の組織サンプルトレー（９５０）には、下方開口部（９６７）の等価物がない。代わりに、この実施例の組織サンプルトレー（９５０）は、下方開口部（６６７）およびリップ（６８２）が組織サンプルトレー（６５０）の中にある、同じ場所に、シールされ下方に延びる隆起部を含んでいる。組織サンプルトレー（９５０）は、それ以外の点では、組織サンプルトレー（６５０）と同じである。
【００５６】
Ｅ．二重の床部を備えた例示的な組織サンプルトレー
図３９〜図４０は、組織サンプルトレー（３５０）の代わりに組織サンプルホルダー（３００）に容易に組み込まれ得る、別の例示的な代替的組織サンプルトレー（１０００）を示している。組織サンプルトレー（１０００）は、以下に記載する相違点を除き、組織サンプルトレー（３５０）と実質的に同じである。この実施例の組織サンプルトレー（１０００）は、組織受容区画（１０９０）の上に配された開口部（１０６２）を含む円形部材（１０６０）を含む。組織受容区画（１０９０）は、Ｕ字型床部（１０９２）により画定されている。床部（１０９２）は、複数の排水スロット（１０９４）を含む。Ｕ字型床部（１０９２）は、円形部材（１０６０）、床部（１０６２）、側壁（１０６４、１０６６）、および近位壁（１０６８）によって画定された空間の中に位置付けられる。床部（１０６２）は、複数の排水開口部（１０７０）を含む。組織サンプルトレー（１０００）は、チューブ（２０）から真空を提供するように構成されている、一対の下方開口部（１０８０、１０８２）も含む。チューブ（２０）からの真空が、開口部（１０８０、１０８２、１０７０）、スロット（１０９４）、および開口部（１０６２）を介してカッター（１５０）の内腔（１５１）に伝えられ得ることを、理解されたい。カッター（１５０）の内腔（１５１）を通って近位に引き寄せられた、切断された組織サンプルが、床部（１０９２）上に配され得ることも、理解されたい。カッター（１５０）の内腔（１５１）を通って引き出された流体は、スロット（１０９４）および開口部（１０８０、１０８２、１０７０）を通って排水され得、最終的には、下方開口部（１０８０、１０８２）を介してチューブ（２０）を通って引き出され得る。
【００５７】
床部（１０９２）を含めることにより、切断された組織サンプルが、排水開口部（１０７０）を覆うのを防ぐことができ、床部（１０９２）は、複数の切断された組織サンプルが組織受容区画（１０９０）内部に集まっても、すべての排水開口部（１０７０）への実質的に障害のない流体通路（substantially clear fluid path）を維持することができる。言い換えれば、床部（１０９２）は、チューブ（２０）からカッター（１５０）の内腔（１５１）への真空の伝達、および排水開口部（１０７１）を介した流体の排水を促進するのを助けることができる。組織サンプルトレー（１０００）は、その他の点では組織サンプルトレー（３５０）と同じである。
【００５８】
Ｆ．排水スロットを備えた例示的な組織サンプルトレー
図４１は、組織サンプルトレー（３５０）の代わりに組織サンプルホルダー（３００）に容易に組み込まれ得る、別の例示的な代替的組織サンプルトレー（１１００）を示している。組織サンプルトレー（１１００）は、以下に記載する相違点を除き、組織サンプルトレー（３５０）と実質的に同じである。この実施例の組織サンプルトレー（１１００）は、組織受容区画（１１９０）の上に配された開口部（１１６２）を含む円形部材（１１６０）を含む。組織受容区画（１１９０）は、円形部材（１１６０）、床部（１１６１）、側壁（１１６４、１１６６）、および近位壁（１１６８）によって画定される。床部（１１６１）は、複数の排水開口部（１１７１）を含む。側壁（１１６４、１１６６）および近位壁（１１６８）は、それぞれの排水スロット（１１７４、１１７６、１１７８）をさらに含む。排水スロット（１１７４、１１７６、１１７８）は、排水開口部（１１７１）と協働して、組織受容区画（１１９０）および開口部（１１６２）を介したカッターの内腔（１５１）までの真空の経路を提供する。排水スロット（１１７４、１１７６、１１７８）はまた、排水開口部（１１７１）と協働して、組織受容区画（１１９０）から流体を排水させる経路を提供する。組織サンプルトレー（１１００）は、その他の点では組織サンプルトレー（３５０）と同じである。
【００５９】
Ｇ．組織隔離部を備えた例示的な組織サンプルトレー
図４２〜図４３は、組織サンプルトレー（３５０）の代わりに組織サンプルホルダー（３００）に容易に組み込まれ得る、別の例示的な代替的組織サンプルトレー（１２００）を示している。組織サンプルトレー（１２００）は、以下に記載する相違点を除き、組織サンプルトレー（３５０）と実質的に同じである。この実施例の組織サンプルトレー（１２００）は、組織受容区画（１２９０）の上に配される開口部（１２６２）を含む円形部材（１２６０）を含む。組織受容区画（１２９０）は、円形部材（１２６０）、床部（１２６１）、側壁（１２６４、１２６６）、および近位壁（１２６８）によって画定されている。床部（１２６１）は、複数の排水開口部（１２７１）を含む。排水開口部（１２７１）は、組織受容区画（１２９０）および開口部（１２６２）を介した、カッター（１５０）の内腔（１５１）への真空の経路を提供する。排水開口部（１２７１）は、組織受容区画（１２９０）から流体を排水する経路も提供する。
【００６０】
本実施例の組織サンプルトレー（１２００）は、排水開口部（１２７１）間の空間において、床部（１２６１）から上方に延びる複数の隆起部（１２１０）をさらに含む。本実施例では、隆起部（１２１０）は、ドームまたは半球体のように丸みを帯びているが、隆起部（１２１０）は、任意の他の適切な構成を有し得ることを、理解されたい。隆起部（１２１０）は、組織受容区画（１２９０）に集められた組織サンプルの隔離部（standoffs）として作用するように構成され、隆起部（１２１０）は、組織サンプルが、床部（１２６１）上に直接集まって排水開口部（１２７１）を遮るのを防ぐ。よって、隆起部（１２１０）は、複数の切断された組織サンプルが組織受容区画（１２９０）内部に集まっても、すべての排水開口部（１２７１）への、実質的に障害のない流体通路を維持する。言い換えれば、隆起部（１２１０）は、チューブ（２０）からカッター（１５０）の内腔（１５１）への真空の伝達、および排水開口部（１２７１）を介した組織受容区画（１２９０）からの流体の排水を促進するのを助ける。組織サンプルトレー（１２００）は、その他の点では、組織サンプルトレー（３５０）と同じである。
【００６１】
Ｈ．分割部を備えた例示的な組織サンプルトレー
図４４〜図４５は、組織サンプルトレー（３５０）の代わりに組織サンプルホルダー（３００）に容易に組み込まれ得る、別の例示的な代替的組織サンプルトレー（１３００）を示している。組織サンプルトレー（１３００）は、以下に記載する相違点を除き、組織サンプルトレー（３５０）と実質的に同じである。この実施例の組織サンプルトレー（１３００）は、こぶ状の壁（hump wall）（１３１０）の上に配された開口部（１３６２）を含む円形部材（１３６０）と、一対の組織受容区画（１３９０、１３９２）と、を含む。組織受容区画（１３９０）は、円形部材（１３６０）、側壁（１３６６）、こぶ状の壁（１３１０）、および近位壁（１３６８）によって画定されている。組織受容区画（１３９２）は、円形部材（１３６０）、側壁（１３６４）、こぶ状の壁（１３１０）、および近位壁（１３６８）によって画定されている。よって、こぶ状の壁（１３１０）は、組織受容区画（１３９０、１３９２）を分離している。
【００６２】
こぶ状の壁（１３１０）は、横方向に延びる複数の排水スロット（１３１２）を含む。排水スロット（１３１２）は、前記の教示に従って、チューブ（２０）と流体連通している。よって、排水スロット（１３１２）は、開口部（１２６２）を介したカッター（１５０）の内腔（１５１）までの真空の経路を提供する。排水スロット（１３１２）はまた、組織受容区画（１３９０、１３９２）から流体を排水する経路も提供する。例えば、流体は、排水スロット（１３１２）の高さに到達するまで、各組織受容区画（１３９０、１３９２）に集まることができ、この時点で、チューブ（２０）からの真空の影響を受けて流体がスロット（１３１２）を介して引き出される。さらに、または代わりに、切断された組織サンプルが各組織受容区画（１３９０、１３９２）に集まると、組織サンプルは、流体を押しのけることができ、流体がスロット（１３１２）に向かってさらに押し流される。組織サンプルが開口部（１３６２）を通って近位に送られると、こぶ状の壁（１３１０）は、組織サンプルをそらして、組織受容区画（１３９０）または組織受容区画（1３９２）のいずれかの中へ入れることができる。いくつかのバージョンでは、こぶ状の壁（１３１０）、側壁（１３６４、１３６６）、および／または近位壁（１３６８）は、真空の伝達および流体の排水をさらに促進するために追加の排水開口部を含む。
【００６３】
ＩＶ．丸い突出部の付いたカップカバーを備えた例示的な代替的組織サンプルホルダー組立体
場合によっては、外側カバーが円形の断面形状を有していないバージョンの組織サンプルホルダーを提供することが望ましいかもしれない。外側カバーの断面形状を変えることにより、組織サンプルホルダーが真空をチューブ（２０）からカッター（１５０）の内腔（１５１）へ送る能力が改善され得る。さらに、または代わりに、外側カバーの断面形状を変えることにより、組織サンプルホルダーがカッター（１５０）の内腔（１５１）を通って近位に引き寄せられる流体の排水をもたらす能力が改善され得る。非円形の断面形状を有するカバーを備えた組織サンプルホルダーのさまざまな実施例を、以下で詳細に説明するが、他の実施例が、本明細書の教示を鑑みれば、当業者には明らかであろう。
【００６４】
Ａ．棚および連続した排水溝を備えた例示的な組織サンプルホルダー
図４６〜図５２は、組織サンプルホルダー（３００）の代わりにプローブ（１００）と連結され得る、例示的な代替的組織サンプルホルダー（１４００）を示している。この実施例の組織サンプルホルダー（１４００）は、カップ状外側カバー（１４１０）、バスケット（１４２０）、および端部キャップ（１４４０）を含む。本実施例の外側カバー（１４１０）は、３つの丸い突出部（lobes）を有する近位部分を含むので、外側カバー（１４１０）の近位部分は、円形の断面形状を有していない。バスケット（１４２０）は、外側カバー（１４１０）の構成を補完するように構成されている。バスケット（１４２０）は、上方チャネル（１４２２）および複数の排水開口部（１４２４）を画定している。図４９で最もよく分かるように、バスケット（１４２０）が外側カバー（１４１０）の中に配されると、隙間（１４１２）がバスケット（１４２０）と外側カバー（１４１０）との間に画定される。隙間（１４１２）は、バスケット（１４２０）の側方周辺部の周りに延びて、チャネル（１４２２）、端部キャップ（１４４０）、および外側カバー（１４１６）の近位壁（１４１６）で終端している。
【００６５】
図４８〜図４９で最もよく分かるように、本実施例の端部キャップ（１４４０）は、バスケット（１４２０）の遠位端部において嵌合し、外側カバー（１４１０）の環状ショルダー（１４１４）に係合するように構成されている。具体的には、端部キャップ（１４４０）は、環状ショルダー（１４１４）に対してシールし、バスケット（１４２０）の近位壁（１４２６）を、外側カバー（１４１６）の近位壁（１４１６）と係合した状態で保持する。図４７および図５１で最もよく分かるように、端部キャップ（１４４０）の遠位面は、上方開口部（１４４２）および溝（１４５０）を含む。溝（１４５０）は、窪みセクション（１４５２）および複数の開口部（１４５４）を含む。溝（１４５０）は、端部キャップ（１４４０）の遠位面に連続した流体通路を形成する。図４９および図５２で最もよく分かるように、棚（１４４４）が端部キャップ（１４４０）から近位に延びている。棚（１４４４）は、上方開口部（１４４２）の真下に位置付けられている。組織サンプルホルダー（１４００）が組み立てられると、棚（１４４４）は、バスケット（１４２０）の上方チャネル（１４２２）内へ延びる。
【００６６】
組織サンプルホルダー（１４００）がプローブ（１００）に固定されると、上方開口部（１４４２）は、開口部（１７４）と整列するように位置付けられ、窪みセクション（１４５２）は、開口部（１７６）と整列するように位置付けられる。端部キャップ（１４４０）は、組織サンプルホルダー（１４００）がプローブ（１００）に固定されると、シール部材（１７０）に対してシールし、これにより、開口部（１４４２、１７４）間に、また（窪みセクション（１４５２）を介して）開口部（１７６）と溝（１４５０）との間に、流体連通のためのシールされた通路を提供する。よって、カッター（１５０）の内腔（１５１）を通って近位に引き寄せられた、切断された組織サンプルは、最終的には、開口部（１７４、１４４２）を通って近位に出て、棚（１４４４）の上に来る。いくつかのバージョンでは、組織サンプルホルダー（１４００）は、棚（１４４４）およびチャネル（１４２２）が、少なくともカッター（１５０）の内腔（１５１）の内径ほどの大きさである隙間を画定するように、構成されている。これにより、組織サンプルが棚（１４４４）とチャネル（１４２２）との間の空間に詰まるのを防ぐことができる。
【００６７】
チューブ（２０）を通じて適用された真空は、ポート（１７８）、開口部（１７６）および窪みセクション（１５２）を介して溝（１４５０）に伝えられる。溝（１４５０）内のこの真空は、開口部（１４５４）を介して隙間（１４１２）にさらに伝えられる。５つの開口部（１４５４）が図示されているが、溝（１４５０）が任意の適切な位置に任意の他の適切な数の開口部（１４５４）を有し得ることを、理解されたい。隙間（１４１２）内の真空は、開口部（１４２４）を介してバスケット（１４２０）の内部に到達し、最終的には、開口部（１４４２、１７４）を介してカッター（１５０）の内腔（１５１）に到達する。チューブ（２０）からカッター（１５０）の内腔（１５１）に真空が到達するための通路を提供するのに加え、開口部（１４４２、１７４、１４２４）、隙間（１４１２）、開口部（１４５４）、溝（１４５０）、および開口部（１７６）はまた、チューブ（２０）を介して組織サンプルホルダー（１４００）から流体を吸引するための通路を提供する。
【００６８】
カッター（１５０）により切断された組織サンプルが、組織サンプルホルダー（１４００）の棚（１４４４）に送られ得ることを、前述したことから理解されたい。カバー（１４００）およびバスケット（１４２０）の少なくともチャネル（１４２２）が透明である場合、これにより、各切断された組織サンプルを容易に視覚的に検査する機会をオペレーターに与えることができる。切断された組織サンプルは、次に、棚（１４４０）からバスケット（１４２０）の内部へと放出され得る。あるいは、棚（１４４４）に送られる次の組織サンプルが、前のサンプルを棚（１４４４）からバスケット（１４２０）の内部へ押し出すことができる。いったん適切な数の組織サンプルがバスケット（１４２０）の中に集まったら、組織サンプルホルダー（１４００）をプローブ（１００）から取り外すことができる。次に、端部キャップ（１４４０）を取り外して、バスケット（１４２０）内の組織サンプルを出すことができる。場合によっては、組織サンプルは単に、バスケット（１４２０）から放出されるか、またはバスケット（１４２０）から引き出され得る（例えば、鉗子などを使用して）。いくつかの他の場合には、バスケット（１４２０）をカバー（１４１０）から取り外すことができ、バスケット（１４２０）を、中に組織サンプルが入った状態で運ぶことができる。組織サンプルを取り扱い得る他の適切な方法は、本明細書の教示を鑑みれば、当業者には明らかであろう。
【００６９】
Ｂ．棚、排水溝、および短絡溝を備えた例示的な組織サンプルホルダー
図５３〜図５６は、バスケット（１４２０）を回避する短絡部（short circuit）を選択的にもたらすように組織サンプルホルダー（１４００）を改変するのに使用され得る、例示的な構成要素を示している。特に図５３〜図５５は、端部キャップ（１４４０）を置換するのに使用され得る例示的な端部キャップ（１５４０）を示し、図５６は、外側カバー（１４１０）を置換するのに使用され得る例示的な外側カバー（１５１０）を示している。端部キャップ（１５４０）は、端部キャップ（１５４０）が上方開口部（１５４２）、窪みセクション（１５５２）および複数の開口部（１５５４）を備えた溝（１５５０）、ならびに近位に延びる棚（１５４４）を含む点で、端部キャップ（１４４０）と実質的に同じである。端部キャップ（１４４０）とは異なり、この実施例の端部キャップ（１５４０）は、溝（１５５０）から流体的に隔離された第２の溝（１５８０）を含む。本実施例では、溝（１５８０）は溝（１５５０）を中断し、溝（１５５０）は、端部キャップ（１５４０）の遠位面の周囲全体の周りに延びているわけではない。いくつかの他のバージョンでは、溝（１５５０、１５８０）は、溝（１５５０）が端部キャップ（１５４０）の遠位面の周囲全体の周りに延びて、連続した経路を形成するように構成され、配列されている。
【００７０】
本実施例の外側カバー（１５１０）は、直径方向に対向した一対の、二又の差し込みピンスロット（１５２０）を含む。各差し込みピンスロット（１５２０）は、シャシー（１０６）の対応する差し込みピン（１０９）を受容するように構成されている。この実施例の各差し込みピンスロット（１５２０）は、長さ方向に延びるピン進入チャネル（１５２２）、第１の周方向に延びるチャネル（１５２４）、および第２の周方向に延びるチャネル（１５２６）を含む。外側カバー（１５１０）をプローブ（１００）に固定するとき、オペレーターはピン（１０９）を対応する進入チャネル（１５２２）と整列させ、外側カバー（１５１０）をプローブ（１００）に向かって遠位に押す。次にオペレーターは、外側カバー（１５１０）をプローブ（１００）に対して回転させて、ピン（１０９）を、対応する第１の周方向に延びるチャネル（１５２４）または対応する第２の周方向に延びるチャネル（１５２６）のいずれかの中に位置付ける。言い換えれば、外側カバー（１５１０）および端部キャップ（１５４０）を組み込んだ組織サンプルホルダー（１４００）は、プローブ（１００）に対する第１の角度方向またはプローブ（１００）に対する第２の角度方向の間で選択的に位置付けられ得る。第１の角度方向では、ピン（１０９）は、対応する第１の周方向に延びるチャネル（１５２４）の中に配される。第２の角度方向では、ピン（１０９）は、対応する第２の周方向に延びるチャネル（１５２６）の中に配される。いくつかのバージョンでは、第２の角度方向は、第１の角度方向から約５３°オフセットしている。あるいは、任意の他の適切なオフセットを使用し得る。
【００７１】
外側カバー（１５１０）および端部キャップ（１５４０）を組み込んだ組織サンプルホルダー（１４００）が第１の角度方向で配されたら、端部キャップ（１５４０）の開口部（１５４２）は、シール部材（１７０）の開口部（１７４）と整列し、窪みセクション（１５５２）は、シール部材（１７０）の開口部（１７６）と整列する。よって、第１の角度方向にある、この改変された組織サンプルホルダー（１４００）は、前述した（端部キャップ（１４４０）およびカバー（１５１０）を備えた）組織サンプルホルダー（１４００）と実質的に同様に動作する。言い換えれば、第１の角度方向では、組織サンプルは、カッター（１５０）の内腔（１５１）を通って棚（１５４４）の上へと近位に送られ、最終的にはバスケット（１４２０）に入る。カッター（１５０）の内腔（１５１）を通って送られた流体は、開口部（１４２４、１４５４）および溝（１５５０）を介してチューブ（２０）を通じて吸引される。外側カバー（１５１０）および端部キャップ（１５４０）を組み込んだ組織サンプルホルダー（１４００）が第２の角度方向で配されると、第２の溝（１５８０）が、シール部材（１７０）の双方の開口部（１７４、１７６）と流体連通し、開口部（１５４２）および溝（１５５０）はいずれも、対応する開口部（１７４、１７６）から流体的に隔離される。よって、溝（１５８０）は、開口部（１７４、１７６）を互いに連結する短絡部を効果的に提供し、バスケット（１４２０）および組織サンプルホルダー（１４００）の他の内部構成要素／領域を回避する。
【００７２】
場合によっては、１つまたは複数の流体（例えば、薬剤および／もしくは他の種類の流体）を生検部位に投与するためには、第２の角度方向にある外側カバー（１５１０）および端部キャップ（１５４０）を組み込んだ組織サンプルホルダー（１４００）を備えた生検装置（１０）を操作することが望ましい場合がある。例えば、針（１１０）が患者の組織内に配された状態で、カッター（１５０）は、側方孔（１１４）を効果的に開くために、近位位置まで後退され得る。医療用流体（または他の種類の流体）の供給源が、ルアーフィット（３２、４２）のいずれかに連結されて、チューブ（４６）を医療用流体（または他の種類の流体）の供給源と流体連通させることができる。前述のとおり、チューブ（４６）は、マニホールド（１２２）を介して第２の内腔（１９２）と流体連通している。やはり前述したように、第２の内腔（１９２）は、開口部（１９４）を介して側方孔（１１４）と流体連通している。医療用流体（または任意の他の種類の流体）は、これにより、側方孔（１１４）を介して組織まで送達され得る。チューブ（４６）を通じて医療用流体（または他の種類の流体）を引き寄せるのを助けるように、真空がチューブ（２０）を通じて適用され得ることも、理解されたい。開口部（１７４、１７６）間に直接的な流体通路を提供することにより、溝（１５８０）は、この真空がバスケット（１４２０）および組織サンプルホルダー（１４００）の他の内部構成要素／領域を回避するようにする。
【００７３】
外側カバー（１５１０）および端部キャップ（１５４０）を組み込んだ組織サンプルホルダー（１４００）を有する生検装置（１０）が、１回の生検処置中に、第１の角度方向と第２の角度方向とを繰り返すように操作され得ることを、前述したことから理解されたい。例えば、生検装置（１０）は、処置の第１の部分では、改変された組織サンプルホルダー（１４００）が第１の角度方向にある状態で操作されてよく、ここでは、１つまたは複数の組織サンプルがバスケット（１４２０）に集められる。次に、オペレーターは、外側カバー（１５１０）を回転させ（これにより、バスケット（１４２０）および端部キャップ（１５４０）も回転する）、改変された組織サンプルホルダー（１４００）を第２の角度方向にすることができる。第２の角度方向では、オペレーターは、１つまたは複数の流体（例えば、薬剤および／または他の種類の流体）を生検部位に投与することができる。次に、オペレーターは、改変された組織サンプルホルダー（１４００）を再び第１の角度方向に移行させ、１つまたは複数の追加の組織サンプルを収集することができる。第１の角度方向と第２の角度方向を繰り返すことは、何回でも行われ得る。
【００７４】
Ｃ．水溜めおよび短絡溝を備えた例示的な組織サンプルホルダートレー
図５７〜図６２は、組織サンプルホルダー（１４００）の別の変形体を形成するようにカバー（１５１０）と組み合わせられ得る、例示的な代替的バスケット（１６２０）を示している。この実施例のバスケット（１６２０）は、遠位壁（１６４０）、近位壁（１６２６）、一組の側壁（１６２８）、および床部（１６２２）を含む。壁（１６２６、１６２８、１６４０）および床部（１６２２）は一緒になって組織受容区画（１６９０）を画定している。壁（１６２６、１６２８）は、排水開口部（１６２７、１６２９）を含む。本明細書に記載するすべての他の排水開口部と同じように、この実施例の排水開口部（１６２７、１６２９）は、流体が中を通ることができるように十分大きいが、組織サンプルが中を通過するのを防ぐよう十分小さい。
【００７５】
遠位壁（１６４０）は、上方開口部（１６４２）および下方開口部（１６５２）を画定する。図５８および図６１で最もよく分かるように、上方開口部（１６４２）は、組織受容区画（１６９０）と直接連通している。図６１で最もよく分かるように、下方開口部（１６５２）は、バスケット（１６２０）の下側の水溜め開口部（１６７２）で終端する水溜め内腔（１６７０）と連通している。水溜め開口部（１６７２）は、環状リップ（１６７４）で囲まれている。図５８〜図５９で最もよく分かるように、一対のリップ（１６７６、１６７８）は、水溜め開口部（１６７２）の各側面において、バスケット（１６２０）の下側の全長に沿って、長さ方向に延びる。リップ（１６７６、１６７８）は、バスケット（１６２０）がカバー（１５１０）に挿入されると、リップ（１６７６、１６７８）とカバー（１５１０）の内側表面との間に小さな隙間を画定するように構成されている。リップ（１６７４）はまた、バスケット（１６２０）がカバー（１５１０）に挿入されると、リップ（１６７４）とカバー（１５１０）の内側表面との間に小さい隙間を画定するように構成されているが、リップ（１６７４）におけるこの隙間は、リップ（１６７６、１６７８）における隙間よりわずかに大きい。
【００７６】
遠位壁（１６４０）の遠位面は、溝（１５８０）と実質的に同様に構成され、動作可能である、溝（１６８０）を含む。前述したバスケット（１４２０）および端部キャップ（１５４０）と同じように、この実施例のバスケット（１６２０）は、２つの異なる角度方向で、カバー（１５１０）と組み合わせられ、プローブ（１００）と連結され得る。第１の角度方向では、上方開口部（１６４２）は、シール部材（１７０）の開口部（１７４）と整列し、下方開口部（１６５２）は、シール部材（１７０）の開口部（１７６）と整列する。よって、真空がチューブ（２０）および開口部（１７６）を介して適用されると、この真空は、下方開口部（１６５２）、水溜め内腔（１６７０）、および水溜め開口部（１６７２）を通って、バスケット（１６２０）とカバー（１５１０）の内側表面との間の隙間へと伝えられる。この真空はさらに、排水開口部（１６２７、１６２９）を通って組織受容区画（１６９０）に、また、さらに開口部（１６４２、１７４）へと伝えられて、カッター（１５０）の内腔（１５１）に到達する。したがって、チューブ（２０）からの真空により、切断された組織サンプルが、内腔（１５１）を通って近位に引き寄せられて、組織受容区画（１６９０）に到達し得ることを、理解されたい。内腔（１５１）を通って近位に引き寄せられた流体が、開口部（１７４、１６４２）、組織受容区画（１６９０）、排水開口部（１６２７、１６２９）、水溜め開口部（１６７２）、水溜め内腔（１６７０）、および開口部（１６５２、１７６）を介して、チューブ（２０）にさらに引き込まれ得ることも、理解されたい。よって、バスケット（１６２０）およびカバー（１５１０）が第１の角度方向でプローブ（１００）と連結されると、生検装置（１０）は、組織サンプルを組織受容区画（１６９０）の中に捕捉して、流体を排水するように動作し得る。
【００７７】
前述のとおり、バスケット（１６２０）およびカバー（１５１０）は、第１の角度方向から第２の角度方向へとプローブ（１００）に対して回転され得る。第２の角度方向では、溝（１６８０）は、シール部材（１７０）の双方の開口部（１７４、１７６）と流体連通しており、開口部（１６４２、１６５２）はいずれも、対応する開口部（１７４、１７６）から流体的に隔離されている。よって、溝（１６８０）は、開口部（１７４、１７６）を互いに連結する短絡部を有効に提供し、組織受容区画（１６９０）およびカバー（１５１０）の他の内部領域を回避する。やはり前述したように、この第２の角度方向は、１つまたは複数の流体（例えば、薬剤および／もしくは他の種類の流体）が針（１１０）を介して生検部位まで送達されているときに、使用され得る。あるいは、この第２の角度方向は、任意の他の適切な目的で使用され得る。
【００７８】
Ｄ．棚、水溜め、および短絡溝を備えた例示的な組織サンプルホルダートレー
図６３〜図６８は、組織サンプルホルダー（１４００）の別の変形体を形成するようにカバー（１５１０）と組み合わせられ得る、別の例示的な代替的バスケット（１７２０）を示している。この実施例のバスケット（１７２０）は、遠位壁（１７４０）、近位壁（１７２６）、一組の側壁（１７２８）、床部（１７２２）、および中央壁（１７９０）を含む。壁（１７２６、１７２８、１７４０、１７９０）および床部（１７２２）は、一緒になって、第１の組織受容区画（１７９２）および第２の組織受容区画（１７９４）を画定する。壁（１７２８）は排水開口部（１７２９）を含む。壁（１７９０）は上方棚（１７９６）を画定する。
【００７９】
遠位壁（１７４０）は、上方開口部（１７４２）および下方開口部（１７５２）を画定する。図６４および図６８で最もよく分かるように、上方開口部（１７４２）は、棚（１７９６）と直接連通している。図６８で最もよく分かるように、下方開口部（１７５２）は、第１の水溜め内腔（１７７１）と連通しており、第２の水溜め内腔（１７７２）および第３の水溜め内腔（１７７３）とさらに連通している。水溜め内腔（１７７１、１７７２、１７７３）は、中央壁（１７２８）を通って延びる。第２の水溜め内腔（１７７２）は、バスケット（１７２０）の下側で水溜め開口部（１７７４）において終端し、第３の水溜め内腔（１７７３）は、バスケット（１７２０）の下側で水溜め開口部（１７７５）で終端している。各水溜め開口部（１７７４、１７７５）は、対応する環状リップ（１７７６、１７７７）により囲まれている。リップ（１７７６、１７７７）は、バスケット（１７２０）がカバー（１５１０）に挿入されると、リップ（１７７６、１７７７）とカバー（１５１０）の内側表面との間に小さい隙間を画定するように構成されている。
【００８０】
遠位壁（１７４０）の遠位面はまた、溝（１５８０）と実質的に同じように構成され、かつ動作可能である、溝（１７８０）を含む。前述したバスケット（１４２０）および端部キャップ（１５４０）と同じように、この実施例のバスケット（１７２０）は、２つの異なる角度方向で、カバー（１５１０）と組み合わせられ、プローブ（１００）と連結されることができる。第１の角度方向では、上方開口部（１７４２）は、シール部材（１７０）の開口部（１７４）と整列し、下方開口部（１７５２）は、シール部材（１７０）の開口部（１７６）と整列する。よって、真空がチューブ（２０）および開口部（１７６）を介して適用されると、この真空は、下方開口部（１７５２）、水溜め内腔（１７７１、１７７２、１７７３）および水溜め開口部（１７７４、１７７５）を通って、バスケット（１７２０）とカバー（１５１０）の内側表面との間の隙間まで伝えられる。この真空はさらに、排水開口部（１７２９）を通って、組織受容区画（１７９２、１７９４）まで、また、さらには開口部（１７４２、１７４）まで伝えられ、カッター（１５０）の内腔（１５１）まで到達する。したがって、チューブ（２０）からの真空により、切断された組織サンプルが内腔（１５１）を通って近位に引き寄せられて棚（１７９６）に到達し得ることを、理解されたい。各切断された組織サンプルは、棚（１７９６）から組織受容区画（１７９２、１７９４）のいずれかの中へ放出され得る。内腔（１５１）を通って近位に引き寄せられた流体が、開口部（１７４、１７４２）、組織受容区画（１７９２、１７９４）、排水開口部（１７２９）、水溜め開口部（１７７４、１７７５）、水溜め内腔（１７７１、１７７２、１７７３）、および開口部（１７５２、１７６）を介してチューブ（２０）の中にさらに引き込まれ得ることも、理解されたい。よって、バスケット（１７２０）およびカバー（１５１０）が第１の角度方向でプローブ（１００）と連結されると、生検装置（１０）は、組織サンプルを組織受容区画（１７９２、１７９４）の中に捕捉し、流体を排水するように動作し得る。
【００８１】
前述のとおり、バスケット（１７２０）およびカバー（１５１０）は、第１の角度方向から第２の角度方向へとプローブ（１００）に対して回転し得る。第２の角度方向では、溝（１７８０）は、シール部材（１７０）の双方の開口部（１７４、１７６）と流体連通しており、開口部（１７４２、１７５２）はいずれも、対応する開口部（１７４、１７６）から流体的に隔離されている。よって、溝（１７８０）は、開口部（１７４、１７６）を互いに連結する短絡部を効果的に提供し、組織受容区画（１７９２、１７９４）およびカバー（１５１０）の他の内部領域を回避する。やはり前述したように、この第２の角度方向は、１つまたは複数の流体（例えば、薬剤および／もしくは他の種類の流体）が針（１１０）を介して生検部位へ送達されているときに、使用され得る。あるいは、この第２の角度方向は、任意の他の適切な目的で使用され得る。
【００８２】
Ｖ．プルタブを備えた例示的な代替的組織サンプルホルダー組立体
前述のとおり、組織サンプルトレーまたはバスケットを組織サンプルホルダー組立体の外側カバーから取り外すのを容易にするのが望ましい場合がある。組織サンプルトレーまたはバスケットのこのように取り外せることにより、組織サンプルをトレー／バスケットから取り外すことがさらに可能になり、かつ／または組織サンプルの他の処理が可能になる。前述したいくつかの実施例（例えば、組織サンプルホルダー（３００）など）は、旋回可能なハンドルを含み、このハンドルは、組織サンプルトレーまたはバスケットをつかむのに使用されてよく、トレーまたはバスケットを外側カバーから取り外すのを容易にする。いくつかの他の実施例では、組織サンプルトレーまたはバスケットをつかむためのプルタブが設けられて、トレーまたはバスケットを外側カバーから取り外すのを容易にする。このようなプルタブを含む組織サンプルホルダーのさまざまな実施例を、以下でさらに詳細に説明する。他の実施例は、本明細書の教示を鑑みれば、当業者には明らかであろう。
【００８３】
前述した実施形態とは違い、以下に記載する組織サンプルトレーには、組織サンプルホルダー組立体がプローブ（１００）と連結されたときにプローブ（１００）の回転部材（１８０）の把持特徴部（１８４）を収容する、遠位に向けられた凹部がない。したがって、以下に記載する組織サンプルホルダーは、回転部材（１８０）がない、改変されたバージョンのプローブ（１００）と共に使用され得ることを、理解されたい。あるいは、以下に記載する組織サンプルホルダーは、組織サンプルホルダー組立体がプローブ（１００）と連結されたときにプローブ（１００）の回転部材（１８０）の把持特徴部（１８４）を収容する凹部または他の特徴部を含むように改変され得る。
【００８４】
Ａ．プルタブ、平坦な床部、および二重の水溜め開口部を備えた例示的な組織サンプルトレー
図６９〜図７５は、プローブ（１００）と連結され得る、別の例示的な組織サンプルホルダー組立体（１８００）を示している。この実施例の組織サンプルホルダー組立体（１８００）は、カバー（１８１０）と、カバー（１８１０）に取り外し可能に挿入される組織サンプルトレー（１８３０）と、を含む。図７０〜図７１で最もよく分かるように、カバー（１８１０）は、環状ショルダー（１８１１）、内側表面（１８１２）、上方内部フランジ（１８１４）、および下方内部フランジ（１８１６）を含む。フランジ（１８１４、１８１６）は一緒になって、チャネル（１８１８）を画定する。フランジ（１８１４）は、フランジ（１８１６）およびチャネル（１８１８）に対して斜めに傾斜した上面を含む。カバー（１８１０）はまた、シャシー（１０６）の差し込みピン（１０９）を受容し、これによりカバー（１８１０）とシャシー（１０６）との間に連結をもたらすように構成された、一対の差し込みピンスロット（１８１９）を含む。
【００８５】
図７２〜図７３で最もよく分かるように、本実施例の組織サンプルトレー（１８３０）は、遠位壁（１８４０）、一対の側壁（１８６０）、近位壁（１８７０）、および床部（１８８０）を含む。壁（１８４０、１８６０、１８７０）および床部（１８８０）は一緒になって組織受容区画（１８９０）を画定している。遠位壁（１８４０）は、上方開口部（１８４２）および下方開口部（１８５２）を画定している。遠位壁（１８４０）は、遠位に突出するプルタブ（１８４４）をさらに含む。図７４で最もよく分かるように、遠位壁（１８４０）は、組織サンプルトレー（１８３０）がカバー（１８１０）に挿入されると、カバー（１８１０）の環状ショルダー（１８１１）に対してシールするように構成されている。プルタブ（１８４４）は、組織サンプルトレー（１８３０）をカバー（１８１０）から取り外すのを容易にするために組織サンプルトレー（１８３０）をつかむのに使用され得る。
【００８６】
上方開口部（１８４２）は、組織受容区画（１８９０）と直接流体連通している。壁（１８６０、１８７０）および床部（１８８０）は、対応する排水開口部（１８６２、１８７４、１８８２）を含み、排水開口部（１８６２、１８７４、１８８２）も、組織受容区画（１８９０）から流体を排水するために組織受容区画（１８９０）と流体連通している。排水開口部（１８６２、１８７４、１８８２）はまた、以下でさらに詳細に説明するように、組織受容区画（１８９０）に真空を伝える経路も提供する。各壁（１８６０、１８７０）は、対応する外側に延びるフランジ（１８６４、１８７２）も含む。図７１および図７４に示すように、フランジ（１８６４、１８７２）は、カバー（１８１０）のチャネル（１８１８）に嵌まるように構成され、フランジ（１８１４、１８１６、１８６４、１８７２）はすべて協働して、カバー（１８１０）の中での組織サンプルトレー（１８３０）の支持および位置付けを維持する。
【００８７】
図７４〜図７５で最もよく分かるように、下方開口部（１８５２）は、水溜め内腔（１８５４）と連通しており、水溜め内腔（１８５４）は、組織サンプルトレー（１８３０）の下側に位置する、対応する水溜め開口部（１８５６）の各端部で終端している。図７４で分かるように、隙間（１８０２）が、組織サンプルトレー（１８３０）の下側とカバー（１８１０）の内側表面（１８１２）との間で画定されている。水溜め開口部（１８５６）は、この隙間（１８０２）から流体を引き出すように位置付けられる。
【００８８】
組織サンプルホルダー（１８００）がプローブ（１００）と連結されると、上方開口部（１８４２）は、シール部材（１７０）の開口部（１７４）と整列し、下方開口部（１８５２）は、シール部材（１７０）の開口部（１７６）と整列する。よって、真空がチューブ（２０）および開口部（１７６）を介して適用されると、この真空は、下方開口部（１８５２）、水溜め内腔（１８５４）および水溜め開口部（１８５６）を通って隙間（１８０２）へと伝えられる。この真空はさらに、排水開口部（１８６２、１８７４、１８８２）を通って組織受容区画（１８９０）に、また、さらには開口部（１８４２、１７４）まで伝えられて、カッター（１５０）の内腔（１５１）に到達する。したがって、チューブ（２０）からの真空により、切断された組織サンプルは、内腔（１５１）を通って近位に引き寄せられて、組織受容区画（１８９０）に到達し得ることを理解されたい。内腔（１５１）を通って近位に引き寄せられる流体が、開口部（１７４、１８４２）、組織受容区画（１８９０）、排水開口部（１８６２、１８７４、１８８２）、水溜め開口部（１８５６）、水溜め内腔（１８５４）、および開口部（１８５２、１７６）を介してチューブ（２０）にさらに引き込まれ得ることも、理解されたい。よって、組織サンプルホルダー（１８３０）がプローブ（１００）に連結されると、生検装置（１０）は、組織サンプルを組織受容区画（１８９０）の中に捕捉し、流体を排水するように動作し得る。フランジ（１８１４）の傾斜した構成は、動作中に、流体を組織受容区画（１８９０）内に案内するのを助けることができる。
【００８９】
図７６は、組織サンプルトレー（１８３０）の単に例示的な変形体を組み込んだ、組織サンプルホルダー組立体（１９００）を示している。具体的には、図７６は、組織サンプルトレー（１９３０）を示しており、これは、水溜め内腔（１９５４）を介して組織サンプルトレー（１９３０）の遠位壁（１９４０）にある下方開口部（１９５２）と連通している、１つの水溜め開口部（１９５６）を含む。この実施例の組織サンプルトレー（１９３０）は、カバー（１８１０）と嵌まることを含め、その他の点では、組織サンプルトレー（１９３０）と同じである。
【００９０】
Ｂ．プルタブ、傾斜した床部、および１つの水溜め開口部を備えた例示的な組織サンプルトレー
図７７〜図８６は、プローブ（１００）と連結され得る、別の例示的な組織サンプルホルダー組立体（２０００）を示している。この実施例の組織サンプルホルダー組立体（２０００）は、カバー（２０１０）と、カバー（２０１０）に取り外し可能に挿入される組織サンプルトレー（２０３０）と、を含む。図７８および図８１で最もよく分かるように、カバー（２０１０）は、環状ショルダー（２０１１）、斜めに傾斜した内側床部（２０１２）、およびフランジ受容チャネル（２０１４）を含む。カバー（２０１０）はまた、シャシー（１０６）の差し込みピン（１０９）を受容し、これによりカバー（２０１０）とシャシー（１０６）との間に連結をもたらすように構成された、一対の差し込みピンスロット（２０１９）を含む。
【００９１】
図８２〜図８６で最もよく分かるように、本実施例の組織サンプルトレー（２０３０）は、遠位壁（２０４０）、一対の側壁（２０６０）、近位壁（２０７０）、および斜めに傾斜した床部（２０８０）を含む。壁（２０４０、２０６０、２０７０）および床部（２０８０）は一緒になって組織受容区画（２０９０）を画定する。遠位壁（２０４０）は、上方開口部（２０４２）および下方開口部（２０５２）を画定している。遠位壁（２０４０）は、遠位に突出するプルタブ（２０４４）をさらに含む。図８２で最もよく分かるように、遠位壁（２０４０）は、組織サンプルトレー（２０３０）がカバー（２０１０）に挿入されるとカバー（２０１０）の環状ショルダー（２０１１）に対してシールするように構成されている。プルタブ（２０４４）は、組織サンプルトレー（２０３０）をカバー（２０１０）から取り外すのを容易にするため、組織サンプルトレー（２０３０）をつかむのに使用され得る。
【００９２】
上方開口部（２０４２）は、組織受容区画（２０９０）と直接流体連通している。床部（２０８０）は、排水開口部（２０８２）を含み、排水開口部（２０８２）も、組織受容区画（２０９０）から流体を排水させるために組織受容区画（２０９０）と流体連通する。いくつかのバージョンでは、側壁（２０６０）は、排水開口部も含む。排水開口部（２０８２）は、以下でさらに詳細に説明するように、組織受容区画（２０９０）に真空を伝えるための経路も提供する。側壁（２０６０）はまた、対応する外側に延びるフランジ（２０６４）を含む。図７９および図８２に示すように、フランジ（２０６４）は、カバー（２０１０）のチャネル（２０１４）に嵌まるように構成され、フランジ（２０６４）は、カバー（２０１０）の中における組織サンプルトレー（２０３０）の支持および位置付けを維持する。
【００９３】
図８２で最もよく分かるように、下方開口部（２０５２）は、水溜め内腔（２０５４）と連通しており、水溜め内腔（２０５４）は、組織サンプルトレー（２０３０）の下側に位置する水溜め開口部（２０５６）で終端している。図８２で分かるように、隙間（２００２）が、組織サンプルトレー（２０３０）の下側とカバー（２０１０）の内側床部（２０１２）との間に画定される。水溜め開口部（２０５６）は、この隙間（２０１２）から流体を引き出すように位置付けられる。図８６で最もよく分かるように、水溜め内腔（２０５４）を画定している側方壁（２０５８）が、この実施例では、実質的に垂直に向けられている。
【００９４】
組織サンプルホルダー（２０００）がプローブ（１００）と連結されると、上方開口部（２０４２）は、シール部材（１７０）の開口部（１７４）と整列し、下方開口部（２０５２）は、シール部材（１７０）の開口部（１７６）と整列する。よって、真空がチューブ（２０）および開口部（１７６）を介して適用されると、この真空は、下方開口部（２０５２）、水溜め内腔（２０５４）、および水溜め開口部（２０５６）を通って、隙間（２００２）へと伝えられる。この真空はさらに、排水開口部（２０８２）を通って組織受容区画（２０９０）に、また、さらには開口部（２０４２、１７４）へと伝えられて、カッター（１５０）の内腔（１５１）に到達する。したがって、チューブ（２０）からの真空により、切断された組織サンプルが、内腔（１５１）を通って近位に引き寄せられて、組織受容区画（２０９０）に到達し得ることを、理解されたい。内腔（１５１）を通って近位に引き寄せられた流体が、開口部（１７４、２０４２）、組織受容区画（２０９０）、排水開口部（２０８２）、水溜め開口部（２０５６）、水溜め内腔（２０５４）、および開口部（２０５２、１７６）を介して、チューブ（２０）にさらに引き込まれ得ることも、理解されたい。よって、組織サンプルホルダー（２０３０）がプローブ（１００）と連結されると、生検装置（１０）は、組織サンプルを組織受容区画（２０９０）の中に捕捉し、流体を排水するように動作し得る。床部（２０１２）の傾斜した構成は、動作中に流体を水溜め開口部（２０５６）に向かって案内するのに役立ち得る。
【００９５】
図８７〜図９０は、組織サンプルトレー（２０３０）の代わりに組織サンプルホルダー組立体（２００）に容易に組み込まれ得る、例示的な代替的組織サンプルトレー（２１３０）を示している。この実施例の組織サンプルトレー（２１３０）は、水溜め内腔（２１５４）を画定している側方壁（２１５８）が、この実施例では斜めに向けられていることを除き、前述した組織サンプルトレー（２０３０）と実質的に同じである。組織サンプルトレー（２１３０）は、その他の点では、組織サンプルトレー（２０３０）と同じである。
【００９６】
図９０は、組織サンプルトレー（２０３０）の代わりに組織サンプルホルダー組立体（２００）に容易に組み込まれ得る、別の例示的な代替的組織サンプルトレー（２２３０）を示している。この実施例の組織サンプルトレー（２２３０）は、床部（２２８０）が水溜め開口部（２２５６）に隣接した凹部（２２８４）を画定していることを除き、前述した組織サンプルトレー（２０３０）と実質的に同じである。組織サンプルトレー（２２３０）は、その他の点では、組織サンプルトレー（２０３０）と同じである。
【００９７】
ＶＩ．押し出し部（Push Eject）を備えた例示的な代替的組織サンプルホルダー組立体
前述した実施例は、組織サンプルトレーまたはバスケットをつかむためにハンドルまたはプルタブを使用して、組織サンプルホルダーの遠位端部から組織サンプルトレーまたはバスケットを取り外せるようにしている。場合によっては、組織サンプルトレーまたはバスケットを組織サンプルホルダーの近位端部から取り外せるようにすることが、望ましいかもしれない。これにより、オペレーターの手と、組織サンプルトレーまたはバスケットの遠位端部に見られる流体との間の接触が、最小限となり得る。組織サンプルトレーまたはバスケットを組織サンプルホルダーの近位端部から取り外せるようにする、組織サンプルホルダーのさまざまな実施例を、以下でさらに詳細に説明する。他の実施例は、本明細書の教示を鑑みれば、当業者には明らかであろう。以下に記載する組織サンプルトレーは、組織サンプルホルダー組立体がプローブ（１００）と連結されたときにプローブ（１００）の回転部材（１８０）の把持特徴部（１８４）を収容する、遠位に向けられた凹部を含むことも、理解されたい。
【００９８】
Ａ．近位トレー解放特徴部を備えた例示的な組織サンプルホルダー組立体
図９１〜図９７は、プローブ（１００）と連結され得る、別の例示的な組織サンプルホルダー組立体（２３００）を示している。この実施例の組織サンプルホルダー組立体（２３００）は、カバー（２３１０）と、カバー（２３１０）に取り外し可能に挿入される組織サンプルトレー（２３３０）と、を含む。図９３で最もよく分かるように、カバー（２３１０）は、近位開口部（２３１２）を含む。図９５〜図９７で最もよく分かるように、本実施例の組織サンプルトレー（２３３０）は、遠位壁（２３４０）、一対の側壁（２３６０）、近位壁（２３７０）、および床部（２３８０）を含む。壁（２３４０、２３６０、２３７０）および床部（２３８０）は一緒になって組織受容区画（２３９０）を画定している。遠位壁（２３４０）は、上方開口部（２３４２）および下方開口部（２３５２）を画定している。近位壁（２３７０）は、近位に向けられた突出部（２３７２）を含む。Ｏリング（２３７４）が突出部（２３７２）の周りに配されている。図９３〜図９４で最もよく分かるように、突出部（２３７２）は、組織サンプルトレー（２３３０）がカバー（２３１０）に挿入されるとカバー（２３１０）の近位開口部（２３１２）に嵌まるようにサイズ決めされている。Ｏリング（２３７４）は、突出部（２３７２）が開口部（２３１２）に挿入されると開口部（２３１２）内部に流体シールを提供するように位置付けられ、構成されている。よって、Ｏリング（２３７４）は、組織サンプルホルダー組立体（２３００）内に真空を維持し、組織サンプルホルダー組立体（２３００）から流体が漏れるのを防ぐのを助ける。突出部（２３７２）は、カバー（２３１０）から近位に突出しているので、オペレーターは、容易にカバー（２３１０）をつかみ、突出部（２３７２）を遠位に押して、組織サンプルトレー（２３３０）をカバー（２３１０）から押し出すことができる。ほんの一例として、これは、組織受容区画（２３９０）に集められた組織サンプルを回収するために行われてもよい。
【００９９】
上方開口部（２３４２）は、組織受容区画（２３９０）と直接流体連通している。壁（２３６０、２３７０）および床部（２３８０）は、対応する排水開口部（２３６２、２３７６、２３８２）を含み、排水開口部（２３６２、２３７６、２３８２）も、組織受容区画（２３９０）から流体を排水するように、組織受容区画（２３９０）と流体連通している。排水開口部（２３６２、２３７６、２３８２）はまた、以下でさらに詳細に説明するように、組織受容区画（２３９０）に真空を伝えるための経路を提供する。図９４で最もよく分かるように、下方開口部（２３５２）は、水溜め内腔（２３５４）と連通しており、水溜め内腔（２３５４）は、組織サンプルトレー（２３３０）の下側に位置する水溜め開口部（２３５６）で終端している。図９４で分かるように、隙間（２３０２）が、組織サンプルトレー（２０３０）の下側とカバー（２３１０）の内側表面（２３１２）との間に画定されている。水溜め開口部（２３５６）は、この隙間（２３０２）から流体を引き出すように位置付けられている。本実施例では、壁（２３６０、２３７０）および床部（２３８０）は、凹部（２３５８）も含み、凹部（２３５８）は、水溜め開口部（２３５６）と組織受容区画（２３９０）との間を流体連通させるための追加の通路を提供する。
【０１００】
組織サンプルホルダー（２３００）がプローブ（１００）と連結されると、上方開口部（２３４２）は、シール部材（１７０）の開口部（１７４）と整列し、下方開口部（２３５２）はシール部材（１７０）の開口部（１７６）と整列する。よって、真空がチューブ（２０）および開口部（１７６）を介して適用されると、この真空は、下方開口部（２３５２）、水溜め内腔（２３５４）、および水溜め開口部（２３５６）を通って隙間（２３０２）へと伝えられる。この真空はさらに、排水開口部（２３６２、２３７６、２３８２）および凹部（２３５８）を通って組織受容区画（２３９０）に、また、さらには開口部（２３４２、１７４）まで伝えられて、カッター（１５０）の内腔（１５１）に到達する。したがって、チューブ（２０）からの真空により、切断された組織サンプルが内腔（１５１）を通って近位に引き寄せられて組織受容区画（２３９０）に到達し得ることを、理解されたい。内腔（１５１）を通って近位に引き寄せられた流体が、開口部（１７４、２３４２）、組織受容区画（２３９０）、排水開口部（２３６２、２３７６、２３８２）、水溜め開口部（２３５６）、水溜め内腔（２３５４）、および開口部（２３５２、１７６）を介してチューブ（２０）にさらに引き込まれ得ることも、理解されたい。よって、組織サンプルホルダー（２３３０）がプローブ（１００）と連結されると、生検装置（１０）は、組織サンプルを組織受容区画（２３９０）の中に捕捉し、流体を排水するように動作し得る。
【０１０１】
Ｂ．近位トレー解放特徴部および遠位溝を備えた例示的な組織サンプルホルダー組立体
図９８〜図１０４は、プローブ（１００）と連結され得る、別の例示的な組織サンプルホルダー組立体（２４００）を示している。この実施例の組織サンプルホルダー組立体（２４００）は、カバー（２４１０）と、カバー（２４１０）に取り外し可能に挿入される組織サンプルトレー（２４３０）と、を含む。図１００で最もよく分かるように、カバー（２４１０）は、近位開口部（２４１２）を含む。図１０２〜図１０４で最もよく分かるように、本実施例の組織サンプルトレー（２４３０）は、遠位壁（２４４０）、一対の側壁（２４６０）、近位壁（２４７０）、および床部（２４８０）を含む。壁（２４４０、２４６０、２４７０）および床部（２４８０）は一緒になって組織受容区画（２４９０）を画定する。遠位壁（２４４０）は、上方開口部（２４４２）および下方溝（２４５０）を画定している。近位壁（２４７０）は、近位に向けられた突出部（２４７２）を含む。Ｏリング（２４７４）が突出部（２４７２）の周りに配されている。図１００〜図１０１で最もよく分かるように、突出部（２４７２）は、組織サンプルトレー（２４３０）がカバー（２４１０）に挿入されるとカバー（２４１０）の近位開口部（２４１２）の中に嵌まるようにサイズ決めされている。Ｏリング（２４７４）は、突出部（２４７２）が開口部（２４１２）に挿入されると、開口部（２４１２）内部に流体シールをもたらすように位置付けられ、構成されている。よって、Ｏリング（２４７４）は、組織サンプルホルダー組立体（２４００）内部に真空を維持し、組織サンプルホルダー組立体（２４００）から流体が漏れるのを防ぐのに役立つ。突出部（２４７２）は、カバー（２４１０）から近位に突出しているので、オペレーターは、容易にカバー（２４１０）をつかみ、突出部（２４７２）を遠位に押して、組織サンプルトレー（２４３０）をカバー（２４１０）から押し出すことができる。ほんの一例として、これは、組織受容区画（２４９０）に集められている組織サンプルを回収するために行われ得る。
【０１０２】
上方開口部（２４４２）は、組織受容区画（２４９０）と直接流体連通している。壁（２４６０、２４７０）および床部（２４８０）は、対応する排水開口部（２４６２、２４７６、２４８２）を含み、排水開口部（２４６２、２４７６、２４８２）も、組織受容区画（２４９０）から流体を排水するために組織受容区画（２４９０）と流体連通している。排水開口部（２４６２、２４７６、２４８２）は、以下でさらに詳細に説明するように、組織受容区画（２４９０）へ真空を伝えるための経路を提供している。下方溝（２４５０）は、遠位壁（２４４０）の遠位面上に円の形状を形成し、上方開口部（２４４２）の真下に上方領域（２４５２）を含んでいる。下方溝（２４５０）は、外側に延びる４つの分枝部（２４５４）をさらに含み、分枝部（２４５４）は、遠位壁（２４４０）に形成された、半径方向内側に延びるノッチ（２４５６）で終端している。４つの分枝部（２４５４）およびノッチ（２４５６）が本実施例では設けられているが、任意の適切な数の分枝部（２４５４）およびノッチ（２４５６）を設けてよいことを、理解されたい。本実施例では、ノッチ（２４５６）はそれぞれ、カバー（２４１０）と組織サンプルトレー（２４３０）との間に画定された隙間（２４０２）と、溝（２４５０）との間を流体連通させるための通路を提供するようにサイズ決めされている。よって、ノッチ（２４５６）は、本明細書に記載する他の実施例の水溜め開口部により提供されるのと同じような機能性を提供する。
【０１０３】
組織サンプルホルダー（２４００）がプローブ（１００）と連結されると、上方開口部（２４４２）は、シール部材（１７０）の開口部（１７４）と整列し、溝（２４５０）の上方領域（２４５２）は、シール部材（１７０）の開口部（１７６）と整列する。よって、真空がチューブ（２０）および開口部（１７６）を介して適用されると、この真空は、溝（２４５０）およびノッチ（２４５６）を通って隙間（２４０２）まで伝えられる。この真空はさらに、排水開口部（２４６２、２４７６、２４８２）を通って組織受容区画（２４９０）へ、さらには開口部（２４４２、１７４）まで伝えられて、カッター（１５０）の内腔（１５１）に到達する。したがって、チューブ（２０）からの真空により、切断された組織サンプルが、内腔（１５１）を通って近位に引き寄せられて、組織受容区画（２４９０）に到達することを、理解されたい。内腔（１５１）を通って近位に引き寄せられた流体が、開口部（１７４、２４４２）、組織受容区画（２４９０）、排水開口部（２４６２、２４７６、２４８２）、ノッチ（２４５６）、溝（２４５０）、および開口部（１７６）を介してチューブ（２０）にさらに引き込まれ得ることも、理解されたい。よって、組織サンプルホルダー（２４３０）がプローブ（１００）と連結されると、生検装置（１０）は、組織サンプルを組織受容区画（２４９０）内に捕捉し、流体を排水するように動作し得る。
【０１０４】
Ｃ．近位トレー解放特徴部およびフランジのアレイを備えた例示的な組織サンプルホルダー組立体
図１０５〜図１１４は、プローブ（１００）と連結され得る、別の例示的な組織サンプルホルダー組立体（２５００）を示している。この実施例の組織サンプルホルダー組立体（２５００）は、カバー（２５１０）と、カバー（２５１０）に取り外し可能に挿入される組織サンプルトレー（２５３０）と、を含む。図１０９で最もよく分かるように、カバー（２５１０）は、近位開口部（２５１２）を含む。図１１０〜図１１３で最もよく分かるように、本実施例の組織サンプルトレー（２５３０）は、遠位壁（２５４０）、一対の側壁（２５６０）、近位壁（２５７０）、および床部（２５８０）を含む。壁（２５４０、２５６０、２５７０）および床部（２５８０）は一緒になって組織受容区画（２５９０）を画定する。遠位壁（２５４０）は、上方開口部（２５４２）および溝（２５５０）を画定している。近位壁（２５７０）は、近位に向けられた突出部（２５７２）を含む。Ｏリング（２５７４）が、突出部（２５７２）の周りに配されている。図１０６および図１０９で最もよく分かるように、突出部（２５７２）は、組織サンプルトレー（２５３０）がカバー（２５１０）に挿入されるとカバー（２５１０）の近位開口部（２５１２）の中に嵌まるようにサイズ決めされている。Ｏリング（２５７４）は、突出部（２５７２）が開口部（２５１２）に挿入されると開口部（２５１２）内部に流体シールをもたらすように位置付けられ、構成されている。よって、Ｏリング（２５７４）は、組織サンプルホルダー組立体（２５００）内部の真空を維持し、流体が組織サンプルホルダー組立体（２５００）から漏れるのを防ぐのに役立つ。突出部（２５７２）は、カバー（２５１０）から近位に突出しているので、オペレーターは、容易にカバー（２５１０）をつかみ、突出部（２５７２）を遠位に押して組織サンプルトレー（２５３０）をカバー（２５１０）から押し出すことができる。ほんの一例として、これは、組織受容区画（２５９０）に集められている組織サンプルを回収するために行われ得る。
【０１０５】
上方開口部（２５４２）は、組織受容区画（２５９０）と直接流体連通している。壁（２５６０）および床部（２５８０）は、対応する排水開口部（２５６２、２５８２）を含み、排水開口部（２５６２、２５８２）も、流体を組織受容区画（２５９０）から排水するように組織受容区画（２５９０）と流体連通している。排水開口部（２５６２、２５８２）はまた、以下でさらに詳細に説明するように、組織受容区画（２５９０）に真空を伝えるための経路を提供する。溝（２５５０）は、遠位壁（２５４０）の遠位面のほぼ全体にわたって延びており、上方開口部（２５４２）の真下にある領域（２５５２）を含んでいる。遠位壁（２５４０）は、複数の外側に延びるフランジ（２５４４）をさらに含み、これらのフランジは、間にノッチ（２５５６）を画定している。ノッチ（２５５６）は、カバー（２５１０）と組織サンプルトレー（２５３０）との間に画定された隙間（２５０２）、および溝（２５５０）と流体連通している。よって、ノッチ（２５５６）は、本明細書に記載する他の実施例の水溜め開口部によりもたらされるのと同じような機能性をもたらす。
【０１０６】
図１１３〜図１１４で最もよく分かるように、本実施例の床部（２５８０）は、長さ方向に延びるリブ（２５８４）をさらに含む。リブ（２５８４）は、カバー（２５１０）に係合して、隙間（２５０２）を、組織サンプルトレー（２４３０）の底部における２つの側方セクションに分割するように構成されている。組織サンプルトレー（２４３０）の遠位領域は、中空のこぶ（２５７０）も含む。図１１４に示すように、リブ（２５８４）の遠位部分は、こぶ（２５７０）内へ上方に延びている。それにもかかわらず、リブ（２５８４）およびこぶ（２５７０）は、隙間（２５０２）の一方の側方から、隙間（２５０２）のもう一方の側方までの流体通路（２５７２）を提供する。
【０１０７】
組織サンプルホルダー（２５００）がプローブ（１００）と連結されると、上方開口部（２５４２）は、シール部材（１７０）の開口部（１７４）と整列し、溝（２５５０）の領域（２５５２）は、シール部材（１７０）の開口部（１７６）と整列する。よって、真空がチューブ（２０）および開口部（１７６）を介して適用されると、この真空は、溝（２５５０）およびノッチ（２５５６）を通じて隙間（２５０２）に伝えられる。この真空はさらに、排水開口部（２５６２、２５８２）を通じて組織受容区画（２５９０）に、また、さらには開口部（２５４２、１７４）まで伝えられて、カッター（１５０）の内腔（１５１）に到達する。したがって、チューブ（２０）からの真空により、切断された組織サンプルが、内腔（１５１）を通って近位に引き寄せられて組織受容区画（２５９０）に到達し得ることを、理解されたい。内腔（１５１）を通って近位に引き寄せられた流体が、開口部（１７４、２５４２）、組織受容区画（２５９０）、排水開口部（２５６２、２５８２）、ノッチ（２５５６）、溝（２５５０）、および開口部（１７６）を介してチューブ（２０）にさらに引き込まれ得ることも、理解されたい。よって、組織サンプルホルダー（２５３０）がプローブ（１００）と連結されると、生検装置（１０）は、組織サンプルを組織受容区画（２５９０）の中に捕捉し、流体を排水するように動作し得る。
【０１０８】
Ｄ．近位トレー解放特徴部および二重の溝を備えた例示的な組織サンプルホルダー組立体
図１１５〜図１２３は、プローブ（１００）と連結され得る、別の例示的な組織サンプルホルダー組立体（２６００）を示している。この実施例の組織サンプルホルダー組立体（２６００）は、カバー（２６１０）と、カバー（２６１０）に取り外し可能に挿入される組織サンプルトレー（２６３０）と、を含む。図１１６で最もよく分かるように、カバー（２６１０）は、近位開口部（２６１２）を含む。カバー（２６１０）は、前述したカバー（１４１０）と同様に、３つの丸い突出部を有する近位部分も含む。さらに、この実施例のカバー（２６１０）は、前述したカバー（１５１０）と同様に、二又の差し込みピンスロット（２６２０）を含む。さらに前述したように、これらの二又の差し込みピンスロット（２６２０）により、組織サンプルホルダー組立体（２６００）は、プローブ（１００）に対して第１の角度方向と第２の角度方向との間を移行することができ、生検装置（１０）は、組織サンプルホルダー組立体（２６００）が第１の角度方向にあるときに動作可能であり、また、組織サンプルホルダー組立体（２６００）が第２の角度方向にあるときもまた動作可能である。
【０１０９】
図１２０〜図１２３で最もよく分かるように、本実施例の組織サンプルトレー（２６３０）は、遠位壁（２６４０）、一対の側壁（２６６０）、および近位壁（２６７０）を含む。壁（２６４０、２６６０、２６７０）は一緒になって組織受容区画（２６９０）を画定する。遠位壁（２６４０）は、上方開口部（２６４２）、第１の溝（２６５０）、および溝（２６５０）から流体的に隔離された第２の溝（２６８０）を画定している。近位壁（２６７０）は、近位に向けられた突出部（２６７２）を含む。Ｏリング（２６７４）が突出部（２６７２）の周りに配されている。図１１６で最もよく分かるように、突出部（２６７２）は、組織サンプルトレー（２６３０）がカバー（２６１０）に挿入されるとカバー（２６１０）の近位開口部（２６１２）の中に嵌まるようにサイズ決めされている。Ｏリング（２６７４）は、突出部（２６７２）が開口部（２６１２）に挿入されると開口部（２６１２）内部に流体シールをもたらすように位置付けられ、構成されている。よって、Ｏリング（２６７４）は、組織サンプルホルダー組立体（２６００）内部に真空を維持し、流体が組織サンプルホルダー組立体（２６００）から漏れるのを防ぐのに役立つ。突出部（２６７２）は、カバー（２６１０）から近位に突出しているので、オペレーターは、容易にカバー（２６１０）をつかみ、突出部（２６７２）を遠位に押して、組織サンプルトレー（２６３０）をカバー（２６１０）から押し出すことができる。ほんの一例として、これは、組織受容区画（２６９０）に集められている組織サンプルを回収するために行われ得る。
【０１１０】
上方開口部（２６４２）は、組織受容区画（２６９０）と直接流体連通している。壁（２６６０）は、排水開口部（２６６２）を含み、排水開口部（２６６２）も、組織受容区画（２６９０）から流体を排水するために組織受容区画（２６９０）と流体連通している。排水開口部（２６６２）はまた、以下でさらに詳細に説明するように、組織受容区画（２６９０）に真空を伝えるための経路を提供する。遠位壁（２６４０）は、溝（２６５０）の底部にノッチ（２６５６）を画定している。ノッチ（２６５６）は、カバー（２６１０）と組織サンプルトレー（２６３０）との間に画定された隙間（不図示）と、溝（２６５０）との間を流体連通させるための経路を提供するように構成されている。よって、ノッチ（２６５６）は、本明細書に記載する他の実施例の水溜め開口部によりもたらされるのと同じような機能性を提供する。
【０１１１】
前述のとおり、組織サンプルホルダー組立体（２６００）は、プローブ（１００）に対して第１の角度方向と第２の角度方向との間で選択的に回転することができる。組織サンプルホルダー組立体（２６００）がプローブ（１００）に対して第１の角度方向に配されると、開口部（２６４２）は、シール部材（１７０）の開口部（１７４）と整列し、溝（２６５０）の上方領域（２６５２）は、シール部材（１７０）の開口部（１７６）と整列する。
【０１１２】
よって、第１の角度方向にある、この組織サンプルホルダー組立体（２６００）は、切断された組織サンプルを、組織サンプル区画（２６９０）に引き込むように動作する。よって、真空がチューブ（２０）および開口部（１７６）を介して適用されると、この真空は、溝（２６５０）およびノッチ（２６５６）を通って、カバー（２６１０）と組織サンプルトレー（２６３０）との間に画定された隙間まで伝えられる。この真空はさらに、排水開口部（２６６２）を通って組織受容区画（２６９０）に、また、さらには開口部（２６４２、１７４）まで伝えられて、カッター（１５０）の内腔（１５１）に到達する。したがって、チューブ（２０）からの真空により、切断された組織サンプルが、内腔（１５１）を通って近位に引き寄せられて組織受容区画（２６９０）に到達し得ることを、理解されたい。内腔（１５１）を通って近位に引き寄せられた流体が、開口部（１７４、２６４２）、組織受容区画（２６９０）、排水開口部（２６６２）、ノッチ（２６５６）、溝（２６５０）、および開口部（１７６）を介してチューブ（２０）にさらに引き込まれ得ることを、理解されたい。よって、組織サンプルホルダー（２６３０）が第１の角度方向でプローブ（１００）と連結されると、生検装置（１０）は、組織サンプルを組織受容区画（２６９０）の中に捕捉し、流体を排水するように動作し得る。
【０１１３】
組織サンプルホルダー組立体（２６００）が第２の角度方向で配されると、第２の溝（２６８０）は、シール部材（１７０）の双方の開口部（１７４、１７６）と流体連通し、開口部（２６４２）および溝（２６５０）はいずれも、対応する開口部（１７４、１７６）から流体的に隔離される。よって、溝（２６８０）は、開口部（１７４、１７６）を互いに連結する短絡部を効率的にもたらし、組織サンプル区画（２６９０）および組織サンプルホルダー組立体（２６００）の他の内部構成要素／領域を回避する。
【０１１４】
場合によっては、１つまたは複数の流体（例えば、薬剤および／もしくは他の種類の流体）を生検部位に投与するために、組織サンプルホルダー組立体（２６００）が第２の角度方向にある状態で生検装置（１０）を操作することが望ましい場合がある。例えば、針（１１０）が患者の組織内に配された状態で、カッター（１５０）は、近位位置まで後退され、側方孔（１１４）を有効に開くことができる。医療用流体（または他の種類の流体）の供給源が、ルアーフィット（３２、４２）のいずれかと連結されて、チューブ（４６）を医療用流体（または他の種類の流体）の供給源と流体連通させることができる。前述のとおり、チューブ（４６）は、マニホールド（１２２）を介して第２の内腔（１９２）と流体連通している。やはり前述したように、第２の内腔（１９２）は、開口部（１９４）を介して側方孔（１１４）と流体連通している。これにより、医療用流体（または他の種類の流体）は、側方孔（１１４）を介して組織に送達され得る。真空がチューブ（２０）を通じて適用されて、チューブ（４６）を通じて医療用流体（または他の種類の流体）を引き寄せるのを助け得ることも、理解されたい。開口部（１７４、１７６）間に直接的な流体通路を設けることにより、溝（２６８０）は、この真空が、組織受容区画（２６９０）および組織サンプルホルダー組立体（２６００）の他の内部構成要素／領域を回避するようにする。
【０１１５】
組織サンプルホルダー組立体（２６００）を有する生検装置（１０）が、１回の生検処置中に第１の角度方向と第２の角度方向を繰り返すように動作し得ることを、前記から理解されたい。例えば、生検装置（１０）は、処置の第１の部分においては、組織サンプルホルダー組立体（２６００）が第１の角度方向にある状態で動作することができ、ここで、１つまたは複数の組織サンプルが組織受容区画（２６９０）に集められる。次にオペレーターは、外側カバー（２６１０）を回転させ（これにより、組織サンプルトレー（２６３０）も回転する）、組織サンプルホルダー組立体（２６００）を第２の角度方向にすることができる。第２の角度方向では、オペレーターは、１つまたは複数の流体（例えば、薬剤および／もしくは他の種類の流体）を生検部位に投与することができる。オペレーターは次に、組織サンプルホルダー組立体（２６００）を再び第１の角度方向へと移行させて、１つまたは複数の追加の組織サンプルを収集することができる。第１の角度方向と第２の角度方向をこのように繰り返すことは、何回でも行われ得る。
【０１１６】
Ｅ．近位トレー解放特徴部および排水リブを備えた例示的な組織サンプルトレー
図１２４〜図１２７は、組織サンプルトレー（２６３０）の代わりに組織サンプルホルダー組立体（２６００）に組み込まれ得る、例示的な代替的組織サンプルトレー（２７３０）を示している。この実施例の組織サンプルトレー（２７３０）は、この実施例の組織サンプルトレー（２７３０）の遠位壁（２７４０）に第２の溝（２６８０）がないことを除き、組織サンプルトレー（２６３０）と実質的に同じである。代わりに、いくつかの他のバージョンの組織サンプルトレー（２７３０）は、溝（２６８０）を含み得る。また、組織サンプルトレー（２６３０）とは異なり、本実施例の組織サンプルトレー（２７３０）は、各側壁（２７６０）に、一連の外側に延びるリブ（２７６４）を含む。リブ（２７６４）は、組織サンプルトレー（２７３０）の下側で終端している。場合によっては、リブ（２７６４）は、真空が溝（２７５０）から組織受容区画（２７９０）に伝わるのを促進する。さらに、または代わりに、リブ（２７６４）は、流体が組織受容区画（２７９０）から出るのを促進することができる。第２の溝（２６８０）を省略すること、およびリブ（２７６４）を含むことは別として、組織サンプルトレー（２７３０）は、組織サンプルトレー（２６３０）と同時である。
【０１１７】
Ｆ．オーバーモールドされたボタンを備えた例示的なカバー
前述したさまざまな実施例では、組織サンプルトレーの、近位に延びる突出部は、組織サンプルホルダー組立体のカバーから近位に突出していて、組織サンプルトレーをカバーから押し出すためにオペレーターが組織サンプルトレーの突出部を直接押すことを可能にする。図１２８〜図１２９は、近位に突出する突出部を組織サンプルトレーから省略しつつも、同様の機能性を提供し得る特徴部の、単に例示的な一例を示している。具体的には、図１２８〜図１２９は、前述したさまざまな組織サンプルホルダー組立体のいずれにも容易に組み込まれ得る、例示的なカバー（２８１０）を示している。本実施例のカバー（２８１０）は、カバー（２８１０）の近位端部に、３つの丸い突出部付きの構成を有するが、カバー（２８１０）は、代わりに、任意の他の適切な形状を有し得ることを、理解されたい。
【０１１８】
本実施例のカバー（２８１０）は、カバー（２８１０）の近位端部に、一体的な押しボタン特徴部（２８１２）を含む。押しボタン特徴部（２８１２）は変形可能である。いくつかのバージョンでは、押しボタン特徴部（２８１２）は、エラストマー材料から形成される。押しボタン特徴部（２８１２）は、カバー（２８１０）内部に配されたトレーもしくはバスケットの近位端部に係合するように構成された、遠位突出部（２８１４）を含む。よって、オペレーターが、トレーもしくはバスケットをカバー（２８１０）から押し出したいと思ったら、オペレーターは、カバー（２８１０）をプローブ（１００）から取り外し、その後、押しボタン特徴部（２８１２）を遠位に押すことができる。これにより、押しボタン特徴部（２８１２）は遠位側に変形でき、これによって、突出部（２８１４）はさらに、トレーもしくはバスケットを、カバー（２８１０）に対して遠位に駆動することができる。他の適切な特徴部および構成は、本明細書の教示を鑑みれば、当業者には明らかであろう。
【０１１９】
ＶＩＩ．複数の取り外し可能なトレーを備えた例示的な代替的組織サンプルホルダー組立体
場合によっては、複数の取り外し可能なトレーを含む、組織サンプルホルダー組立体を提供することが望ましい場合があり、各トレーは、複数の組織サンプルを保持するようにサイズ決めされ、構成されている。これにより、生検装置（１０）の回転組立体は、組織サンプルホルダー組立体を回転させて、組織サンプルをさまざまな取り外し可能なトレーに分配することができるようになる。このような組織サンプルホルダー組立体のいくつかの実施例が、開示内容が参照により本明細書に組み込まれる、「Biopsy Device Tissue Sample Holder with Bulk Chamber and Pathology Chamber」の名称で２０１３年２月２８日に公開された米国特許出願公開第２０１３／００５３７２４号に開示されている。いくつかの追加の実施例を、以下でさらに詳細に記載するが、さらに他の実施例は、本明細書の教示を鑑みれば、当業者には明らかであろう。
【０１２０】
Ａ．近位に取り外し可能なトレーを備えた例示的な組織サンプルホルダー組立体
図１３０〜図１４０は、プローブ（１００）と連結され得る、別の例示的な組織サンプルホルダー組立体（２９００）を示している。この実施例の組織サンプルホルダー組立体（２９００）は、カバー（２９１０）、本体（２９２０）、および複数の組織サンプルトレー（２９４０）を含む。カバー（２９１０）は、一対の差し込みピンスロット（２９１２）を含み、これは、差し込みピン（１０９）を受容するように構成されており、組織サンプルホルダー組立体（２９００）を、プローブ（１００）と取り外し可能に連結する。カバー（２９１０）は、開いた遠位端部（２９１４）および開いた近位端部（２９１６）も含む。以下でさらに詳細に説明するように、カバー（２９１０）は、プローブ（１００）に対して本体（２９２０）を収容するように構成されているが、カバー（２９１０）は、本体（２９２０）がカバー（２９１０）内部で回転するのを可能にする。
【０１２１】
図１３４および図１３６で最もよく分かるように、本体（２９２０）は、本体（２９２０）の近位端部（２９２１）から遠位に延びる、一連の４つの通路（２９２２）を含む。通路（２９２２）は、対応する組織サンプルトレー（２９４０）を受容するように構成されている。図１３２および図１３５で最もよく分かるように、本体（２９２０）の遠位端部（２９２３）は、一組の内側開口部（２９２４）および一組の外側開口部（２９２６）を含む。開口部（２９２４、２９２６）は、対になって設けられ、遠位端部（２９２３）の周りで角度をつけて離間している。各対の開口部（２９２４、２９２６）は、対応する通路（２９２２）と流体連通している。遠位端部（２９２３）はまた、溝（２９８０）を含む。溝（２９８０）は、開口部（２９２４、２９２６）または通路（２９２２）のいずれとも流体連通していない。
【０１２２】
図１３０および図１３２で最もよく分かるように、本体（２９２０）は、遠位に突出する鋲（２９３０）も含む。鋲（２９３０）は、回転部材（１８０）の把持特徴部（１８４）と連結するように構成されている。鋲（２９３０）は、本体（２９２０）の一体的特徴部であり、鋲（２９３０）の回転により、本体（２９２０）および組織サンプルトレー（２９４０）が鋲（２９３０）の長さ方向軸を中心に回転する。前述のとおり、回転部材（１８０）は、一体的な歯車（１８２）を含み、一体的な歯車（１８２）は、プローブ（１００）およびホルスター（２００）が互いに連結されると、ホルスター（２００）の歯車（２４０）と噛み合う。歯車（２４０）は、ホルスター（２００）のモーターによって駆動されて、組織サンプルを切断するためにカッター（１５０）が作動されるたびに、回転部材（１８０）を所定の角度増分で回転させる。ほんの一例として、歯車（２４０）は、開示内容が参照により本明細書に組み込まれる、「Biopsy System」の名称で２０１４年２月６日に公開された米国特許出願公開第２０１４／００３９３４３号の教示の少なくとも一部に従って、かつ／または、本明細書で引用した任意の他の参考文献の教示の少なくとも一部に従って、駆動され得る。
【０１２３】
図１３７〜図１４０で最もよく分かるように、各組織サンプルトレー（２９４０）は、近位壁（２９４２）、一対の側壁（２９４４）、遠位壁（２９４６）、および床部（２９４８）を含む。壁（２９４２、２９４４、２９４６）および床部（２９４８）は一緒になって組織受容チャンバ（２９９０）を画定する。近位壁（２９４２）は、組織サンプルトレー（２９４０）が通路（２９２２）に完全に挿入されると、本体（２９２０）に対する流体密封のシールをもたらすように構成されている。ハンドル（２９５０）が、近位壁（２９４２）から近位に延び、組織サンプルトレー（２９４０）を通路（２９２２）から近位に引き抜くのを容易にする。遠位壁（２９４６）は、上方の弓状開口部（２９５２）と、下方のＶ字型凹部（２９５４）とを含む。組織サンプルトレー（２９４０）が通路（２９２２）に挿入されると、開口部（２９５２）は、本体（２９２０）の対応する開口部（２９２６）と整列し、凹部（２９５４）は、本体（２９２０）の対応する開口部（２９２４）と整列する。床部（２９４８）は、近位壁（２９４２）から遠位壁（２９４６）までのテーパー状の移行部を提供するように成形され、床部（２９４８）は、凹部（２９５４）のＶ字型への移行部を提供する。図１３９で最もよく分かるように、床部（２９４８）はまた、別の寸法に沿ってテーパー状になっており、床部（２９４８）が近位壁（２９４２）から遠位壁（２９４６）に延びるにつれて、床部（２９４８）は外側へ扇形に広がっている。床部（２９４８）はまた、複数の開口部（２９４９）を含み、これらの開口部は、開口部（２９４９）を通じた真空および流体の連通をもたらすとともに、開口部（２９４９）を組織サンプルが通過するのを防ぐように構成されている。
【０１２４】
前述のとおり、本体（２９２０）は、プローブ（１００）に対してさまざまな角度方向に回転するように、鋲（２９３０）を介して駆動され得る。それらの角度方向のいくつかでは、一対の開口部（２９２４、２９２６）のうちの内側開口部（２９２４）は、シール部材（１７０）の開口部（１７６）と整列し、同じ対の開口部（２９２４、２９２６）のうちの外側開口部（２９２６）は、シール部材（１７０）の開口部（１７４）と整列する。よって、チューブ（２０）を介して引かれる真空は、開口部（１７６、２９２４）を介して対応する床部（２９４８）の下側に伝えられる。この真空は、開口部（２９４９）を通って、床部（２９４８）の上の対応する組織受容チャンバ（２９９０）までさらに伝えられ、その後、開口部（２９２６、１７４）を介してカッター（１５０）の内腔（１５１）に伝えられる。この真空は、切断された組織サンプルが、内腔（１５１）を通じて近位に引き寄せられるのに役立ち得る。このような切断された組織サンプルは次に、開口部（２９２６、１７４）を通ってさらに近位に送られて、それから、組織受容チャンバ（２９９０）に到達することができる。いくつかの組織サンプルが、各組織受容チャンバ（２９９０）に集められ得ることを、理解されたい。カッター（１５０）の内腔（１５１）を通って引き寄せられた流体が、開口部（２９２６、１７４）、組織受容チャンバ（２９９０）、開口部（２９４９）、および開口部（１７６、２９２４）を通過して、チューブ（２０）を介して排水され得ることも、理解されたい。さらに、カッター（１５０）の内腔（１５１）を通って引き寄せられた流体が、その特定の時点で開口部（１７４、１７６）と整列する特定の通路（２９２２）のみを通過する。言い換えれば、その特定の時点で開口部（１７４、１７６）と整列した通路（２９２２）と関連する「アクティブな」組織受容チャンバ（２９９０）内部にない組織サンプルは、流体でいっぱいにはならない。
【０１２５】
本体（２９２０）を回転させるために回転部材（１８０）を駆動するモーターは、カッター（１５０）がある回数作動されたら、自動的に作動されてよく、回転部材（１８０）は、次の対の開口部（２９２４、２９２６）を、開口部（１７４、１７６）に対して割り出して、追加の組織サンプルを、次の（空の）組織受容チャンバ（２９９０）に入れる。代わりに、本体（２９２０）を回転させるために回転部材（１８０）を駆動するモーターは、オペレーターによって（例えば、ボタンもしくは他のユーザー入力特徴部などを作動させることによって）選択的に作動されてよく、オペレーターは、次の対の開口部（２９２４、２９２６）を、開口部（１７４、１７６）に対していつ割り出すかを決定する。いくつかの他のバージョンでは、本体（２９２０）は、手動で回転され、モーターは、本体（２９２０）を回転させるために作動されない。本体（２９２０）が回転され得る、さまざまな適切な方法は、本明細書の教示を鑑みれば、当業者には明らかであろう。
【０１２６】
場合によっては、オペレーターは、１つまたは複数の流体（例えば、薬剤および／もしくは他の種類の流体）を生検部位に投与したいと思うかもしれない。そのような場合、本体（２９２０）は、溝（２９８０）を開口部（１７４、１７６）と整列させるように回転され得る。本明細書に記載する他の実施例のように、溝（２９８０）は、開口部（１７４、１７６）を互いに連結する短絡部を提供し、本体（２９２０）の内部および組織サンプルトレー（２９４０）を回避する。
【０１２７】
Ｂ．遠位に取り外し可能なトレーを備えた例示的な組織サンプルホルダー組立体
図１４１〜図１４７は、プローブ（１００）と連結され得る、さらに別の例示的な組織サンプルホルダー組立体（３０００）を示している。この実施例の組織サンプルホルダー組立体（３０００）は、カバー（３０１０）と、本体（３０２０）と、複数の組織サンプルトレー（３０４０）とを含む。カバー（３０１０）は、一対の差し込みピンスロット（３０１２）を含み、差し込みピンスロット（３０１２）は、差し込みピン（１０９）を受容するように構成されて、組織サンプルホルダー組立体（３０００）を、プローブ（１００）と取り外し可能に連結させる。カバー（３０１０）はまた、開いた遠位端部（３０１４）および開いた近位端部（３０１６）を含む。以下でさらに詳細に説明するように、カバー（３０１０）は、プローブ（１００）に対して本体（３０２０）を収容するように構成されるが、カバー（３０１０）は、本体（３０２０）をカバー（３０１０）内部で回転させることができる。
【０１２８】
図１４３で最もよく分かるように、本体（３０２０）は、本体（３０２０）の遠位端部（３０２１）から近位に延びる、一連の４つの通路（３０２２、３０２４）を含む。通路（３０２２）は、対応する組織サンプルトレー（３０４０）を受容するように構成されている。通路（３０２４）は、取り外し可能なプラグ（３０５０）を受容するように構成されている。図１４２で最もよく分かるように、本体（３０２０）の近位端部（３０２３）は、１つの開口部（３０２６）を含み、これは、開口部（３０２６）を通じて通路（３０２４）にプラグ（３０５０）を選択的に挿入することができるように構成されている。図１４１で分かるように、プラグ（３０５０）は、プラグ（３０５０）が通路（３０２４）に完全に挿入されたときに、通路（３０２４）の全長の手前で止まり、プラグ（３０５０）が通路（３０２４）に完全に挿入されたときに、凹部（３０２８）が、通路（３０２４）の遠位端部の中に残っている。
【０１２９】
図１４１および図１４３で最もよく分かるように、本体（３０２０）は、遠位に突出する鋲（３０３０）も含む。鋲（３０３０）は、回転部材（１８０）の把持特徴部（１８４）と連結するように構成される。鋲（３０３０）は、本体（３０２０）の一体的特徴部であり、鋲（３０３０）の回転により、本体（３０２０）および組織サンプルトレー（３０４０）が鋲（３０３０）の長さ方向軸を中心に回転する。前述のとおり、回転部材（１８０）は、プローブ（１００）およびホルスター（２００）が互いに連結されたときにホルスター（２００）の歯車（２４０）と噛み合う一体的な歯車（１８２）を含む。歯車（２４０）は、ホルスター（２００）のモーターにより駆動されて、組織サンプルを切断するためにカッター（１５０）が作動されるたびに、回転部材（１８０）を所定の角度増分で回転される。ほんの一例として、歯車（２４０）は、開示の内容が参照により本明細書に組み込まれる、「Biopsy System」の名称で２０１４年２月６日に公開された米国特許出願公開第２０１４／００３９３４３号の教示の少なくとも一部に従って、かつ／または本明細書で引用する任意の他の参考文献の教示の少なくとも一部に従って、駆動されてよい。
【０１３０】
図１４４〜図１４７で最もよく分かるように、各組織サンプルトレー（３０４０）は、近位壁（３０４２）、一対の側壁（３０４４）、遠位壁（３０４６）、および床部（３０４８）を含む。壁（３０４２、３０４４、３０４６）および床部（３０４８）は一緒になって組織受容チャンバ（３０９０）を画定している。遠位壁（３０４６）は、上方開口部（３０５２）および下方開口部（３０５４）を含む。組織サンプルトレー（３０４０）が通路（３０２２）に挿入されると、遠位壁（３０４６）および開口部（３０５２、３０５４）は、本体（３０２０）の遠位端部（３０２１）で露出される。床部（３０４８）は、近位壁（３０４２）から遠位壁（３０４６）に向かって下方へとテーパー状になるが、下方開口部（３０５４）につながるチャネル（３０５６）を提供する。床部（３０４８）はまた、複数の開口部（３０４９）を含み、これらの開口部は、開口部（３０４９）を通じた真空および流体の連通をもたらすとともに、開口部（３０４９）を組織サンプルが通過するのを妨げるように構成されている。
【０１３１】
前述のとおり、本体（３０２０）は、プローブ（１００）に対してさまざまな角度方向に回転するように鋲（３０３０）により駆動され得る。それらの角度方向のいくつかでは、１つの組織サンプルトレー（３０４０）の下方開口部（３０５４）は、シール部材（１７０）の開口部（１７６）と整列し、同じ組織サンプルトレー（３０４０）の上方開口部（３０５２）は、シール部材（１７０）の開口部（１７４）と整列する。よって、チューブ（２０）を介して引かれた真空は、開口部（１７６、３０２４）を介して、対応する床部（３０４８）の下側に伝えられる。この真空は、開口部（３０４９）を通って、床部（３０４８）の上の対応する組織受容チャンバ（３０９０）までさらに伝えられ、その後、開口部（３０５２、１７４）を介して、カッター（１５０）の内腔（１５１）まで伝えられる。この真空は、切断された組織サンプルが、内腔（１５１）を通って近位に引き寄せられるのを助けることができる。このような切断された組織サンプルは、次に、開口部（３０５２、１７４）を通ってさらに近位に送られ、その後、組織受容チャンバ（３０９０）に到達する。いくつかの組織サンプルが各組織受容チャンバ（３０９０）に集められ得ることを、理解されたい。カッター（１５０）の内腔（１５１）を通って引き寄せられた流体が、開口部（３０５２、１７４）、組織受容チャンバ（３０９０）、開口部（３０４９）、および開口部（１７６、３０５４）を通過し、チューブ（２０）を介して排水され得ることも、理解されたい。さらに、カッター（１５０）の内腔（１５１）を通って引き寄せられた流体は、その特定の時点で開口部（１７４、１７６）と整列した特定の通路（３０２２）のみを通過する。言い換えれば、その特定の時点で開口部（１７４、１７６）と整列している通路（３０２２）と関連した「アクティブな」組織受容チャンバ（３０９０）の中にない組織サンプルは、流体でいっぱいにはならない。
【０１３２】
本体（３０２０）を回転させるために回転部材（１８０）を駆動するモーターは、カッター（１５０）がある回数作動されたら、自動的に作動されてよく、回転部材（１８０）は、次の対の開口部（３０５２、３０５４）を開口部（１７４、１７６）に対して割り出して、追加の組織サンプルを、次の（空の）組織受容チャンバ（３０９０）に入れる。代わりに、本体（３０２０）を回転させるために回転部材（１８０）を駆動するモーターは、オペレーターによって（例えば、ボタンもしくは他のユーザー入力特徴部などを作動させることによって）選択的に作動されてよく、オペレーターは、次の対の開口部（３０５２、３０５４）を開口部（１７４、１７６）に対していつ割り出すかを決定する。いくつかの他のバージョンでは、本体（３０２０）は、手動で回転され、モーターは、本体（３０２０）を回転させるために作動されない。本体（３０２０）が回転され得る、さまざまな適切な方法は、本明細書の教示を鑑みれば、当業者には明らかであろう。
【０１３３】
場合によっては、オペレーターは、１つまたは複数の流体（例えば、薬剤および／もしくは他の種類の流体）を生検部位に投与したいと思うかもしれない。そのような場合、本体（３０２０）は、通路（３０２４）を開口部（１７４、１７６）と整列させるように回転され得る。この段階で、プラグ（３０５０）は、通路（３０２４）に挿入されてよく、開口部（１７４、１７６）は、シールされた凹部（３０２８）を与えられる。本明細書に記載する他の実施例のように、凹部（３０２８）は、開口部（１７４、１７６）を互いに連結する短絡部を提供し、組織サンプルトレー（３０４０）を回避する。
【０１３４】
さらに、または代わりに、オペレーターは、針（１１０）を介して生検部位マーカーを生検部位に配備したいと思うかもしれない。そのような場合、本体（３０２０）は、通路（３０２４）を開口部（１７４、１７６）と整列させるように回転され得る。この段階で、プラグ（３０５０）は、通路（３０２４）から取り外されてよく、通路（３０２４）および開口部（１７４）を介したカッター（１５０）の内腔（１５１）への開いた通路を提供する。カッター（１５０）は、この段階で近位に後退した位置にあってよく、側方孔（１１４）を有効に開く。次に、マーカーアプライヤ器具の作業端部が開いた側方孔（１１４）に到達するまで、マーカーアプライヤ器具のシャフトが、通路（３０２４）、開口部（１７４）、およびカッター（１５０）の内腔（１５１）を通して挿入され得る。マーカーアプライヤ器具は、その後、開いた側方孔（１１４）を介して生検部位に生検部位マーカーを配備するために作動され得る。例示的なマーカーアプライヤ器具が、開示の内容が参照により本明細書に組み込まれる、「Biopsy System」の名称で２０１４年２月６日に公開された米国特許出願公開第２０１４／００３９３４３号に開示されている。代わりに、任意の他の適切なマーカーアプライヤ器具を使用してよい。いったん生検部位が適切にマークされたら、オペレーターは、プラグ（３０５０）を通路（３０２４）に戻す（replace）ことができる。
【０１３５】
いくつかの変形体では、組織サンプルホルダー組立体（３０００）のプラグ（３０５０）および通路（３０２４）は、組織サンプルホルダー組立体（３０００）に組み込まれ、溝（２９８０）が省略され、通路（２９２２）および組織サンプルトレー（２９４０）は、プラグ（３０５０）および通路（３０２４）を収容するように構成を変えられる。本明細書の教示が、異なる実施例間で組み合わせられ得る、他の適切な方法は、当業者には明らかであろう。
【０１３６】
ＶＩＩＩ．複数の静止バルク組織受容区画を備えた例示的な代替的組織サンプルホルダー組立体
図１４８〜図１５２は、本体（３０２０）および組織サンプルトレー（３０４０）の代わりに組織サンプルホルダー組立体（３０００）に組み込まれ得る、例示的な組立体（３１００）を示している。この実施例の組立体（３１００）は、本体（３１２０）およびスクリーン部材（３１４０）を含む。この実施例の本体（３１２０）は、本体（３１２０）の遠位端部（３１２１）から近位に延びる一連の７つの通路（３１２２、３１２４）を含む。通路（３１２２）は、本体（３１２０）の、半径方向に延びる内壁（３１６０、３１６２）によって画定される。通路（３１２４）は、壁（３１６２）によって画定される。各壁（３１６０、３１６２）は、以下でさらに詳細に説明するように、スクリーン部材（３１４０）を受容するように構成された、対応するチャネル（３１６４、３１６６）を画定している。通路（３１２４）は、前述したプラグ（３０５０）のような、取り外し可能なプラグを受容するように構成されている。図１４９および図１５１で最もよく分かるように、本体（３１２０）の近位端部（３１２３）は、１つの開口部（３１２６）を含み、この開口部（３１２６）は、開口部（３１２６）を通じて通路（３１２４）にプラグを選択的に挿入することができるように構成されている。本実施例では、挿入されたプラグは、プラグが通路（３１２４）に完全に挿入されると、通路（３１２４）の全長の手前で止まり、プラグが通路（３１２４）に完全に挿入されると、凹部が通路（３１２４）の遠位端部内に残る。
【０１３７】
図１４８および図１５２で最もよく分かるように、本体（３１２０）は、遠位に突出する鋲（３１３０）も含む。鋲（３１３０）は、回転部材（１８０）の把持特徴部（１８４）と連結されるように構成されている。鋲（３１３０）は、本体（３１２０）の一体的な特徴部であり、鋲（３１３０）の回転により、本体（３１２０）およびスクリーン部材（３１４０）が、鋲（３１３０）の長さ方向軸を中心として回転する。前述のとおり、回転部材（１８０）は、プローブ（１００）およびホルスター（２００）が互いに連結されるとホルスター（２００）の歯車（２４０）と噛み合う、一体的な歯車（１８２）を含む。歯車（２４０）は、ホルスター（２００）のモーターにより駆動され、組織サンプルを切断するためにカッター（１５０）が作動されるたびに、回転部材（１８０）を所定の角度増分で回転させる。ほんの一例として、歯車（２４０）は、開示内容が参照により本明細書に組み込まれる、「Biopsy System」の名称で２０１４年２月６日に公開された米国特許出願公開第２０１４／００３９３４３号の教示の少なくとも一部に従って、かつ／または、本明細書に引用される任意の他の参考文献の教示の少なくとも一部に従って、駆動され得る。
【０１３８】
図１５２で最もよく分かるように、スクリーン部材（３１４０）は、例えば、「Ｃ」字型を形成するように湾曲したシート材料（例えば、金属、プラスチックなど）を含み、スクリーン部材（３１４０）のエッジ（３１４２、３１４４）は、長さ方向に延びる隙間（３１４６）を画定する。前述のとおり、スクリーン部材（３１４０）は、チャネル（３１６４、３１６６）を介して本体（３１２０）に挿入される。エッジ（３１４２、３１４４）は、壁（３１６２）のチャネル（３１６６）に位置付けられ、通路（３１２４）は隙間（３１４６）に位置付けられる。スクリーン部材（３１４０）はまた、その中を通じて形成された複数の開口部（３１４８）を含む。開口部（３１４８）は、開口部（３１４８）を通じて真空および流体の連通をもたらすとともに、組織サンプルが開口部（３１４８）を通過するのを妨げるように構成されている。
【０１３９】
図１５０で最もよく分かるように、スクリーン部材（３１４０）は、各通路（３１２２）を内側チャンバ（３１７６）および外側チャンバ（３１７４）に効果的に分割し、各通路（３１２２）は、それぞれの一対のチャンバ（３１７６、３１７４）を有する。前述のとおり、本体（３１２０）は、鋲（３１３０）により駆動されて、プローブ（１００）に対してさまざまな角度方向に回転することができる。それらの角度方向のいくつかでは、１つの通路（３１２２）の内側チャンバ（３１７６）は、シール部材（１７０）の開口部（１７６）と整列し、同じ通路（３１２２）の外側チャンバ（３１７４）は、シール部材（１７０）の開口部（１７４）と整列する。よって、チューブ（２０）を介して引かれた真空は、開口部（１７６）およびチャンバ（３１７４）を介して、対応する通路（３１２２）内のスクリーン部材（３１４０）の一部の下側に伝えられる。この真空はさらに、開口部（３１４８）を通って、スクリーン部材（３１４０）の同じ部分より上の対応するチャンバ（３１７４）まで、そして、さらには、開口部（１７４）を介してカッター（１５０）の内腔（１５１）に伝えられる。この真空は、切断された組織サンプルが、内腔（１５１）を通じて近位に引き寄せられるのを助けることができる。このような切断された組織サンプルは、次に、開口部（１７４）を通ってさらに近位に伝えられ、その後、チャンバ（３１７４）に到達する。いくつかの組織サンプルが、各チャンバ（３１７４）に集められ得ることを、理解されたい。カッター（１５０）の内腔（１５１）を通じて引き寄せられた流体が、開口部（１７４）、チャンバ（３１７４）、開口部（３１４８）、チャンバ（３１７６）、および開口部（１７６）を通過して、チューブ（２０）を介して排水されることも、理解されたい。さらに、カッター（１５０）の内腔（１５１）を通って引き寄せられた流体は、その特定の時点で開口部（１７４、１７６）と整列した特定の通路（３１２２）のみを通過する。言い換えれば、その特定の時点で開口部（１７４、１７６）と整列した通路（３１２２）と関連する「アクティブな」チャンバ（３１７４）内部にない組織サンプルは、流体でいっぱいにはならない。
【０１４０】
本体（３１２０）を回転させるために回転部材（１８０）を駆動するモーターは、カッター（１５０）がある回数作動されたら、自動的に作動されてよく、回転部材（１８０）は、次の対のチャンバ（３１７６、３１７４）を開口部（１７４、１７６）に対して割り出して、追加の組織サンプルを次の（空の）組織チャンバ（３１７４）に入れる。代わりに、本体（３１２０）を回転させるために回転部材（１８０）を駆動するモーターは、オペレーターによって（例えば、ボタンもしくは他のユーザー入力特徴部などを作動させることによって）選択的に作動されてよく、オペレーターは、次の対のチャンバ（３１７６、３１７４）を開口部（１７４、１７６）に対していつ割り出すかを決定する。いくつかの他のバージョンでは、本体（３１２０）は、手動で回転され、モーターは、本体（３１２０）を回転させるためには作動されない。本体（３１２０）が回転され得る、さまざまな適切な方法は、本明細書の教示を鑑みれば、当業者には明らかであろう。
【０１４１】
場合によっては、オペレーターは、１つまたは複数の流体（例えば、薬剤および／もしくは他の種類の流体）を生検部位に投与したいと思うかもしれない。そのような場合、本体（３１２０）は、通路（３１２４）を開口部（１７４、１７６）と整列させるように回転され得る。この段階で、プラグは、通路（３１２４）に挿入されてよく、開口部（１７４、１７６）は、シールされた凹部を与えられる。本明細書に記載する他の実施例のように、シールされた凹部は、開口部（１７４、１７６）を互いに連結する短絡部を提供し、チャンバ（３１７６、３１７４）を回避する。
【０１４２】
さらに、または代わりに、オペレーターは、針（１１０）を介して生検部位マーカーを生検部位に配備したいと思うかもしれない。そのような場合、本体（３１２０）は、通路（３１２４）を開口部（１７４、１７６）と整列させるように回転され得る。この段階で、プラグは、通路（３１２４）から取り外されてよく、通路（３１２４）および開口部（１７４）を介したカッター（１５０）の内腔（１５１）への開いた通路を提供する。カッター（１５０）は、この段階で、近位に後退した位置にあってよく、側方孔（１１４）を効果的に開く。次に、マーカーアプライヤ器具のシャフトは、マーカーアプライヤ器具の作業端部が開いた側方孔（１１４）に到達するまで、通路（３１２４）、開口部（１７４）、およびカッター（１５０）の内腔（１５１）を通じて挿入され得る。マーカーアプライヤ器具は、その後、開いた側方孔（１１４）を介して生検部位に生検部位マーカーを配備するように作動され得る。例示的なマーカーアプライヤ器具は、開示の内容が参照により本明細書に組み込まれる、「Biopsy System」の名称で２０１４年２月６日に公開された米国特許出願公開第２０１４／００３９３４３号に開示されている。代わりに、任意の他の適切なマーカーアプライヤ器具を使用することができる。いったん生検部位が適切にマークされたら、オペレーターは、プラグを通路（３１２４）に戻すことができる。
【０１４３】
ＩＸ．単一のバルクサンプルトレーおよびプラグを備えた例示的な代替的組織サンプルホルダー組立体
図１６３〜図１７１は、プローブ（１００）と連結され得る、さらに別の例示的な組織サンプルホルダー組立体（４９００）を示している。この実施例の組織サンプルホルダー組立体（４９００）は、カバー（４９１０）、本体（４９２０）、組織サンプルトレー（４９４０）、およびプラグ（４９８０）を含む。カバー（４９１０）は、一対の差し込みピンスロット（４９１２）を含み、差し込みピンスロット（４９１２）は、差し込みピン（１０９）を受容するように構成され、組織サンプルホルダー組立体（４９００）は、プローブ（１００）と取り外し可能に連結されることができる。カバー（４９１０）はまた、開いた遠位端部（４９１４）および開いた近位端部（４９１６）を含む。以下でさらに詳細に説明するように、カバー（４９１０）は、プローブ（１００）に対して本体（４９２０）を収容するように構成されているが、カバー（４９１０）は、本体（４９２０）をカバー（４９１０）内部で回転させることができる。
【０１４４】
図１６５で最もよく分かるように、本体（４９２０）は、トレー受容通路（４９２２）およびプラグ受容通路（４９２４）を含み、各通路（４９２２、４９２４）は、本体（３０２０）の遠位端部（３０２１）から近位に延びている。通路（４９２２）は、組織サンプルトレー（４９４０）を受容するように構成され、通路（４９２４）は、取り外し可能なプラグ（４９８０）を受容するように構成されている。図１４１および同様のプラグ（３０５０）について前述したように、本実施例のプラグ（４９８０）は、プラグ（４９８０）が通路（４９２４）に完全に挿入されると通路（４９２４）の全長の手前で止まり、プラグ（４９８０）が通路（４９２４）に完全に挿入されると、凹部（４９２８）が通路（４９２４）の遠位端部に残る。図１６４および図１６６〜図１６７に示すように、本体（４９２０）の遠位壁（４９３２）は、上方開口部（４９３４）および下方開口部（４９３６）を含む。組織サンプルホルダー（４９００）がプローブ（１００）と連結され、本体（４９２０）がプローブ（１００）に対して組織サンプル受容角度位置まで割り出されたら、上方開口部（４９３４）は、シール部材（１７０）の開口部（１７４）と整列し、下方開口部（４９３６）は、シール部材（１７０）の開口部（１７６）と整列する。よって、上方開口部（４９３４）は、本体（４９２０）がプローブ（１００）に対して組織サンプル受容角度位置まで割り出されたら、カッター（１５０）の内腔（１５１）と流体連通し、下方開口部（４９３６）は、本体（４９２０）がプローブ（１００）に対して組織サンプル受容角度位置まで割り出されたら、チューブ（２０）と流体連通する。
【０１４５】
図１６６〜図１６７で最もよく分かるように、本体（４９２０）はまた、遠位に突出する鋲（４９３０）を含む。鋲（４９３０）は、回転部材（１８０）の把持特徴部（１８４）と連結されるように構成されている。鋲（４９３０）は、本体（４９２０）の一体的な特徴部であり、鋲（４９３０）の回転により、本体（４９２０）は鋲（４９３０）の長さ方向軸を中心にして回転する。前述のとおり、回転部材（１８０）は、プローブ（１００）およびホルスター（２００）が互いに連結されると、ホルスター（２００）の歯車（２４０）と噛み合う、一体的な歯車（１８２）を含む。歯車（２４０）は、ホルスター（２００）のモーターにより駆動され、組織サンプルを切断するためにカッター（１５０）が作動されるたびに、回転部材（１８０）を所定の角度増分で回転させる。ほんの一例として、歯車（２４０）は、開示内容が参照により本明細書に組み込まれる、「Biopsy System」の名称で２０１４年２月６日に公開された米国特許出願公開第２０１４／００３９３４３号の教示の少なくとも一部に従って、かつ／または、本明細書に引用される任意の他の参考文献の教示の少なくとも一部に従って、駆動され得る。
【０１４６】
図１６８〜図１７１で最もよく分かるように、組織サンプルトレー（４９４０）は、遠位壁（４９４２）、近位壁（４９４４）、床部（４９４６）、および壁（４９４２、４９４４）間に延びる一対の側壁（４９４８）を含む。壁（４９４２、４９４４、４９４８）、および床部（４９４６）は協働して、組織受容区画（４９５０）を画定する。ハンドル（４９５２）が近位壁（４９４４）から近位に延びており、組織サンプルトレー（４９４０）が通路（４９２２）から近位に引き抜かれるのを容易にする。図１６９および図１７０〜図１７１で最もよく分かるように、遠位壁（４９４２）は、上方開口部（４９６２）および下方凹部（４９６４）を画定する。開口部（４９６２）および凹部（４９６４）は、組織サンプルホルダー（４９００）がプローブ（１００）と連結されると、本体（４９２０）の対応する開口部（４９３４、４９３６）およびシール部材（１７０）の開口部（１７４、１７６）と整列するように構成されている。よって、上方開口部（４９６２）は、本体（４９２０）がプローブ（１００）に対して組織サンプル受容角度位置まで割り出されると、カッター（１５０）の内腔（１５１）と流体連通しており、下方凹部（４９６４）は、本体（４９２０）がプローブ（１００）に対して組織サンプル受容角度位置まで割り出されると、チューブ（２０）と流体連通する。
【０１４７】
図１６８および図１７０で最もよく分かるように、上方開口部（４９６２）は、組織受容区画（４９５０）と直接流体連通している。図１６９および図１７１で最もよく分かるように、下方凹部（４９６４）は、Ｕ字型の水溜め内腔（４９６６）と流体連通している。水溜め内腔（４９６６）は、床部（４９４６）の遠位端部にある一対の下方開口部（４９６８）で終端している。開口部（４９６８）は、水溜め内腔（４９６６）のＵ字型の構成により、互いから横にオフセットしている。本実施例では、複数の排水孔（４９７０、４９７２）が、壁（４９４８）および床部（４９４６）をそれぞれ通って形成されている。排水孔（４９７０、４９７２）は、前述したさまざまな排水孔と実質的に同じように構成され、動作可能である。チューブ（２０）からの真空が開口部（１７６、４９３６）および凹部（４９６４）を通じて適用されると、このような真空は、水溜め内腔（４９６６）および下方開口部（４９６８）を介して、床部（４９４６）の外側表面と通路（４９２２）の内側表面との間に画定された隙間または空間に、また、側壁（４９４８）の外側表面と通路（４９２２）の内側表面との間に画定された隙間または空間に伝えられることを、理解されたい。組織受容区画（４９５０）から排水された流体が、開口部（４９６８）、水溜め内腔（４９６６）、凹部（４９６４）、および開口部（１７６）を介して引き抜かれ得ることを、さらに理解されたい。
【０１４８】
組織サンプルホルダー（４９００）がプローブ（１００）と連結されて、本体（４９２０）がプローブ（１００）に対して組織サンプル受容角度位置まで割り出されると、上方開口部（４９３４、４９６２）が、シール部材（１７０）の開口部（１７４）と整列し、下方開口部（４９３６）および凹部（４９６４）がシール部材（１７０）の開口部（１７６）と整列することを、前記から理解されたい。よって、真空がチューブ（２０）および開口部（１７６）を介して適用されると、この真空は、下方開口部（４９３６）、凹部（４９６４）、水溜め内腔（４９６６）、および水溜め開口部（４９６８）を通って、床部（４９４６）と通路（４９２２）の内側表面との間に画定された隙間まで伝えられる。この真空はさらに、排水開口部（４９７０、４９７２）を通って組織受容区画（４９５０）まで、また、さらには開口部（４９６２、４９３４、１７４）に伝えられて、カッター（１５０）の内腔（１５１）に到達する。したがって、チューブ（２０）からの真空により、切断された組織サンプルが内腔（１５１）を通って近位に引き寄せられて、組織受容区画（４９５０）に到達し得ることを、理解されたい。内腔（１５１）を通って近位に引き寄せられた流体が、開口部（１７４、４９３４、４９６２）、組織受容区画（４９５０）、排水開口部（４９７０、４９７２）、水溜め開口部（４９６８）、水溜め内腔（４９６６）、凹部（４９６４）および開口部（４９３６、１７６）を介してチューブ（２０）にさらに引き込まれ得ることも、理解されたい。よって、組織サンプルホルダー（４９００）がプローブ（１００）と連結され、本体（４９２０）がプローブ（１００）に対して組織サンプル受容角度位置まで割り出されると、生検装置（１０）は、組織サンプルを組織受容区画（４９５０）に捕捉し、流体を排水するように動作し得る。
【０１４９】
場合によっては、オペレーターは、１つまたは複数の流体（例えば、薬剤および／もしくは他の種類の流体）を生検部位に投与したいと思うかもしれない。そのような場合、回転部材（１８０）を駆動するモーターは、通路（４９２４）を開口部（１７４、１７６）と整列させるために本体（４９２０）を回転させるように作動され得る。この段階で、プラグ（４９８０）は、通路（４９２４）に挿入されてよく、開口部（１７４、１７６）は、シールされた凹部（４９２８）を与えられる。本明細書に記載する他の実施例のように、凹部（４９２８）は、開口部（１７４、１７６）を互いに連結する短絡部を提供し、組織サンプルトレー（４９４０）を回避する。
【０１５０】
さらに、または代わりに、オペレーターは、針（１１０）を介して生検部位マーカーを生検部位に配備したいと思うかもしれない。そのような場合、本体（４９２０）は、通路（４９２４）を開口部（１７４、１７６）と整列させるために回転され得る。この段階で、プラグ（４９８０）は、通路（４９２４）から取り外されてよく、通路（４９２４）および開口部（１７４）を介したカッター（１５０）の内腔（１５１）への開いた通路を提供する。カッター（１５０）は、この段階で、近位に後退した位置にあってよく、側方孔（１１４）を効果的に開く。次に、マーカーアプライヤ器具のシャフトは、マーカーアプライヤ器具の作業端部が開いた側方孔（１１４）に到達するまで、通路（４９２４）、開口部（１７４）、およびカッター（１５０）の内腔（１５１）を通じて挿入され得る。マーカーアプライヤ器具は、その後、開いた側方孔（１１４）を介して生検部位に生検部位マーカーを配備するように作動され得る。例示的なマーカーアプライヤ器具は、開示の内容が参照により本明細書に組み込まれる、「Biopsy System」の名称で２０１４年２月６日に公開された米国特許出願公開第２０１４／００３９３４３号に開示されている。代わりに、任意の他の適切なマーカーアプライヤ器具を使用することができる。いったん生検部位が適切にマークされたら、オペレーターは、プラグ（４９８０）を通路（４９２４）に戻すことができる。
【０１５１】
Ｘ．近位に取り外し可能なサンプルトレーおよびプラグを備えた例示的な代替的組織サンプルホルダー組立体
図１７２〜図１８２は、プローブ（１００）と連結され得る、さらに別の例示的な組織サンプルホルダー組立体（５９００）を示している。この実施例の組織サンプルホルダー組立体（５９００）は、カバー（５９１０）、本体（５９２０）、複数の組織サンプルトレー（５９４０）、およびプラグ（５９８０）を含む。カバー（５９１０）は、一対の差し込みピンスロット（５９１２）を含み、差し込みピンスロット（５９１２）は、差し込みピン（１０９）を受容するように構成され、組織サンプルホルダー組立体（５９００）はプローブ（１００）と取り外し可能に連結されることができる。カバー（５９１０）はまた、開いた遠位端部（５９１４）および開いた近位端部（５９１６）を含む。以下でさらに詳細に説明するように、カバー（５９１０）は、プローブ（１００）に対して本体（５９２０）を収容するように構成されているが、カバー（５９１０）は、本体（５９２０）をカバー（５９１０）内部で回転させることができる。
【０１５２】
図１７６で最もよく分かるように、本体（５９２０）は、複数のトレー受容通路（５９２２）およびプラグ受容通路（５９２４）を含み、各通路（５９２２、５９２４）は、本体（５９２０）の遠位端部（５９２１）から近位に延びる。通路（５９２２）は、組織サンプルトレー（５９４０）を受容するように構成され、通路（５９２４）は、取り外し可能なプラグ（５９８０）を受容するように構成されている。図１４１および同様のプラグ（３０５０）に関して前述したように、本実施例のプラグ（５９８０）は、プラグ（５９８０）が通路（５９２４）に完全に挿入されると通路（５９２４）の全長の手前で止まり、プラグ（５９８０）が通路（５９２４）に完全に挿入されると、凹部（５９２８）が通路（５９２４）の遠位端部に残る。図１７２、図１７４、図１７７に示すように、本体（５９２０）の遠位壁（５９３２）は、それぞれの通路（５９２２）について、一組の上方開口部（５９３４）と、一組の下方開口部（５９３６）と、を含む。組織サンプルホルダー（５９００）がプローブ（１００）と連結され、本体（５９２０）がプローブ（１００）に対して３つの組織サンプル受容角度位置のうちの１つまで割り出されると、対応する上方開口部（５９３４）は、シール部材（１７０）の開口部（１７４）と整列し、対応する下方開口部（５９３６）は、シール部材（１７０）の開口部（１７６）と整列する。よって、所与の上方開口部（５９３４）は、本体（５９２０）がプローブ（１００）に対して所与の組織サンプル受容角度位置まで割り出されると、カッター（１５０）の内腔（１５１）と流体連通し、所与の下方開口部（５９３６）は、本体（５９２０）がプローブ（１００）に対して所与の組織サンプル受容角度位置まで割り出されると、チューブ（２０）と流体連通する。
【０１５３】
図１７２、図１７４、図１７７で最もよく分かるように、本体（５９２０）はまた、遠位に突出する鋲（５９３０）を含む。鋲（５９３０）は、回転部材（１８０）の把持特徴部（１８４）と連結されるように構成されている。鋲（５９３０）は、本体（５９２０）の一体的な特徴部であり、鋲（５９３０）の回転により、本体（５９２０）が鋲（５９３０）の長さ方向軸を中心として回転する。前述のとおり、回転部材（１８０）は、プローブ（１００）およびホルスター（２００）が互いに連結されるとホルスター（２００）の歯車（２４０）と噛み合う、一体的な歯車（１８２）を含む。歯車（２４０）は、ホルスター（２００）のモーターにより駆動され、組織サンプルを切断するためにカッター（１５０）が作動されるたびに、回転部材（１８０）を所定の角度増分で回転させる。ほんの一例として、歯車（２４０）は、開示内容が参照により本明細書に組み込まれる、「Biopsy System」の名称で２０１４年２月６日に公開された米国特許出願公開第２０１４／００３９３４３号の教示の少なくとも一部に従って、かつ／または、本明細書に引用される任意の他の参考文献の教示の少なくとも一部に従って、駆動され得る。
【０１５４】
図１７６、図１７７、および図１７９〜図１８２で最もよく分かるように、、各組織サンプルトレー（５９４０）は、遠位壁（５９４２）、近位壁（５９４４）、床部（５９４６）、および壁（５９４２、５９４４）間に延びる一対の側壁（５９４８）を含む。壁（５９４２、５９４４、５９４８）、および床部（５９４６）は協働して組織受容区画（５９５０）を画定する。具体的には、床部（５９４６）は、床部（５９４６）が遠位壁（５９４２）から近位に延びるにつれて、下方に傾斜する。これに対応して、側壁（５９４８）は、下方に傾斜する床部（５９４６）に適合するように側壁（５９４８）が遠位壁（５９４２）から近位に延びるにつれて、広がっている。ハンドル（５９５２）は、近位壁（５９４４）から近位に延び、組織サンプルトレー（５９４０）を通路（５９２２）から近位に引き出すのを容易にする。図１８０で最もよく分かるように、遠位壁（５９４２）は、上方開口部（５９６２）および下方凹部（５９６４）を画定している。開口部（５９６２）および凹部（５９６４）は、組織サンプルホルダー（５９００）がプローブ（１００）と連結されると本体（５９２０）の対応する開口部（５９３４、５９３６）およびシール部材（１７０）の開口部（１７４、１７６）と整列するように構成されている。よって、所与の上方開口部（５９６２）は、本体（５９２０）がプローブ（１００）に対して所与の組織サンプル受容角度位置まで割り出されると、カッター（１５０）の内腔（１５１）と流体連通し、所与の下方凹部（５９６４）は、本体（５９２０）がプローブ（１００）に対して所与の組織サンプル受容角度位置まで割り出されると、チューブ（２０）と流体連通する。
【０１５５】
図１７９および図１８０で最もよく分かるように、上方開口部（５９６２）は、組織受容区画（５９５０）と直接流体連通する。図１７９、図１８０、図１８２で最もよく分かるように、下方凹部（５９６４）は、床部（５９４６）下の隙間または空間と流体連通する。本実施例では、複数の排水孔（５９７０、５９７２）は、壁（５９４８）および床部（５９４６）をそれぞれ通って形成されている。排水孔（５９７０、５９７２）は、前述したさまざまな排水孔と実質的に同じように構成され、動作可能である。チューブ（２０）からの真空が開口部（１７６、５９３６）および凹部（５９６４）を通じて適用されると、このような真空は、床部（５９４６）の外側表面と通路（５９２２）の内側表面との間に画定された隙間または空間に、また、側壁（５９４８）の外側表面と通路（５９２２）の内側表面との間に画定された隙間または空間に、伝えられることを、理解されたい。組織受容区画（５９５０）から排水される流体が、開口部（５９６８）、凹部（５９６４）、および開口部（１７６）を介して引き抜かれ得ることを、さらに理解されたい。
【０１５６】
組織サンプルホルダー（５９００）がプローブ（１００）と連結され、本体（５９２０）がプローブ（１００）に対して所与の組織サンプル受容角度位置まで割り出されると、上方開口部（５９３４、５９６２）はシール部材（１７０）の開口部（１７４）と整列し、所与の下方開口部（５９３６）および凹部（５９６４）は、シール部材（１７０）の開口部（１７６）と整列することを、前記から理解されたい。よって、真空がチューブ（２０）および開口部（１７６）を介して適用されると、この真空は、下方開口部（５９３６）、および凹部（５９６４）を通って、床部（５９４６）と通路（５９２２）の内側表面との間に画定された隙間まで伝えられる。この真空はさらに、排水開口部（５９７０、５９７２）を通って組織受容区画（５９５０）に、また、さらには開口部（５９６２、５９３４、１７４）に伝えられて、カッター（１５０）の内腔（１５１）に到達する。したがって、チューブ（２０）からの真空により、切断された組織サンプルが内腔（１５１）を通って近位に引き寄せられて組織受容区画（５９５０）に到達し得ることを、理解されたい。内腔（１５１）を通って近位に引き寄せられた流体が、開口部（１７４、５９３４、５９６２）、組織受容区画（５９５０）、排水開口部（５９７０、５９７２）、凹部（５９６４）および開口部（５９３６、１７６）を介してチューブ（２０）にさらに引き込まれ得ることも、理解されたい。よって、組織サンプルホルダー（５９００）がプローブ（１００）と連結され、本体（５９２０）がプローブ（１００）に対して所与の組織サンプル受容角度位置まで割り出されると、生検装置（１０）は、組織サンプルを組織受容区画（５９５０）に捕捉し、流体を排水するように動作し得る。
【０１５７】
場合によっては、オペレーターは、１つまたは複数の流体（例えば、薬剤および／もしくは他の種類の流体）を生検部位に投与したいと思うかもしれない。そのような場合、回転部材（１８０）を駆動するモーターは、通路（５９２４）を開口部（１７４、１７６）と整列させるために本体（５９２０）を回転させるよう作動され得る。この段階で、プラグ（５９８０）は、通路（５９２４）に挿入されてよく、開口部（１７４、１７６）は、シールされた凹部（５９２８）を与えられる。本明細書に記載する他の実施例のように、凹部（５９２８）は、開口部（１７４、１７６）を互いに連結する短絡部を提供し、組織サンプルトレー（５９４０）を回避する。
【０１５８】
さらに、または代わりに、オペレーターは、針（１１０）を介して生検部位マーカーを生検部位に配備したいと思うかもしれない。そのような場合、本体（５９２０）は、通路（５９２４）を開口部（１７４、１７６）と整列させるために回転され得る。この段階で、プラグ（５９８０）は、通路（５９２４）から取り外されてよく、通路（５９２４）および開口部（１７４）を介したカッター（１５０）の内腔（１５１）への開いた通路を提供する。カッター（１５０）は、この段階で、近位に後退した位置にあってよく、側方孔（１１４）を効果的に開く。次に、マーカーアプライヤ器具のシャフトは、マーカーアプライヤ器具の作業端部が開いた側方孔（１１４）に到達するまで、通路（５９２４）、開口部（１７４）、およびカッター（１５０）の内腔（１５１）を通じて挿入され得る。マーカーアプライヤ器具は、その後、開いた側方孔（１１４）を介して生検部位に生検部位マーカーを配備するように作動され得る。例示的なマーカーアプライヤ器具は、開示の内容が参照により本明細書に組み込まれる、「Biopsy System」の名称で２０１４年２月６日に公開された米国特許出願公開第２０１４／００３９３４３号に開示されている。代わりに、任意の他の適切なマーカーアプライヤ器具を使用することができる。いったん生検部位が適切にマークされたら、オペレーターは、プラグ（５９８０）を通路（５９２４）に戻すことができる。
【０１５９】
ＸＩ．補助真空付きの例示的な生検装置
場合によっては、補助真空を組織サンプルホルダー組立体に提供することが望ましいかもしれない。そのような補助真空は、チューブ（２０）を介して適用されている真空に加えて、またはその代わりに提供され得る。図１５３は、補助真空を組織サンプルホルダー組立体（３００）に提供するためにプローブ（１００）に追加の真空チューブ（３２００）が備え付けられた、例示的な構成を示している。この実施例の真空チューブ（３２００）は、組織サンプルホルダー組立体（３００）と弁組立体（３２０２）との間に延びている。弁組立体（３２０２）は、チューブ（２０）のルアーフィット（２２）とさらに連結される。弁組立体（３２０２）はまた、弁組立体（３２０２）が真空制御モジュール（２５０）などの真空源と連結されるのを可能にする、取り付け具（３２０４）を含む。いくつかのバージョンでは、弁組立体（３２０２）により、真空は、双方のチューブ（２０、３２００）により同時に組織サンプルホルダー組立体（３００）に適用される。さらに、または代わりに、弁組立体（３２０２）は、１回にただ１つのチューブ（２０、３２００）を介して真空を適用することを繰り返す（alternate between）ように動作可能であってよい。弁組立体（３２０２）がとり得るさまざまな適切な形態は、本明細書の教示を鑑みれば、当業者には明らかであろう。プローブ（１００）の向きに基づいて、かつ／または他の要因に基づいて、余分な流体を組織サンプルホルダー組立体（３００）から除去するために、オペレーターがチューブ（３２００）を使用したいと思うかもしれないことも、理解されたい。さらに別の単に例示的な実施例として、補助真空は、開示内容が参照により本明細書に組み込まれる、「Biopsy Device with Auxiliary Vacuum Source」の名称で２０１３年２月１９日に発行された米国特許第８，３７６，９５７号の教示の少なくとも一部に従って、提供され得る。
【０１６０】
ＸＩＩ．組織サンプルホルダーのタイプを選択するための例示的なプロセス
前述のとおり、生検システム（２）は、少なくとも２つの異なる種類の組織サンプルホルダーを受け入れるように構成されてよく、この２種類には、チャンバ１つ当たりに１つの組織サンプルのみを受容するように構成されたチャンバを備えたトレーを含む、少なくとも１つの種類の組織サンプルホルダーと、チャンバ１つ当たりにいくつかの組織サンプルを受容するように構成された１つまたは複数のトレーを含む、少なくとも１つの種類の組織サンプルホルダーと、が含まれる。明瞭にするために、第１のタイプの組織サンプルホルダーは、単一サンプルチャンバ組織サンプルホルダーと呼び、第２のタイプは、バルクサンプルチャンバ組織サンプルホルダーと呼ぶ。単一サンプルチャンバ組織サンプルホルダーのさまざまな実施例が、開示の内容が参照により本明細書に組み込まれる、「Biopsy System」の名称で２０１４年２月６日に公開された米国特許出願公開第２０１４／００３９３４３号、開示内容が参照により本明細書に組み込まれる、「Biopsy Device with Discrete Tissue Chambers」の名称で２０１４年４月２２日に発行された米国特許第８，７０２，６２３号、開示内容が参照により本明細書に組み込まれる、「Vacuum Timing Algorithm for Biopsy Device」の名称で２０１１年５月１０日に発行された米国特許第７，９３８，７８６号、に開示されている。バルクサンプルチャンバ組織サンプルホルダーのさまざまな実施例は、（図９〜図１５２を参照して）前述されており、また、開示内容が参照により本明細書に組み込まれる、「Biopsy Device Tissue Sample Holder with Bulk Chamber and Pathology Chamber」の名称で２０１３年２月２８日に公開された米国特許出願公開第２０１３／００５３７２４号に記載されている。当然、さまざまな他の種類の単一サンプルチャンバ組織サンプルホルダーおよびバルクサンプルチャンバ組織サンプルホルダーを生検装置（１０）と共に使用することができる。
【０１６１】
図１５４は、どの種類の組織サンプルホルダーを使用するのかオペレーターが示すことができるように、生検システム（２）により実行され得る例示的なプロセス（４０００）を示している。ほんの一例として、プロセス（４０００）は、真空制御モジュール（２５０）によって主に実施されることができ、真空制御モジュール（２５０）は、メモリ、プロセッサ、および／またはプロセス（４０００）を実行するのに必要な任意の他の適切なハードウェアを含み得る。プロセス（４０００）を実行するために真空制御モジュール（２５０）に組み込まれ得るさまざまな適切な種類のハードウェアは、本明細書の教示を鑑みれば、当業者には明らかであろう。図１５５〜図１６２は、プロセス（４０００）の実行中に生検システム（２）を通じて提供され得る、さまざまな種類のグラフィカルユーザーインターフェース（ＧＵＩ）を示している。やはりほんの一例として、これらのＧＵＩは、真空制御モジュール（２５０）を通じて提供されてよく、真空制御モジュール（２５０）は、通常のスクリーン、タッチスクリーン、および／またはＧＵＩを提供するのに必要な、任意の他の適切なハードウェアを含み得る。ＧＵＩを提供するために真空制御モジュール（２５０）に組み込まれ得る、さまざまな適切な種類のハードウェアは、本明細書の教示を鑑みれば、当業者には明らかであろう。真空制御モジュール（２５０）は、開示内容が参照により本明細書に組み込まれる、「Biopsy System」の名称で２０１４年２月６日に公開された米国特許出願公開第２０１４／００３９３４３号の教示の少なくとも一部に従って構成され、動作可能であってよいことも、理解されたい。
【０１６２】
図１５４に示すように、本実施例のプロセス（４０００）は、工程（４００２）で始まり、工程（４００２）では、オペレーターは、プローブ（１００）をホルスター（２００）に固定するように指示される。ほんの一例として、生検システム（２）は、工程（４００２）中に、図１５５に示すＧＵＩ（４１００）をオペレーターに提示することができる。この実施例のＧＵＩ（４１００）は、テキスト指示（４１０６）と共に、プローブ（１００）のグラフィック表示（４１０２）と、ホルスター（２００）のグラフィック表示（４１０４）とを含む。当然、ＧＵＩ（４１００）は、この段階で任意の他の適切な様相を有してよい。
【０１６３】
いったんオペレーターがプローブ（１００）をホルスター（２００）と連結したら、プロセス（４０００）は、工程（４００４）へ進み、工程（４００４）では、オペレーターは、プローブ（１００）に固定された（または固定されるであろう）組織サンプルホルダーのタイプを示すように指示される。いくつかのバージョンでは、生検システム（２）は、ホルスター（２００）とのプローブ（１００）の連結を自動的に検知する感知特徴部を含み、プローブ（１００）がホルスター（２００）と連結されるとすぐに、プロセス（４０００）は自動的に工程（４００４）に進む。いくつかの他のバージョンでは、オペレーターは、プロセス（４０００）が工程（４００４）に進む前に、プローブ（１００）がホルスター（２００）と連結されていることを示すために、ＧＵＩ（４１００）を介して何らかの形の確認（conformation）を提供しなければならない。図１５６は、工程（４００４）の間に生検システム（２）がオペレーターに提示し得る、例示的なＧＵＩ（４２００）を示している。このＧＵＩ（４２００）は、テキスト指示（４２０６）と共に、単一サンプルチャンバ組織サンプルホルダーのグラフィック表示（４２０２）と、バルクサンプルチャンバ組織サンプルホルダーのグラフィック表示（４２０４）と、を含む。当然、ＧＵＩ（４２００）は、この段階で任意の他の適切な様相を有してよい。
【０１６４】
プロセス（４０００）の残りは、工程（４００４）中にオペレーターが選択した組織サンプルホルダーのタイプに基づいて進む。タッチスクリーンを介してＧＵＩ（４２００）が提示されるいくつかのバージョンでは、オペレーターは、関連するグラフィック表示（４２０２、４２０４）を、１回、２回、または任意の他の適切な回数タップすることにより、組織サンプルホルダーのタイプを選択する。オペレーターが（例えば、グラフィック表示（４２０２）をタップすることなどにより）単一サンプルチャンバ組織サンプルホルダーを選択した場合、プロセス（４０００）は、工程（４００６）に進み、工程（４００６）では、オペレーターは、初期化に進むように指示される。図１５７は、生検システム（２）が工程（４００６）中にオペレーターに提示し得る、例示的なＧＵＩ（４３００）を示す。このＧＵＩ（４３００）は、テキスト指示（４３０６）および入力矢印（４３０８）と共に、単一サンプルチャンバ組織サンプルホルダーのグラフィック表示（４３０２）と、バルクサンプルチャンバ組織サンプルホルダーのグラフィック表示（４３０４）と、を含む。グラフィック表示（４３０２）は、グラフィック表示（４３０４）と比べて強調され、単一サンプルチャンバ組織サンプルホルダーのタイプが選択されたという視覚的確認をオペレーターに与える。当然、ＧＵＩ（４３００）は、この段階で任意の他の適切な様相を有し得る。
【０１６５】
いったんオペレーターが（例えば、矢印（４３０８）を直接タップするなどして）入力矢印（４３０８）を作動させると、生検システム（２）は、組織サンプルホルダー、カッター（１５０）、および真空制御モジュール（２５０）の真空ポンプの初期化をもたらす。この初期化は、工程（４００８）として示されている。ほんの一例として、このような初期化は、開示内容が参照により本明細書に組み込まれる、「Biopsy System」の名称で２０１４年２月６日に公開された米国特許出願公開第２０１４／００３９３４３号の教示の少なくとも一部に従って実行され得る。初期化が完了すると、プロセス（４０００）は、レディ状態（ready state）である工程（４０１０）に至る。このレディ状態では、生検装置（１０）は、いくつかの組織サンプルを患者から入手するように動作し得る。図１５８は、生検システム（２）が工程（４０１０）中にオペレーターに提示し得る例示的なＧＵＩ（４４００）を示す。この実施例のＧＵＩ（４４００）は、第１の領域（４４１０）、第２の領域（４４２０）、第３の領域（４４３０）、スタンバイ入力部（４４４０）を含む。当然、ＧＵＩ（４４００）は、この段階で任意の他の適切な様相を有し得る。
【０１６６】
第１の領域（４４１０）は、第１の入力部（４４１２）と、第２の入力部（４４１４）と、針（１１０）およびカッター（１５０）のグラフィック表示（４４１６）と、を含む。第１の入力部（４４１２）により、オペレーターは、側方孔（１１４）の有効な長さを選択的に変えることができる。第２の入力部（４４１４）により、オペレーターは、カッター（１５０）の他の設定を変えることができる。グラフィック表示（４４１６）は、側方孔（１１４）の選択された長さ設定を示す視覚的フィードバックを与える。第１の領域（４４１０）は、開示内容が参照により本明細書に組み込まれる、「Biopsy System」の名称で２０１４年２月６日に公開された米国特許出願公開第２０１４／００３９３４３号の教示の少なくとも一部に従って、構築され、動作可能であってよいことを、理解されたい。
【０１６７】
ＧＵＩ（４４００）の第２の領域（４４２０）は、第１の入力部（４４２２）と、第２の入力部（４４２４）と、単一サンプルチャンバ組織サンプルホルダーのグラフィック表示（４４２６）と、を含む。第１の入力部（４４２２）により、オペレーターは、一番最近入手した組織サンプルを、その組織サンプルが入手された直後に見ることができるよう、ユーザーに提示するために、組織サンプルホルダーを回転させるべき角度位置を識別することができる。第２の入力部（４４２４）により、オペレーターは、カッター（１５０）の内腔（１５１）に対して組織サンプルホルダーを徐々に、つまり１回に１つのチャンバを、回転させることができる。グラフィック表示（４４２６）は、組織サンプルホルダーの角度をつけた位置付けおよび／または組織サンプルホルダーのさまざまな組織受容チャンバを組織サンプルが占めていることを示す、視覚的フィードバックをオペレーターに与えることができる。第２の領域（４４２０）もまた、開示内容が参照により本明細書に組み込まれる、「Biopsy System」の名称で２０１４年２月６日に公開された米国特許出願公開第２０１４／００３９３４３号の教示の少なくとも一部に従って、構築され、動作可能であってよい。
【０１６８】
ＧＵＩ（４４００）の第３の領域（４４３０）は、第１の入力部（４４３２）と、第２の入力部（４４３４）と、真空制御モジュール（２５０）によりもたらされる真空レベルのグラフィック表示（４４３６）と、を含む。第１の入力部（４４３２）により、オペレーターは、（例えば、入力部（４４３２）をタップすることなどにより所定の真空レベルを繰り返すことで）真空レベルを選択することができる。グラフィック表示（４４３６）は、選択された真空レベルを示すように、視覚的フィードバックをオペレーターに与える。第２の入力部（４４３４）により、オペレーターは、真空除去サイクル（clearing vacuum cycle）を開始することができる。第３の領域（４４３０）もまた、開示内容が参照により本明細書に組み込まれる、「Biopsy System」の名称で２０１４年２月６日に公開された米国特許出願公開第２０１４／００３９３４３号の教示の少なくとも一部に従って、構築され、動作可能であってよい。
【０１６９】
オペレーターがスタンバイ入力部（４４４０）を作動させた場合、プロセス（４０００）は、工程（４０１２）に進み、ここで、生検システム（２）は、スタンバイモードになる。図１５９は、工程（４００６）中に生検システム（２）がオペレーターに提示し得る、例示的なＧＵＩ（４５００）を示す。このＧＵＩ（４５００）は、テキスト指示（４５０６）および入力矢印（４５０８）と共に、単一サンプルチャンバ組織サンプルホルダーのグラフィック表示（４５０２）と、バルクサンプルチャンバ組織サンプルホルダーのグラフィック表示（４５０４）とを含む。当然、ＧＵＩ（４５００）は、この段階で任意の他の適切な様相を有し得る。この段階で、オペレーターは、入力矢印（４５０８）を作動させることによって（例えば、タッチスクリーンの入力矢印（４５０８）をタップすることなどによって）工程（４０１０）に戻ることができる。あるいは、オペレーターは、グラフィック表示（４５０４）を作動させることによって（例えば、タッチスクリーン上のグラフィック表示（４５０４）をタップすることなどによって）プローブ（１００）と連結される組織サンプルホルダーのタイプを変更し、これに対応して生検システム（２）の動作モードを変更することができる。オペレーターがグラフィック表示（４５０４）を作動させると、プロセス（４０００）は、以下でさらに詳細に説明する工程（４０２０）に進む。
【０１７０】
前述のとおり、プロセス（４００）の進行は、工程（４００４）中にオペレーターが選択する組織サンプルホルダーのタイプに基づいて変化する。前記の記載は、オペレーターが単一サンプルチャンバ組織サンプルホルダーのタイプを選択した場合に焦点を当てている。場合によっては、オペレーターは、工程（４００４）の間に（例えば、グラフィック表示（４２０４）をタップすることなどによって）バルクサンプルチャンバ組織サンプルホルダーのタイプを選択することができる。このような選択が行われると、プロセス（４０００）は、工程（４０１４）に進み、ここで、オペレーターは、初期化に進むよう指示される。図１６０は、工程（４０１４）中に生検システム（２）がオペレーターに提示し得る、例示的なＧＵＩ（４６００）を示している。このＧＵＩ（４６００）は、テキスト指示（４６０６）および入力矢印（４６０８）と共に、単一サンプルチャンバ組織サンプルホルダーのグラフィック表示（４６０２）と、バルクサンプルチャンバ組織サンプルホルダーのグラフィック表示（４６０４）とを含んでいる。グラフィック表示（４６０４）は、グラフィック表示（４６０４）と比べて強調されて、バルクサンプルチャンバ組織サンプルホルダーのタイプが選択されたという視覚的な確認をオペレーターに与える。当然、ＧＵＩ（４６００）は、この段階で任意の他の適切な様相を有し得る。
【０１７１】
いったんオペレーターが（例えば、矢印（４６０８）を直接タップすることなどによって）入力矢印（４６０８）を作動させると、生検システム（２）は、カッター（１５０）および真空制御モジュール（２５０）の真空ポンプを初期化する。この初期化は、工程（４０１６）として示されている。ほんの一例として、このような初期化は、開示内容が参照により本明細書に組み込まれる、「Biopsy System」の名称で２０１４年２月６日に公開された米国特許出願公開第２０１４／００３９３４３号の教示の少なくとも一部に従って、行われ得る。初期化が終わったら、プロセス（４０００）は、レディ状態である工程（４０１８）に至る。このレディ状態では、生検装置（１０）は、いくつかの組織サンプルを患者から入手するように動作し得る。図１６１は、工程（４０１８）中に生検システム（２）がオペレーターに提示し得る、例示的なＧＵＩ（４７００）を示している。この実施例のＧＵＩ（４７００）は、第１の領域（４７１０）と、第２の領域（４７２０）と、第３の領域（４７３０）と、スタンバイ入力部（４７４０）とを含む。当然、ＧＵＩ（４７００）は、この段階で任意の他の適切な様相を有し得る。
【０１７２】
第１の領域（４７１０）は、第１の入力部（４７１２）と、第２の入力部（４７１４）と、針（１１０）およびカッター（１５０）のグラフィック表示（４７１６）と、を含む。第１の入力部（４７１２）により、オペレーターは、側方孔（１１４）の有効な長さを選択的に変えることができる。第２の入力部（４７１４）により、オペレーターは、カッター（１５０）の他の設定を変えることができる。グラフィック表示（４７１６）は、側方孔（１１４）の選択された長さの設定を示す、視覚的なフィードバックを与える。第１の領域（４７１０）は、開示内容が参照により本明細書に組み込まれる、「Biopsy System」の名称で２０１４年２月６日に公開された米国特許出願公開第２０１４／００３９３４３号の教示の少なくとも一部に従って、構築され、動作可能であってよいことを、理解されたい。
【０１７３】
ＧＵＩ（４７００）の第２の領域（４７２０）は、第１の入力部（４７２２）と、第２の入力部（４７２４）と、バルクサンプルチャンバ組織サンプルホルダーのグラフィック表示（４７２６）と、を含む。第１の入力部（４７２２）により、オペレーターは、前述のとおり医療用流体（または他の種類の流体）が針（１１０）を通って適用されることを示すよう、動作モードを選択することができる。前述したものなどの「短絡」溝を含む、バルクチャンバ組織サンプルホルダーのバージョンでは、生検装置（１００）は、オペレーターが第１の入力部（４７２２）を作動させるのに応じて、前述のとおりシール部材（１７０）の開口部（１７４、１７６）の上に「短絡」溝を位置付けるように、組織サンプルホルダーを作動させることができる。第２の入力部（４７２４）により、オペレーターは、前記オペレーターが前述のように針（１１０）を通じて生検部位マーカーを適用したときに生検システムをリセットすることができる。グラフィック表示（４７２６）は、オペレーターに視覚的フィードバックを与え、組織サンプルが組織サンプルホルダーの１つまたは複数のバルクチャンバを占めていることを示すことができる。
【０１７４】
ＧＵＩ（４７００）の第３の領域（４７３０）は、第１の入力部（４７３２）と、第２の入力部（４７３４）と、真空制御モジュール（２５０）により与えられる真空レベルのグラフィック表示（４７３６）と、を含む。第１の入力部（４７３２）により、オペレーターは（例えば、入力（４７３２）をタップすることによって所定の真空レベルを繰り返すことなどによって）真空レベルを選択することができる。グラフィック表示（４７３６）は、選択された真空レベルを示すように、視覚的なフィードバックをオペレーターに与える。第２の入力部（４７３４）により、オペレーターは、真空除去サイクルを開始することができる。第３の領域（４７３０）も、開示内容が参照により本明細書に組み込まれる、「Biopsy System」の名称で２０１４年２月６日に公開された米国特許出願公開第２０１４／００３９３４３号の教示の少なくとも一部に従って、構築され、動作可能であってよい。
【０１７５】
オペレーターがスタンバイ入力部（４７４０）を作動させた場合、プロセス（４０００）は工程（４０２０）に進み、ここで、生検システム（２）は、スタンバイモードになる。図１６２は、工程（４０２０）中に生検システム（２）がオペレーターに提示し得る、例示的なＧＵＩ（４８００）を示している。このＧＵＩ（４８００）は、テキスト指示（４８０６）および入力矢印（４８０８）と共に、バルクサンプルチャンバ組織サンプルホルダーのグラフィック表示（４８０４）を含む。当然、ＧＵＩ（４８００）は、この段階で任意の他の適切な様相を有し得る。この段階で、オペレーターは、入力矢印（４８０８）を作動させることによって（例えば、タッチスクリーン上の入力矢印（４８０８）をタップすることなどによって）工程（４０１８）に戻ることができる。本実施例では、生検システム（２）が、オペレーターにＧＵＩ（４８００）を使用させて、工程（４０２０）中にプローブ（１００）と連結される組織サンプルホルダーのタイプを変え、これに対応して生検システム（２）の動作モードを変えることをさせない点で、工程（４０２０）は工程（４０１２）と異なっており、ＧＵＩ（４８００）はＧＵＩ（４５００）と異なっている。オペレーターが単一チャンバ組織サンプルホルダーおよび対応する動作モードに変えたいと考えた場合、オペレーターは、プローブ（１００）をホルスター（２００）から切り離さなければならず、これにより、プロセス（４０００）が工程（４００２）およびＧＵＩ（４１００）に戻って始まる。いくつかの他のバージョンでは、生検システム（２）により、オペレーターは、ＧＵＩ（４８００）を使用して、工程（４０２０）中に、プローブ（１００）に連結される組織サンプルホルダーのタイプを変え、これに対応して生検システム（２）の動作モードを変えることができる。
【０１７６】
本実施例では、オペレーターがプロセス（４０００）中の任意の時点でプローブ（１００）をホルスター（２００）から切り離すと、プロセス（４０００）は、工程（４００２）に戻る。当然、プロセス（４０００）および前述したすべてのＧＵＩは、単に例示的なものである。任意の他の適切なプロセスおよび／またはＧＵＩを、前述したものに加えて、またはそれらの代わりに、使用することができる。
【０１７７】
ＸＩＩＩ．その他
前述したさまざまな実施例では、組織サンプルホルダーは、プローブ（１００）と直接連結されている。いくつかの他のバージョンでは、組織サンプルホルダーは、プローブ（１００）と直接連結されない。ほんの一例として、組織サンプルホルダーは、１つまたは複数のチューブ（例えば、可撓性チューブ）および／または開口部（１７４、１７６）（もしくは開口部（１７４、１７６）の等価物など）とさらに連結される他の導管と連結されてよく、組織サンプルホルダーは、１つまたは複数のチューブを介して、プローブ（１００）から遠くに離される。このようないくつかのバージョンでは、１つまたは複数のチューブおよび／または他の導管を通じた吸引は、組織を開いた側方孔（１１４）に引き込むのに、また、可撓性チューブが曲がった場合でも、カッター（１５０）の内腔（１５１）の長さ、および組織サンプルホルダーを内腔（１５１）と連結する可撓性チューブを通じて、切断された組織サンプルを近位に引き寄せるのに、十分である。組織サンプルホルダーが１つまたは複数の可撓性チューブおよび／または他の導管を介してプローブ（１００）と遠隔的に連結され得る、さまざまな適切な方法は、本明細書の教示を鑑みれば、当業者には明らかであろう。本明細書に記載する組織サンプルホルダーのいずれも、１つまたは複数の可撓性チューブおよび／または他の導管を介してプローブ（１００）と遠隔的に連結され得ることも、理解されたい。
【０１７８】
本明細書に記載する、いくつかの例としての組織サンプルホルダーは、ただ１つの単一組織受容チャンバを含む。このようなチャンバは、１回に複数の組織サンプルを受容および保持するように構成されているが、これらの実施例では、ただ１つの単一チャンバが存在する。本明細書に記載する組織サンプルホルダーのいくつかの他の実施例は、４つの組織受容チャンバを有する。本明細書に記載する組織サンプルホルダーのいくつかの他の実施例は、３つの組織受容チャンバを有する。本明細書に記載する組織サンプルホルダーのいくつかの他の実施例は、６つの組織受容チャンバを有する。任意の適切な数の組織受容チャンバが、組織サンプルホルダーにより提供され得ることを、理解されたい。本明細書に記載する組織受容チャンバの数は、限定的なものととらえるべきではない。
【０１７９】
参照により本明細書に組み込まれると言われた任意の特許、公報、または他の開示資料は、全体として、または部分的に、組み込まれる資料が本開示に記載される既存の定義、陳述、または他の開示資料と矛盾しない範囲でのみ、本明細書に組み込まれることが理解されるべきである。したがって、必要な範囲で、本明細書に明白に記載される開示は、参照により本明細書に組み込まれるあらゆる矛盾する資料に優先する。参照により本明細書に組み込まれると言われたが、本明細書に記載される既存の定義、陳述、または他の開示資料と矛盾する、あらゆる資料またはその一部は、組み込まれる資料と既存の開示資料との間に矛盾が生じない範囲で、組み込まれるに過ぎない。
【０１８０】
本発明の実施形態は、ロボット支援手術における適用を有している。
【０１８１】
ほんの一例として、本明細書に記載した実施形態は、手術前に処理され得る。まず、新しい器具または使用済みの器具を入手し、必要であれば洗浄することができる。この器具は、次に滅菌され得る。１つの滅菌技術では、器具が、プラスチックまたはＴＹＶＥＫバッグなど、閉じられ密閉された容器の中に置かれる。容器および器具は、その後、γ放射線、ｘ線、または高エネルギー電子などの、容器を貫通できる放射線場の中に置かれ得る。放射線が、器具上および容器内の細菌を死滅させることができる。滅菌された器具は、その後、滅菌容器内に保管され得る。密閉された容器は、医療施設で開封されるまで、器具を滅菌状態に保つことができる。βもしくはγ放射線、エチレンオキシド、または蒸気を含むがこれらに限定されない、当技術分野で既知の任意の他の技術を使用して、装置を滅菌することもできる。
【０１８２】
本明細書に開示した装置の実施形態は、少なくとも１回使用した後で再利用のため再調整されることができる。再調整は、装置の分解ステップ、その後の、特定の部品の洗浄または置換ステップ、およびその後の再組立ステップの、任意の組み合わせを含むことができる。具体的には、本明細書に開示する装置の実施形態は、分解されてよく、装置の、任意の数の特定の部品または部分が、任意の組み合わせで、選択的に置換または除去されることができる。特定の部分が洗浄および／または置換されると、装置の実施形態は、再調整施設で、または、外科処置の直前に外科チームによって、その後使用されるように再組立され得る。当業者は、装置の再調整が、分解、洗浄／置換、および再組立のためのさまざまな技術を利用できることを認識するであろう。このような技術の利用、および結果として得られる再調整済み装置はすべて、本出願の範囲内である。
【０１８３】
本発明のさまざまな実施形態を図示し説明してきたが、本明細書に記載された方法およびシステムのさらなる改作物が、本発明の範囲を逸脱せずに、当業者による適切な改変により達成され得る。このような潜在的な改変のいくつかには言及しており、他のものは、当業者には明らかであろう。例えば、前述した実施例、実施形態、外形、材料、寸法、比率、ステップなどは、例示的なものであり、必須ではない。したがって、本発明の範囲は、以下の請求項の点で検討されるべきであり、本明細書および図面に示し説明した構造および動作の詳細に限定されないことが理解される。
【０１８４】
〔実施の態様〕
（１）  生検装置において、
（ａ）プローブ本体と、
（ｂ）前記プローブ本体から遠位に延びる針部分であって、横方向組織受容孔を含む、針部分と、
（ｃ）前記孔を通って突出する組織から組織サンプルを切断するために前記針部分に対して並進運動可能である、中空カッターであって、カッター内腔を画定する、中空カッターと、
（ｄ）組織サンプルホルダーであって、
（ｉ）本体、および、
（ｉｉ）組織サンプルトレーを含み、前記組織サンプルトレーは、前記本体と取り外し可能に係合され、前記組織サンプルトレーは、下方に延びる内腔を含み、前記下方に延びる内腔は、一対の下方開口部を含み、前記組織サンプルトレーは、チャンバを画定し、前記チャンバは、前記組織サンプルトレーの複数の開口部を通じて、前記一対の下方開口部と連通している、
組織サンプルホルダーと、
を含む、生検装置。
（２）  実施態様１に記載の生検装置において、
前記組織サンプルトレーは、遠位壁をさらに含む、生検装置。
（３）  実施態様２に記載の生検装置において、
前記下方に延びる内腔は、前記組織サンプルトレーの前記遠位壁内部に配されている、生検装置。
（４）  実施態様３に記載の生検装置において、
前記組織サンプルトレーは、近位壁、床部、および前記遠位壁と前記近位壁との間に配された一対の側壁をさらに含む、生検装置。
（５）  実施態様４に記載の生検装置において、
前記組織サンプルトレーの前記複数の開口部は、前記床部および前記一対の側壁を通って配されている、生検装置。
【０１８５】
（６）  実施態様１に記載の生検装置において、
前記回転可能な本体は、上方開口部、および下方開口部を含み、
前記上方開口部は、前記中空カッターと整列するように構成されており、
前記下方開口部は、前記プローブ本体の真空源と整列するように構成されている、生検装置。
（７）  実施態様６に記載の生検装置において、
前記組織サンプルトレーは、上方開口部、および下方凹部を含み、
前記上方開口部は、前記組織サンプルトレーの前記チャンバと流体連通しており、
前記下方凹部は、前記組織サンプルトレーの前記下方に延びる内腔と流体連通している、生検装置。
（８）  実施態様７に記載の生検装置において、
前記回転可能な本体の前記上方開口部は、前記組織サンプルトレーの前記上方開口部と整列するように構成されており、
前記回転可能な本体の前記下方開口部は、前記組織サンプルトレーの前記下方凹部と整列するように構成されている、生検装置。
（９）  実施態様８に記載の生検装置において、
前記プローブ本体は、前記カッターが前記組織サンプルトレーのキャビティと流体連通し、前記真空源が前記組織サンプルトレーの前記下方に延びる内腔と流体連通するように、前記中空カッターおよび前記真空源に対して、前記回転可能な本体の前記上方開口部および前記下方開口部を割り出す（index）ように構成されている、生検装置。
（１０）  実施態様１に記載の生検装置において、
前記回転可能な本体は、前記組織サンプルトレーと前記回転可能な本体との間に隙間を画定するように構成されており、
前記一対の下方開口部は、前記隙間および前記組織サンプルトレーの複数の開口部を通じて、前記組織サンプルトレーの前記チャンバと流体連通している、生検装置。
【０１８６】
（１１）  実施態様１に記載の生検装置において、
前記回転可能な本体は、トレー受容通路、およびプラグ受容通路を含む、生検装置。
（１２）  実施態様１１に記載の生検装置において、
前記トレー受容通路は、前記組織サンプルトレーを受容するように構成されている、生検装置。
（１３）  実施態様１２に記載の生検装置において、
前記プラグ受容通路は、プラグを取り外し可能に受容するように構成されており、
前記プラグ受容通路は、マーカーアプライヤ器具を受容するようにさらに構成されている、生検装置。
（１４）  実施態様１に記載の生検装置において、
前記プローブ本体と前記組織サンプルホルダーとの間に位置付けられたシールをさらに含む、生検装置。
（１５）  実施態様１に記載の生検装置において、
前記下方に延びる内腔は、Ｕ字型である、生検装置。
【０１８７】
（１６）  生検装置と共に使用される組織サンプルホルダーにおいて、
（ａ）カップと、
（ｂ）前記カップに挿入可能な本体と、
（ｃ）前記本体に挿入可能な組織サンプルトレーであって、
（ｉ）上方開口部および下方凹部を含む遠位壁であって、前記下方凹部は、前記遠位壁内部に配された内腔と連通しており、前記内腔は、一対の下方開口部を画定している、遠位壁、
（ｉｉ）近位壁、
（ｉｉｉ）床部、
（ｉｖ）前記遠位壁と前記近位壁との間に配された一対の側壁、ならびに、
（ｖ）前記遠位壁、前記近位壁、前記床部、および前記一対の側壁によって画定された組織収集チャンバ、を含み、前記床部および前記一対の側壁は、複数の開口部を含み、前記内腔により画定された前記一対の下方開口部は、前記床部および前記一対の側壁の前記複数の開口部を通じて前記チャンバと流体連通している、
組織サンプルトレーと、
を含む、組織サンプルホルダー。
（１７）  実施態様１６に記載の組織サンプルホルダーにおいて、
前記床部および側壁を通っている前記複数の開口部は、流体が流れること、および前記生検装置により切断された組織サンプルの流れを遮断することを、可能にするように構成されている、組織サンプルホルダー。
（１８）  実施態様１６に記載の組織サンプルホルダーにおいて、
前記本体、および前記組織サンプルトレーの前記床部は、前記本体と前記組織サンプルトレーとの間に隙間を画定し、
前記隙間は、前記床部の前記複数の開口部から前記遠位壁の前記内腔まで流体を送るように構成されている、組織サンプルホルダー。
（１９）  実施態様１６に記載の組織サンプルホルダーにおいて、
前記遠位壁の前記内腔は、Ｕ字型の水溜め内腔である、組織サンプルホルダー。
（２０）  生検装置と共に使用される組織サンプルホルダーにおいて、
（ａ）カップと、
（ｂ）本体と、
（ｃ）前記本体の対応する通路に挿入可能な複数の組織サンプルトレーであって、
（ｉ）上方開口部および下方開口部を含む遠位壁、
（ｉｉ）近位壁、
（ｉｉｉ）前記近位壁から前記遠位壁へと下方にテーパー状になる床部であって、複数の床部開口部を含む、床部、
（ｉｖ）前記遠位壁と前記近位壁との間に配された一対の側壁であって、複数の側壁開口部を含む、一対の側壁、ならびに、
（ｖ）前記遠位壁、前記近位壁、前記床部、および前記一対の側壁によって画定された組織収集チャンバ、を含み、前記床部および前記一対の側壁は、前記本体と前記組織サンプルトレーとの間に隙間を画定し、前記下方開口部は、前記本体と前記組織サンプルトレーとの間の前記隙間、ならびに前記床部開口部および側壁開口部を介して前記チャンバと流体連通している、
複数の組織サンプルトレーと、
を含む、組織サンプルホルダー。
【図面の簡単な説明】
【０１８８】
【図１】例示的な生検システムの概略図を描いている。
【図２】例示的なホルスターと連結された例示的なプローブを含む、図１の生検システムの例示的な生検装置の斜視図を描いている。
【図３】プローブがホルスターから切り離された、図２の生検装置の斜視図を描いている。
【図４】図２の生検装置のプローブの斜視図を描いている。
【図５】図４のプローブの分解組立図を描いている。
【図６】図４のプローブの針組立体の断面図を描いている。
【図７】上部ハウジング部品が取り外された、図４のプローブの構成要素の部分的な上面図を描いている。
【図８】図７の線８‐８に沿った、図７の構成要素の断面図を描いている。
【図９】図４のプローブの組織サンプルホルダー組立体の斜視図を描いている。
【図１０】図９の組織サンプルホルダー組立体の分解組立図を描いている。
【図１１】組織チャンバがカッターと整列している、図９の組織サンプルホルダー組立体の側断面図を描いている。
【図１２】図９の組織サンプルホルダー組立体の斜視図を描いている。
【図１３】図９の組織サンプルホルダー組立体のカバーの正面図を描いている。
【図１４】図９の組織サンプルホルダー組立体の側断面図を描いている。
【図１５】図９の組織サンプルホルダー組立体の断面端面図を描いている。
【図１６】図９の組織サンプルホルダー組立体の分解組立斜視図を描いている。
【図１７】図９の組織サンプルホルダー組立体の組織サンプルトレーの斜視図を描いている。
【図１８】図１７の組織サンプルトレーの正面図を描いている。
【図１９】図１７の組織サンプルトレーの後面図を描いている。
【図２０】図１７の組織サンプルトレーの別の斜視図を描いている。
【図２１】図１８の線２１‐２１に沿った、図１７の組織サンプルトレーの断面図を描いている。
【図２２】図１８の線２２‐２２に沿った、図１７の組織サンプルトレーの別の断面図を描いている。
【図２３】例示的な代替的組織サンプルホルダー組立体の斜視図を描いている。
【図２４】図２３の組織サンプルホルダー組立体の断面図を描いている。
【図２５】図２３の組織サンプルホルダー組立体の組織サンプルトレーの斜視図を描いている。
【図２６】図２３の組織サンプルホルダー組立体に組み込まれ得る、例示的な代替的組織サンプルトレーの斜視図を描いている。
【図２７】図２６の組織サンプルトレーの別の斜視図を描いている。
【図２８】図２６の組織サンプルトレーの別の斜視図を描いている。
【図２９】図２６の組織サンプルトレーの端面図を描いている。
【図３０】図２６の組織サンプルトレーの側面図を描いている。
【図３１】図２９の線３１‐３１に沿った、図２６の組織サンプルトレーの側断面図を描いている。
【図３２】図２３の組織サンプルホルダー組立体に組み込まれ得る、別の例示的な代替的組織サンプルトレーの斜視図を描いている。
【図３３】図３２の組織サンプルトレーの別の斜視図を描いている。
【図３４】図３２の線３４‐３４に沿った、図３２の組織サンプルトレーの断面端面図を描いている。
【図３５】図３２の線３５‐３５に沿った、図３２の組織サンプルトレーの断面斜視図を描いている。
【図３６】図２３の組織サンプルホルダー組立体に組み込まれ得る、別の例示的な代替的組織サンプルトレーの斜視図を描いている。
【図３７】図２３の組織サンプルホルダー組立体に組み込まれ得る、別の例示的な代替的組織サンプルトレーの斜視図を描いている。
【図３８】図２３の組織サンプルホルダー組立体に組み込まれ得る、別の例示的な代替的組織サンプルトレーの斜視図を描いている。
【図３９】図２３の組織サンプルホルダー組立体に組み込まれ得る、別の例示的な代替的組織サンプルトレーの斜視図を描いている。
【図４０】図３９の組織サンプルトレーの端面図を描いている。
【図４１】図２３の組織サンプルホルダー組立体に組み込まれ得る、別の例示的な代替的組織サンプルトレーの斜視図を描いている。
【図４２】図２３の組織サンプルホルダー組立体に組み込まれ得る、別の例示的な代替的組織サンプルトレーの斜視図を描いている。
【図４３】図４２の組織サンプルトレーの端面図を描いている。
【図４４】図２３の組織サンプルホルダー組立体に組み込まれ得る、別の例示的な代替的組織サンプルトレーの斜視図を描いている。
【図４５】図４４の組織サンプルトレーの端面図を描いている。
【図４６】図４のプローブに組み込まれ得る、例示的な代替的組織サンプルホルダー組立体の斜視図を描いている。
【図４７】図４６の組織サンプルホルダー組立体の端面図を描いている。
【図４８】図４６の組織サンプルホルダー組立体の分解組立斜視図を描いている。
【図４９】図４７の線４９‐４９に沿った、図４６の組織サンプルホルダー組立体の側断面図を描いている。
【図５０】図４６の組織サンプルホルダー組立体のバスケットの斜視図を描いている。
【図５１】図４６の組織サンプルホルダー組立体の端部キャップの斜視図を描いている。
【図５２】図５１の端部キャップの別の斜視図を描いている。
【図５３】図４６の組織サンプルホルダー組立体に組み込まれ得る、例示的な代替的端部キャップの斜視図を描いている。
【図５４】図５３の端部キャップの別の斜視図を描いている。
【図５５】図５３の端部キャップの端面図を描いている。
【図５６】図４６の組織サンプルホルダー組立体に組み込まれ得るカバーの側面図を描いている。
【図５７】組織サンプルホルダー組立体を形成するために図５６のカバーと組み合わせられ得る、例示的な代替的組織サンプルトレーの斜視図を描いている。
【図５８】図５７の組織サンプルトレーの別の斜視図を描いている。
【図５９】図５７の組織サンプルトレーの別の斜視図を描いている。
【図６０】図５７の組織サンプルトレーの端面図を描いている。
【図６１】図６０の線６１‐６１に沿った、図５７の組織サンプルトレーの断面斜視図を描いている。
【図６２】図６０の線６２‐６２に沿った、図５７の組織サンプルトレーの断面斜視図を描いている。
【図６３】組織サンプルホルダー組立体を形成するために図５６のカバーと組み合わせられ得る、別の例示的な代替的組織サンプルトレーの斜視図を描いている。
【図６４】図６３の組織サンプルトレーの別の斜視図を描いている。
【図６５】図６３の組織サンプルトレーの別の斜視図を描いている。
【図６６】図６３の組織サンプルトレーの端面図を描いている。
【図６７】図６３の組織サンプルトレーの上面図を描いている。
【図６８】図６６の線６８‐６８に沿った、図６３の組織サンプルトレーの側断面図を描いている。
【図６９】図４のプローブに組み込まれ得る、別の例示的な代替的組織サンプルホルダー組立体の斜視図を描いている。
【図７０】図６９の組織サンプルホルダー組立体のカバーの端面図を描いている。
【図７１】図６９の組織サンプルホルダー組立体の分解組立斜視図を描いている。
【図７２】図６９の組織サンプルホルダー組立体の組織サンプルトレーの斜視図を描いている。
【図７３】図７２の組織サンプルトレーの別の斜視図を描いている。
【図７４】図６９の線７４‐７４に沿った、図６９の組織サンプルホルダー組立体の側断面図を描いている。
【図７５】図７３の線７５‐７５に沿った、図７２の組織サンプルトレーの側断面図を描いている。
【図７６】図４のプローブに組み込まれ得る、別の例示的な代替的組織サンプルホルダー組立体の断面斜視図を描いている。
【図７７】図４のプローブに組み込まれ得る、別の例示的な代替的組織サンプルホルダー組立体の端面図を描いている。
【図７８】図７７の組織サンプルホルダー組立体のカバーの端面図を描いている。
【図７９】図７７の組織サンプルホルダー組立体の分解組立斜視図を描いている。
【図８０】図７８のカバーの別の端面図を描いている。
【図８１】図７８の線８１‐８１に沿った、図７８のカバーの側断面図を描いている。
【図８２】図７７の線８２‐８２に沿った、図７７の組織サンプルホルダー組立体の断面斜視図を描いている。
【図８３】図７７の組織サンプルホルダー組立体の組織サンプルトレーの斜視図を描いている。
【図８４】図８３の組織サンプルトレーの別の斜視図を描いている。
【図８５】図８３の組織サンプルトレーの別の斜視図を描いている。
【図８６】図８４の線８６‐８６に沿った、図８３の組織サンプルトレーの断面斜視図を描いている。
【図８７】図７７の組織サンプルホルダー組立体に組み込まれ得る、例示的な代替的組織サンプルトレーの斜視図を描いている。
【図８８】図８７の組織サンプルトレーの側面図を描いている。
【図８９】図８８の線８９‐８９に沿った、図８７の組織サンプルトレーの断面斜視図を描いている。
【図９０】図７７の組織サンプルホルダー組立体に組み込まれ得る、別の例示的な代替的組織サンプルトレーの側面図を描いている。
【図９１】図４のプローブに組み込まれ得る、別の例示的な代替的組織サンプルホルダー組立体の斜視図を描いている。
【図９２】図９１の組織サンプルホルダー組立体の端面図を描いている。
【図９３】図９１の組織サンプルホルダー組立体の分解組立斜視図を描いている。
【図９４】図９２の線９４‐９４に沿った、図９１の組織サンプルホルダー組立体の側断面図を描いている。
【図９５】図９１の組織サンプルホルダー組立体の組織サンプルトレーの斜視図を描いている。
【図９６】図９５の組織サンプルトレーの別の斜視図を描いている。
【図９７】図９５の組織サンプルトレーの底面図を描いている。
【図９８】図４のプローブに組み込まれ得る、別の例示的な代替的組織サンプルホルダー組立体の斜視図を描いている。
【図９９】図９８の組織サンプルホルダー組立体の端面図を描いている。
【図１００】図９８の組織サンプルホルダー組立体の分解組立斜視図を描いている。
【図１０１】図９９の線１０１‐１０１に沿った、図９８の組織サンプルホルダー組立体の断面斜視図を描いている。
【図１０２】図９８の組織サンプルホルダー組立体の組織サンプルトレーの斜視図を描いている。
【図１０３】図１０２の組織サンプルトレーの別の斜視図を描いている。
【図１０４】図１０２の組織サンプルトレーの別の斜視図を描いている。
【図１０５】図４のプローブに組み込まれ得る、別の例示的な代替的組織サンプルホルダー組立体の斜視図を描いている。
【図１０６】図１０５の組織サンプルホルダー組立体の別の斜視図を描いている。
【図１０７】図１０５の組織サンプルホルダー組立体の端面図を描いている。
【図１０８】図１０５の組織サンプルホルダー組立体の別の端面図を描いている。
【図１０９】図１０５の組織サンプルホルダー組立体の分解組立斜視図を描いている。
【図１１０】図１０５の組織サンプルホルダー組立体の組織サンプルトレーの斜視図を描いている。
【図１１１】図１１０の組織サンプルトレーの端面図を描いている。
【図１１２】図１１０の組織サンプルトレーの上面図を描いている。
【図１１３】図１１０の組織サンプルトレーの別の斜視図を描いている。
【図１１４】図１１２の線１１４‐１１４に沿った、図１０５の組織サンプルホルダー組立体の断面端面図を描いている。
【図１１５】図４のプローブに組み込まれ得る、別の例示的な代替的組織サンプルホルダー組立体の斜視図を描いている。
【図１１６】図１１５の組織サンプルホルダー組立体の別の斜視図を描いている。
【図１１７】図１１５の組織サンプルホルダー組立体の端面図を描いている。
【図１１８】図１１５の組織サンプルホルダー組立体の別の端面図を描いている。
【図１１９】図１１５の組織サンプルホルダー組立体の分解組立斜視図を描いている。
【図１２０】図１１５の組織サンプルホルダー組立体の組織サンプルトレーの斜視図を描いている。
【図１２１】図１２０の組織サンプルトレーの別の斜視図を描いている。
【図１２２】図１２０の組織サンプルトレーの側面図を描いている。
【図１２３】図１２０の組織サンプルトレーの上面図を描いている。
【図１２４】図１１５の組織サンプルホルダー組立体に組み込まれ得る、別の例示的な組織サンプルトレーの斜視図を描いている。
【図１２５】図１２４の組織サンプルトレーの別の斜視図を描いている。
【図１２６】図１２４の組織サンプルトレーの上面図を描いている。
【図１２７】図１２４の組織サンプルトレーの底面図を描いている。
【図１２８】図１１５の組織サンプルホルダー組立体に組み込まれ得る、例示的な代替的カバーの斜視図を描いている。
【図１２９】図１２８の線１２９‐１２９に沿った、図１２８のカバーの側断面図を描いている。
【図１３０】図４のプローブに組み込まれ得る、別の例示的な代替的組織サンプルホルダー組立体の斜視図を描いている。
【図１３１】図１３０の組織サンプルホルダー組立体の別の斜視図を描いている。
【図１３２】図１３０の組織サンプルホルダー組立体の端面図を描いている。
【図１３３】図１３０の組織サンプルホルダー組立体の別の端面図を描いている。
【図１３４】図１３０の組織サンプルホルダー組立体の分解組立斜視図を描いている。
【図１３５】図１３０の組織サンプルホルダー組立体の回転可能な本体の端面図を描いている。
【図１３６】図１３０の組織サンプルホルダー組立体の回転可能な本体の別の端面図を描いている。
【図１３７】図１３０の組織サンプルホルダー組立体の組織サンプルトレーの斜視図を描いている。
【図１３８】図１３７の組織サンプルトレーの別の斜視図を描いている。
【図１３９】図１３７の組織サンプルトレーの上面図を描いている。
【図１４０】図１３７の組織サンプルトレーの端面図を描いている。
【図１４１】図４のプローブに組み込まれ得る、別の例示的な代替的組織サンプルホルダー組立体の斜視図を描いている。
【図１４２】図１４１の組織サンプルホルダー組立体の別の斜視図を描いている。
【図１４３】図１４１の組織サンプルホルダー組立体の分解組立斜視図を描いている。
【図１４４】図１４１の組織サンプルホルダー組立体の端面図を描いている。
【図１４５】図１４１の組織サンプルホルダー組立体の組織サンプルトレーの斜視図を描いている。
【図１４６】図１４５の組織サンプルトレーの別の斜視図を描いている。
【図１４７】図１４５の線１４７‐１４７に沿った、図１４５の組織サンプルトレーの断面斜視図を描いている。
【図１４８】図４のプローブに組み込まれ得る、別の例示的な代替的組織サンプルホルダー組立体の斜視図を描いている。
【図１４９】図１４８の組織サンプルホルダー組立体の別の斜視図を描いている。
【図１５０】図１４８の組織サンプルホルダー組立体の端面図を描いている。
【図１５１】図１４８の組織サンプルホルダー組立体の別の端面図を描いている。
【図１５２】図１４８の組織サンプルホルダー組立体の分解組立斜視図を描いている。
【図１５３】追加の真空導管を含む、例示的な代替的プローブ組立体を描いている。
【図１５４】図１の生検システムを用いて行われ得る、例示的なプロセスを示すフローチャートを描いている。
【図１５５】図１５４のプロセスの実施中に、図１の生検システムを通じて提供され得る、グラフィカルユーザーインターフェースのスクリーンショットを描いている。
【図１５６】図１５４のプロセスの実施中に、図１の生検システムを通じて提供され得る、グラフィカルユーザーインターフェースの別のスクリーンショットを描いている。
【図１５７】図１５４のプロセスの実施中に、図１の生検システムを通じて提供され得る、グラフィカルユーザーインターフェースの別のスクリーンショットを描いている。
【図１５８】図１５４のプロセスの実施中に、図１の生検システムを通じて提供され得る、グラフィカルユーザーインターフェースの別のスクリーンショットを描いている。
【図１５９】図１５４のプロセスの実施中に、図１の生検システムを通じて提供され得る、グラフィカルユーザーインターフェースの別のスクリーンショットを描いている。
【図１６０】図１５４のプロセスの実施中に、図１の生検システムを通じて提供され得る、グラフィカルユーザーインターフェースの別のスクリーンショットを描いている。
【図１６１】図１５４のプロセスの実施中に、図１の生検システムを通じて提供され得る、グラフィカルユーザーインターフェースの別のスクリーンショットを描いている。
【図１６２】図１５４のプロセスの実施中に、図１の生検システムを通じて提供され得る、グラフィカルユーザーインターフェースの別のスクリーンショットを描いている。
【図１６３】図４のプローブに組み込まれ得る、別の例示的な代替的組織サンプルホルダー組立体の斜視図を描いている。
【図１６４】図１６３の組織サンプルホルダー組立体の端面図を描いている。
【図１６５】図１６３の組織サンプルホルダー組立体の分解組立斜視図を描いている。
【図１６６】図１６４の線１６６‐１６６に沿った、図１６３の組織サンプルホルダー組立体の回転可能な本体の側断面図を描いている。
【図１６７】図１６６の回転可能な本体の斜視図を描いている。
【図１６８】図１６３の組織サンプルホルダー組立体の組織サンプルトレーの斜視図を描いている。
【図１６９】図１６８の組織サンプルトレーの別の斜視図を描いている。
【図１７０】図１６８の線１７０‐１７０に沿った、図１６８の組織サンプルトレーの断面図を描いている。
【図１７１】図１６８の線１７１‐１７１に沿った、図１６８の組織サンプルトレーの別の断面図を描いている。
【図１７２】図４のプローブに組み込まれ得る、別の例示的な代替的組織サンプルホルダー組立体の斜視図を描いている。
【図１７３】図１７２の組織サンプルホルダー組立体の別の斜視図を描いている。
【図１７４】図１７２の組織サンプルホルダー組立体の端面図を描いている。
【図１７５】図１７２の組織サンプルホルダー組立体の別の端面図を描いている。
【図１７６】図１７２の組織サンプルホルダー組立体の分解組立斜視図を描いている。
【図１７７】図１７４の線１７７‐１７７に沿った、図１７２の組織サンプルホルダー組立体の側断面図を描いている。
【図１７８】図１７２の組織サンプルホルダー組立体の回転可能な本体の端面図を描いている。
【図１７９】図１７２の組織サンプルホルダー組立体の組織サンプルトレーの斜視図を描いている。
【図１８０】図１７９の組織サンプルトレーの別の斜視図を描いている。
【図１８１】図１７９の組織サンプルトレーの上面図を描いている。
【図１８２】図１７９の組織サンプルトレーの端面図を描いている。
【図１】
2020075119.tif 000003
【図２】
2020075119.tif 000004
【図３】
2020075119.tif 000005
【図４】
2020075119.tif 000006
【図５】
2020075119.tif 000007
【図６】
2020075119.tif 000008
【図７】
2020075119.tif 000009
【図８】
2020075119.tif 000010
【図９】
2020075119.tif 000011
【図１０】
2020075119.tif 000012
【図１１】
2020075119.tif 000013
【図１２】
2020075119.tif 000014
【図１３】
2020075119.tif 000015
【図１４】
2020075119.tif 000016
【図１５】
2020075119.tif 000017
【図１６】
2020075119.tif 000018
【図１７】
2020075119.tif 000019
【図１８】
2020075119.tif 000020
【図１９】
2020075119.tif 000021
【図２０】
2020075119.tif 000022
【図２１】
2020075119.tif 000023
【図２２】
2020075119.tif 000024
【図２３】
2020075119.tif 000025
【図２４】
2020075119.tif 000026
【図２５】
2020075119.tif 000027
【図２６】
2020075119.tif 000028
【図２７】
2020075119.tif 000029
【図２８】
2020075119.tif 000030
【図２９】
2020075119.tif 000031
【図３０】
2020075119.tif 000032
【図３１】
2020075119.tif 000033
【図３２】
2020075119.tif 000034
【図３３】
2020075119.tif 000035
【図３４】
2020075119.tif 000036
【図３５】
2020075119.tif 000037
【図３６】
2020075119.tif 000038
【図３７】
2020075119.tif 000039
【図３８】
2020075119.tif 000040
【図３９】
2020075119.tif 000041
【図４０】
2020075119.tif 000042
【図４１】
2020075119.tif 000043
【図４２】
2020075119.tif 000044
【図４３】
2020075119.tif 000045
【図４４】
2020075119.tif 000046
【図４５】
2020075119.tif 000047
【図４６】
2020075119.tif 000048
【図４７】
2020075119.tif 000049
【図４８】
2020075119.tif 000050
【図４９】
2020075119.tif 000051
【図５０】
2020075119.tif 000052
【図５１】
2020075119.tif 000053
【図５２】
2020075119.tif 000054
【図５３】
2020075119.tif 000055
【図５４】
2020075119.tif 000056
【図５５】
2020075119.tif 000057
【図５６】
2020075119.tif 000058
【図５７】
2020075119.tif 000059
【図５８】
2020075119.tif 000060
【図５９】
2020075119.tif 000061
【図６０】
2020075119.tif 000062
【図６１】
2020075119.tif 000063
【図６２】
2020075119.tif 000064
【図６３】
2020075119.tif 000065
【図６４】
2020075119.tif 000066
【図６５】
2020075119.tif 000067
【図６６】
2020075119.tif 000068
【図６７】
2020075119.tif 000069
【図６８】
2020075119.tif 000070
【図６９】
2020075119.tif 000071
【図７０】
2020075119.tif 000072
【図７１】
2020075119.tif 000073
【図７２】
2020075119.tif 000074
【図７３】
2020075119.tif 000075
【図７４】
2020075119.tif 000076
【図７５】
2020075119.tif 000077
【図７６】
2020075119.tif 000078
【図７７】
2020075119.tif 000079
【図７８】
2020075119.tif 000080
【図７９】
2020075119.tif 000081
【図８０】
2020075119.tif 000082
【図８１】
2020075119.tif 000083
【図８２】
2020075119.tif 000084
【図８３】
2020075119.tif 000085
【図８４】
2020075119.tif 000086
【図８５】
2020075119.tif 000087
【図８６】
2020075119.tif 000088
【図８７】
2020075119.tif 000089
【図８８】
2020075119.tif 000090
【図８９】
2020075119.tif 000091
【図９０】
2020075119.tif 000092
【図９１】
2020075119.tif 000093
【図９２】
2020075119.tif 000094
【図９３】
2020075119.tif 000095
【図９４】
2020075119.tif 000096
【図９５】
2020075119.tif 000097
【図９６】
2020075119.tif 000098
【図９７】
2020075119.tif 000099
【図９８】
2020075119.tif 000100
【図９９】
2020075119.tif 000101
【図１００】
2020075119.tif 000102
【図１０１】
2020075119.tif 000103
【図１０２】
2020075119.tif 000104
【図１０３】
2020075119.tif 000105
【図１０４】
2020075119.tif 000106
【図１０５】
2020075119.tif 000107
【図１０６】
2020075119.tif 000108
【図１０７】
2020075119.tif 000109
【図１０８】
2020075119.tif 000110
【図１０９】
2020075119.tif 000111
【図１１０】
2020075119.tif 000112
【図１１１】
2020075119.tif 000113
【図１１２】
2020075119.tif 000114
【図１１３】
2020075119.tif 000115
【図１１４】
2020075119.tif 000116
【図１１５】
2020075119.tif 000117
【図１１６】
2020075119.tif 000118
【図１１７】
2020075119.tif 000119
【図１１８】
2020075119.tif 000120
【図１１９】
2020075119.tif 000121
【図１２０】
2020075119.tif 000122
【図１２１】
2020075119.tif 000123
【図１２２】
2020075119.tif 000124
【図１２３】
2020075119.tif 000125
【図１２４】
2020075119.tif 000126
【図１２５】
2020075119.tif 000127
【図１２６】
2020075119.tif 000128
【図１２７】
2020075119.tif 000129
【図１２８】
2020075119.tif 000130
【図１２９】
2020075119.tif 000131
【図１３０】
2020075119.tif 000132
【図１３１】
2020075119.tif 000133
【図１３２】
2020075119.tif 000134
【図１３３】
2020075119.tif 000135
【図１３４】
2020075119.tif 000136
【図１３５】
2020075119.tif 000137
【図１３６】
2020075119.tif 000138
【図１３７】
2020075119.tif 000139
【図１３８】
2020075119.tif 000140
【図１３９】
2020075119.tif 000141
【図１４０】
2020075119.tif 000142
【図１４１】
2020075119.tif 000143
【図１４２】
2020075119.tif 000144
【図１４３】
2020075119.tif 000145
【図１４４】
2020075119.tif 000146
【図１４５】
2020075119.tif 000147
【図１４６】
2020075119.tif 000148
【図１４７】
2020075119.tif 000149
【図１４８】
2020075119.tif 000150
【図１４９】
2020075119.tif 000151
【図１５０】
2020075119.tif 000152
【図１５１】
2020075119.tif 000153
【図１５２】
2020075119.tif 000154
【図１５３】
2020075119.tif 000155
【図１５４】
2020075119.tif 000156
【図１５５】
2020075119.tif 000157
【図１５６】
2020075119.tif 000158
【図１５７】
2020075119.tif 000159
【図１５８】
2020075119.tif 000160
【図１５９】
2020075119.tif 000161
【図１６０】
2020075119.tif 000162
【図１６１】
2020075119.tif 000163
【図１６２】
2020075119.tif 000164
【図１６３】
2020075119.tif 000165
【図１６４】
2020075119.tif 000166
【図１６５】
2020075119.tif 000167
【図１６６】
2020075119.tif 000168
【図１６７】
2020075119.tif 000169
【図１６８】
2020075119.tif 000170
【図１６９】
2020075119.tif 000171
【図１７０】
2020075119.tif 000172
【図１７１】
2020075119.tif 000173
【図１７２】
2020075119.tif 000174
【図１７３】
2020075119.tif 000175
【図１７４】
2020075119.tif 000176
【図１７５】
2020075119.tif 000177
【図１７６】
2020075119.tif 000178
【図１７７】
2020075119.tif 000179
【図１７８】
2020075119.tif 000180
【図１７９】
2020075119.tif 000181
【図１８０】
2020075119.tif 000182
【図１８１】
2020075119.tif 000183
【図１８２】
2020075119.tif 000184